(57)【要約】【課題】操作が容易で、コストも低く、安全性が高い撮像機器の使用制限機能を実現すること。【解決手段】撮像機器としてのカメラ本体１２と、該カメラ本体１２とは別体に構成され、該カメラ本体１２に対して該カメラ本体１２を制御するための指令を送信することにより上記カメラ本体１２が上記指令に対応した動作を行えるように構成された指令機器と、を含む撮像システムにおいて、上記指令機器と上記撮像機器の間の指令授受の能力を切り替える。【選択図】      図１
2008187400.tif 000002
【特許請求の範囲】
【請求項１】
撮像手段を備えた撮像機器と、該撮像機器の本体とは別体に構成され、該撮像機器本体に対して該撮像機器を制御するための指令を送信することにより上記撮像機器が上記指令に対応した動作を行えるように構成された指令機器と、を含む撮像システムにおいて、
上記指令機器と上記撮像機器の間の指令授受の能力を切り替える能力切替手段を具備することを特徴とする撮像システム。
【請求項２】
上記能力切替手段を、上記指令機器及び／又は上記撮像機器に有することを特徴とする請求項１に記載の撮像システム。
【請求項３】
上記指令は、上記撮像機器が上記指令機器の認証を行なうための認証情報を含まない一般指令と、上記認証情報を含む認証指令と、を含み、
上記能力切替手段は、上記一般指令に対する能力に比べ上記認証指令に対する指令授受能力を下げる指令授受能力切替手段であることを特徴とする請求項１又は２に記載の撮像システム。
【請求項４】
上記撮像機器は、
上記指令機器から送信された指令を受信する指令受信手段と、
上記指令受信手段で受信された上記認証指令に含まれる上記認証情報を認識する認証情報認識手段と、
上記認証情報認識手段で認識された上記認証情報に基づいて当該撮像機器の所定の機能の制限を行なう機能制限手段と、
を具備することを特徴とする請求項３に記載の撮像システム。
【請求項５】
上記指令機器は、上記指令を送信する指令送信手段を具備し、
上記能力切替手段は、上記指令機器の上記指令送信手段における指令送信出力を切り替える、上記指令機器に備えられた指令送信出力切替手段であることを特徴とする請求項１に記載の撮像システム。
【請求項６】
上記撮像機器は、上記指令機器から送信された指令を受信する指令受信手段を具備し、
上記能力切替手段は、上記撮像機器の上記指令受信手段の受信感度を切り替える、上記撮像機器に備えられた受信感度切替手段であることを特徴とする請求項１に記載の撮像システム。
【請求項７】
上記撮像機器の上記受信感度切替手段は、上記指令機器より送信されてきた感度切替指令に応じて上記指令受信手段の受信感度を切り替えることを特徴とする請求項６に記載の撮像システム。
【請求項８】
上記撮像機器は、当該撮像機器の上記指令受信手段の受信感度の選択操作を受け付ける感度選択操作手段を更に具備し、
上記撮像機器の上記受信感度切替手段は、上記感度選択操作手段による選択操作に応じて上記指令受信手段の受信感度を切り替えることを特徴とする請求項６に記載の撮像システム。
【請求項９】
上記撮像機器は、上記撮像手段で撮像された画像を再生する画像再生手段を更に具備し、
上記撮像機器の上記機能制限手段は、上記画像再生手段に係る機能を制限することを特徴とする請求項４に記載の撮像システム。
【請求項１０】
上記指令機器は、上記撮像機器に対して上記認証指令及び上記一般指令を送信する指令送信手段を具備することを特徴とする請求項３又は４に記載の撮像システム。
【請求項１１】
上記指令機器は、上記撮像機器の撮像動作に関わる撮影指令、及び、上記撮像機器の上記機能の制限に関わる認証モード切替指令を、上記認証指令として送信する認証指令送信手段を更に具備することを特徴とする請求項３又は４に記載の撮像システム。
【請求項１２】
上記指令機器は、上記一般指令と上記認証指令との何れを上記指令送信手段によって送信するかを切り替える切替手段を更に具備することを特徴とする請求項１０に記載の撮像システム。
【請求項１３】
上記指令機器は、上記撮像機器の撮像動作に関わる撮影指令を上記一般指令として、及び、上記撮像機器の上記機能の制限に関わる認証モード切替指令を上記認証指令として、送信する指令送信手段を更に具備することを特徴とする請求項３又は４に記載の撮像システム。
【請求項１４】
上記指令機器は、上記一般指令と上記認証モード切替指令との何れを上記指令送信手段によって送信するかを切り替える切替手段を更に具備することを特徴とする請求項１３に記載の撮像システム。
【請求項１５】
上記撮像機器の上記認証情報認識手段は、上記指令受信手段で受信された認証指令の内容を判別する指令判別手段を更に具備することを特徴とする請求項４に記載の撮像システム。
【請求項１６】
上記撮像機器の機能制限手段は、上記指令判別手段で判別した上記認証指令の内容に応じて、当該撮像機器の機能の制限を行なうことを特徴とする請求項１５に記載の撮像機器。
【請求項１７】
上記撮像機器は、上記指令受信手段で受信された上記認証指令の内容が上記撮像機器の上記機能の制限に関わる認証モード切替指令であるとき、その認証モード切替指令に応じて、当該撮像機器の認証モードを設定するモード設定手段を更に具備し、
上記撮像機器の上記機能制限手段は、上記モード設定手段によって設定された認証モードに応じて当該撮像機器の機能の制限を行なうことを特徴とする請求項１５に記載の撮像機器。
【請求項１８】
上記撮像機器の上記モード設定手段は、更に、当該撮像機器の電源投入時には、上記認証モードとして禁止モードを設定し、
上記撮像機器の上記機能制限手段は、上記モード設定手段によって上記禁止モードが設定された場合、上記指令機器以外での当該撮像機器の機能の実行を不可とすることを特徴とする請求項１７に記載の撮像システム。
【請求項１９】
上記撮像機器の上記モード設定手段は、当該撮像機器の電源断時に、現在設定されている認証モードを記憶しておくメモリを有することを特徴とする請求項１７に記載の撮像システム。
【請求項２０】
上記撮像機器の上記モード設定手段の上記メモリは、電源オフでも記憶内容を保持できる不揮発性メモリであることを特徴とする請求項１９に記載の撮像システム。
【請求項２１】
上記撮像機器の上記モード設定手段は、更に、当該撮像機器の電源投入時には、上記メモリに記憶されている認証モードを読み出して、その認証モードに設定することを特徴とする請求項１９に記載の撮像システム。
【請求項２２】
上記撮像機器の上記モード設定手段は、上記指令機器からの上記認証モード切替指令に応じてのみ、上記認証モードの設定を行うことを特徴とする請求項１７に記載の撮像システム。
【請求項２３】
上記撮像機器は、時間を計測する時間計測手段を更に具備し、
上記撮像機器の上記モード設定手段は、更に、上記時間計測手段によって計測された時間に基づいて、上記認証モードとして禁止モードを設定し、
上記撮像機器の上記機能制限手段は、上記モード設定手段によって上記禁止モードが設定された場合、上記指令機器以外での当該撮像機器の機能の実行を不可とすることを特徴とする請求項１７に記載の撮像システム。
【請求項２４】
上記撮像機器の上記時間計測手段は、当該撮像機器の電源オフ後でも時間を計測し続け、
上記撮像機器の上記モード設定手段は、上記時間計測手段が所定の時間を計測したときに、上記禁止モードを設定することを特徴とする請求項２３に記載の撮像システム。
【請求項２５】
上記撮像機器の上記モード設定手段は、電池が消耗あるいは取り外された場合、直ちにあるいは予め設定された時間後、あるいは電圧監視の結果により、上記認証モードとして、上記禁止モードを設定することを特徴とする請求項１７又は２４に記載の撮像システム。
【請求項２６】
上記指令は、光又は電波で送信されることを特徴とする請求項１に記載の撮像システム。
【請求項２７】
上記撮像機器は、上記認証指令の送信手段を有する指令機器に加えて、上記認証情報の送信手段を有さず、少なくとも上記一般指令を送信可能な指令機器を利用可能であることを特徴とする請求項３に記載の撮像システム。
【請求項２８】
上記撮像機器は、内蔵メモリを更に具備し、
上記撮像機器の上記機能制限手段は、上記モード設定手段によって認証モードとして上記指令機器以外での当該撮像機器の機能の実行を不可とする禁止モードが設定されている場合、上記指令判別手段で判別した上記指令機器からの指令に基づいて上記撮像手段で撮像を行なった時、その撮像された画像の保存先を上記内蔵メモリのみに制限することを特徴とする請求項１７に記載の撮像システム。
【請求項２９】
上記撮像機器の上記機能制限手段は、上記内蔵メモリに記憶された画像を読み出して、表示、コピー、移動、印刷の何れかを行う場合は、上記認証情報認識手段で認識された上記認証情報により認証された指令機器からの上記撮影指令によってのみ行なうよう制限することを特徴とする請求項２８に記載の撮像システム。
【請求項３０】
上記撮像機器は、更に、着脱可能なメモリを装着可能に構成され、
上記内蔵メモリに記憶された画像を上記着脱可能なメモリにコピー又は移動する場合は、暗号化して記憶することを特徴とする請求項２８又は２９に記載の撮像システム。
【請求項３１】
上記指令機器は、上記撮像手段で撮像された画像を上記内蔵メモリに記録するか、上記着脱可能なメモリに記録するかを選択する手段を更に具備することを特徴とする請求項３０に記載の撮像システム。
【請求項３２】
上記指令機器は、上記認証情報として、乱数発生手段により生成した乱数を含む認証情報を生成する認証情報生成手段を更に具備することを特徴とする請求項１０乃至１４の何れかに記載の撮像システム。
【請求項３３】
上記指令機器は、上記認証情報として、予め記憶した表の中から選んだデータを含む認証情報を生成する認証情報生成手段を更に具備することを特徴とする請求項１０乃至１４の何れかに記載の撮像システム。
【請求項３４】
上記指令機器は、
上記指令を送信する指令送信手段と、
上記指令送信手段による上記認証モード切替指令の送信時を起点として計数を開始する第１の計数手段と、
上記認証モード切替指令の送信後、上記指令を上記指令送信手段から送信する際には、上記第１の計数手段の計数値を上記指令に含めて送信させる手段と、
を更に具備し、
上記撮像機器は、
上記指令機器からの上記認証モード切替指令に基づいた上記モード設定手段による認証モードの設定時から計数を開始する第２の計数手段と、
上記指令受信手段によって上記指令機器から上記指令を受信した際には、その受信した指令に含まれる上記第１の計数手段の計数値を上記第２の計数手段の計数値と比較する比較手段と、
を更に具備し、
上記撮像機器の上記機能制限手段は、上記比較手段の比較結果に基づいて上記機能の制限を設定することを特徴とする請求項１７に記載の撮像システム。
【請求項３５】
上記指令機器は、上記指令に上記認証情報を付加して送信する指令送信手段を更に具備し、
上記撮像機器の上記機能制限手段は、上記撮像手段での撮像に関する機能については、上記認証情報認識手段での上記認証情報の認識結果にかかわらず制限を行わず、それ以外の機能については、上記指令受信手段で受信し上記認証情報認識手段で認識した上記指令に付加された認証情報に基づいて機能の制限を行うことを特徴とする請求項１５に記載の撮像システム。
【請求項３６】
上記指令機器の上記指令送信手段は、上記指令に更に、上記制限する機能の範囲を指定する機能範囲情報を付加して送信し、
上記撮像機器の上記機能制限手段は、上記指令受信手段で受信した上記指令に付加された上記機能範囲情報に従って機能の制限を行なうことを特徴とする請求項３５に記載の撮像システム。
【請求項３７】
上記認証情報は、上記撮像機器に固有のＩＤ情報を含むことを特徴とする請求項１０乃至１４の何れかに記載の撮像システム。
【請求項３８】
上記指令機器は、上記指令に上記認証情報を付加して送信する指令送信手段を更に具備し、
上記撮像機器は、上記指令受信手段で受信した上記認証情報が付加された上記指令に従った動作を行なうことを特徴とする請求項１５に記載の撮像システム。
【請求項３９】
上記能力切替手段は、上記指令機器と上記撮像機器の間の指令授受の能力を、上記指令機器が送信する指令の種類に応じた能力に切り替えることを特徴とする請求項１に記載の撮像システム。
【請求項４０】
撮像手段を備えた撮像機器と、該撮像機器の本体とは別体に構成され、該撮像機器本体に対して該撮像機器を制御するための指令を送信することにより上記撮像機器が上記指令に対応した動作を行なうように構成された指令機器との間で行われる上記撮像機器の認証方法であって、
上記指令機器と上記撮像機器の間の指令授受の能力を切り替える手段を、上記指令機器及び上記撮像機器の一方又は双方に有し、指令授受の能力を切り替えることを特徴とする撮像機器の認証方法。
【発明の詳細な説明】
【技術分野】
【０００１】
本発明は、撮像機器と該撮像機器の本体とは別体に構成された指令機器とを含む撮像システム、及び、そのような撮像システムにおける撮像機器の認証方法に関する。
【背景技術】
【０００２】
近年、個人情報の保護や情報セキュリティへの関心が高まり、自分で撮影した画像であっても画像の内容により、また他人が映っている場合には特に、個人情報の保護やプライバシ保護の観点から撮影済み画像の慎重な取り扱いが求められる場合が増加している。
【０００３】
従来の３５ｍｍフィルムカメラの場合、撮影枚数は２４枚から３６枚であり、仮に３６枚撮影済みフィルムを装填したままカメラを紛失あるいは盗まれても失う画像は高々３６枚であり、もちろん内容によっては大きな損失につながったり、情報流出によるリスクが無いわけではなかったが、失う画像の数としてはデジタルカメラに比べると相対的に少なかった。
【０００４】
一方、デジタルカメラの時代となり、撮影した画像はデジタル情報としてカメラ内のメモリに記録されており、簡単にコピーができると共に、所有者の許可なしにコピーされても元の画像はそのまま残っているため気がつかないことも起こり得る。
【０００５】
近年、デジタルカメラ用の記憶媒体の記憶容量は増加の一途をたどっている。メモリカードでは４ギガバイトの製品も発売されている。半導体の世界では、ムーアの法則が知られており、デザインルールは９０ｎｍから６５ｎｍへ、更には４５ｎｍへと細密化されつつあり、今後も半導体メモリの記憶容量は増加してゆく趨勢にある。また、小型ハードディスクの容量も増加しており、コンパクトフラッシュ（登録商標）カードサイズのハードディスクでも数ギガバイトになってきており、今後も記憶容量は増加してゆく趨勢にある。
【０００６】
例えば画像一枚あたりの記憶容量が平均１メガバイトの場合、２ギガバイトのメモリカードには２０００枚、６ギガバイトのハードディスクには６０００枚の画像が記録でき、フィルムカメラの時代とは比べ物にならないほど大量の個人情報をカメラと一緒に携帯している状況である。
【０００７】
デジタルカメラの画像には撮影日などが一緒に記録されており、またＧＰＳによる位置情報が記録できる製品もある。つまり、個人の行動記録や交友関係などのプライバシ情報が画像やデータとして大量に保管されている。もしカメラを紛失した場合、カメラは数万円から数十万円で買いなおせるが、失った画像や情報は時としてもっと大きな損失を招くリスクもある。
【０００８】
デジタルカメラでの画像記録フォーマットは標準化されており、カメラから着脱可能なメモリカードあるいはカード型ハードディスクを取り出してカード読取装置やパーソナルコンピュータ（以下、パソコンと略記する）のメモリスロットに差し込めば容易に画像や付帯情報を見たりコピーできる。
【０００９】
メモリの大容量化と低価格化を背景に、カメラに着脱できない１６メガバイト程度の内蔵メモリを持ち、万一着脱メモリが一杯になったり、忘れてきた場合でも画像の記録ができるカメラも出現してきた。そこで、内蔵メモリの容量を大きくして、内蔵メモリに画像を記録して、特定の条件でなければ内蔵メモリの画像は再生等ができないようにして安全性を高めると共に、従来の着脱式メモリは他との互換性を持たせるという使い方も実現出来る様になってきた。
【００１０】
従前よりカメラに所有者以外の使用を制限したり禁止することで情報漏洩や不正使用の防止を図りセキュリティを高める方法がいくつも提案されている。
【００１１】
例えば、特許文献１では、使用者のＩＤ情報を登録しておき、使用に先立ちＩＤ情報を読み取り照合し、一致した時のみ使用を許可するようにしている。具体的には、網膜パターン、指紋、声紋の照合機能を持たせることが提案されている。また、メモリカードにＩＤ情報を入れておき、読み取らせることも提案されている。また、ＩＤ入力部としてキーボードを設け、暗証番号を入力する方法も提案されている。
【００１２】
また、特許文献２では、ユーザが所持しているユーザの個人情報を記憶した電子機器と電子装置とが無線交信を行い、ユーザの個人情報を電子装置が自動的に読み取り、ユーザに応じて電子装置をカスタマイズすることが提案されている。
【００１３】
また、特許文献３では、リモートコントローラ（以下、リモコンと略記する）に識別データを記憶し、車庫のシャッタを開閉するシステムが提案されている。認証情報として秘密鍵を用いることや、情報暗号化が提案されている。また音声、虹彩、指紋の認証も提案されている。
【００１４】
また、情報や機器並びにシステムのセキュリティを確保するための方式として、安全性の高い公開鍵基盤による電子証明書の利用や、認証サーバとネットワークを利用したワンタイムパスワードの利用、が実用に供されている。
【特許文献１】特開２０００−１４７６２３号公報
【特許文献２】特開２００３−１６９２４７号公報
【特許文献３】特開２００５−４２３９８号公報
【発明の開示】
【発明が解決しようとする課題】
【００１５】
上記特許文献１では、網膜パターン、指紋、声紋の照合機能を持たせることが提案されているが、現在の技術レベルでは、他人受入れ率を厳しくすれば本人拒否率が上がってしまうことが知られており、１００％の認証は難しく、また認証機構が複雑なためコストがかかる。また、メモリカードにＩＤ情報を入れておき読み取らせることも提案されているが、デジタルカメラの画像記憶用メモリカードを兼用する場合はそのカメラ専用になってしまい、互換性を必要とする情報システムでは使い勝手が悪くなる。あるいは、画像記憶用メモリとは別にＩＤ用のカードを使用する場合は、画像記憶用メモリカードと区別して厳密に管理する必要があり、煩雑である。また、ＩＤ入力部としてキーボードを設け、暗証番号を入力する方法も提案されているが、暗証番号は盗み見や類推され易いという問題があることは周知のとおりである。
【００１６】
また、上記特許文献２では、利用者識別による使い勝手の向上を目的としており、利用者が見つからなかった場合にはデフォルト値でのカメラ使用を許可しているので、セキュリティ上の効果はない。
【００１７】
また、上記特許文献３では、認証情報として秘密鍵を用いることや情報暗号化が提案されており、車のドアの開閉やエンジンスタートの解除という鍵としての機能は満たされているが、単機能であり、ユーザの状況に応じた使用制限については開示されていない。更に、音声、虹彩、指紋の認証も提案されているが、携帯可能なカメラ等で認識率１００％の確保は難しく、１００回に一回でも認識できない場合があるとかえって不便をかけることになり、コストが掛かる割にはメリットが少ない。
【００１８】
また、情報や機器並びにシステムのセキュリティを確保するための方式として、安全性の高い公開鍵基盤による電子証明書の利用や、認証サーバとネットワークを利用したワンタイムパスワードの利用、が実用に供されているが、いずれも大掛かりなネットワークシステムが必要で、その運用費用は膨大であり、携帯情報機器であるカメラ等には不向きである。
【００１９】
本発明は、上記の点に鑑みてなされたもので、操作が容易で、コストも低く、安全性が高い撮像機器の使用制限機能を実現することが可能な撮像システム及び撮像機器の認証方法を提供することを目的とする。
【課題を解決するための手段】
【００２０】
本発明の撮像システムの一態様は、撮像手段を備えた撮像機器と、該撮像機器の本体とは別体に構成され、該撮像機器本体に対して該撮像機器を制御するための指令を送信することにより上記撮像機器が上記指令に対応した動作を行えるように構成された指令機器と、を含む撮像システムにおいて、
上記指令機器と上記撮像機器の間の指令授受の能力を切り替える能力切替手段を具備することを特徴とする。
【００２１】
また、本発明の撮像機器の認証方法の一態様は、撮像手段を備えた撮像機器と、該撮像機器の本体とは別体に構成され、該撮像機器本体に対して該撮像機器を制御するための指令を送信することにより上記撮像機器が上記指令に対応した動作を行なうように構成された指令機器との間で行われる上記撮像機器の認証方法であって、
上記指令機器と上記撮像機器の間の指令授受の能力を切り替える手段を、上記指令機器及び上記撮像機器の一方又は双方に有し、指令授受の能力を切り替えることを特徴とする。
【発明の効果】
【００２２】
本発明によれば、指令機器と撮像機器の間の指令授受の能力を切り替えることで、セキュリティ上必要な特定の指令が他で傍受されることを防止できる。
【００２３】
従って、操作が容易で、コストも低く、安全性が高い撮像機器の使用制限機能を実現することが可能な撮像システム及び撮像機器の認証方法を提供することができる。
【発明を実施するための最良の形態】
【００２４】
以下、本発明を実施するための最良の形態を図面を参照して説明する。
【００２５】
［第１実施形態］
本発明の第１実施形態に係る撮像システムは、撮像機器と、該撮像機器の本体とは別体に構成され、該撮像機器本体に対して指令を送信することにより上記撮像機器が該指令に対応した動作を行えるように構成された指令機器と、を含む。
【００２６】
図１（Ａ）及び（Ｂ）は、上記撮像機器の一例としてのデジタルカメラ１０の外観構成を示す斜視図である。
【００２７】
即ち、図１（Ａ）に示すように、該デジタルカメラ１０のカメラ本体１２の前面には、撮影用のレンズ部１４、撮影補助光発光用のフラッシュ１６、指令機器、例えば光学式のリモコンよりの指令受光用の受光素子１８、タイマ撮影時の予告表示や指令機器よりの指令確認用の発光素子２０、撮影状態での録音や撮影後の音声メッセージ付加に用いるマイクロフォン２２が配置されている。
【００２８】
また、カメラ本体１２の上面には、シャッタスイッチ２４が設けられている。このシャッタスイッチ２４は、静止画撮影状態では、２段モーションスイッチとなり、その半押しでピント合わせ、全押しでシャッタを切ることが出来る。これに対して、動画撮影状態では、１回押すと撮影を開始し、２回目を押すと撮影を停止する。また、カメラ本体１２の上面には更に、電源のオン、オフのスイッチであるパワースイッチ２６、電源オン時に点灯するパワーランプ２８、撮像機器の指令受信感度の状態を表示する感度表示ランプ３０、３位置切り替えのスライドスイッチであって、静止画撮影状態、動画撮影状態、画像再生状態が選択できるセレクトスイッチ３２、等が配置されている。
【００２９】
カメラ本体１２の内部には、指令機器としての例えば電波式のリモコンよりの信号を受信するためのアンテナ３４が構成されている。なお、上記受光素子１８及びアンテナ３４は、当該デジタルカメラ１０用の指令機器であるリモコンが光学式であるのか電波式であるのかに応じて、何れか一方が有れば良いものである。勿論、両方式のリモコンに対応させる場合には、両方が必要である。
【００３０】
一方、カメラ本体１２の背面には、図１（Ｂ）に示すように、モニタ３６が設けられている。このモニタ３６は、１．８乃至は３インチ超で１１万画素乃至は２３万画素超の液晶等の表示器が用いられ、撮影時の画像確認、撮影後の画像の表示、撮影シーン選択用の撮影例画像表示、撮影条件等の設定メニュー、撮影枚数や電池残量の表示などを行なう。  更に、カメラ本体１２の背面には、十字スイッチ３８、ＯＫボタン４０、メニューボタン４２、ズームスイッチ４４、消去ボタン４６、プリントボタン４８、感度切替ボタン５０等が配置されている。ここで、十字スイッチ３８は、上下左右に押すことが出来る４箇所シーソスイッチであり、モニタ３６上に表示された複数項目の選択時に上下、左右に選択項目を移動する場合や、再生画像の前後の駒送りなどに用いる。ＯＫボタン４０は、条件設定時にモニタ３６上の選択項目を決定するスイッチであり、メニューボタン４２は、条件設定用の各種メニューを表示させるためのスイッチである。ズームスイッチ４４は、左右２箇所のシーソスイッチであり、撮影状態においては、Ｔ側を押すとレンズ部１４のズームレンズを望遠側に動かし、Ｗ側を押すと広角側にズームレンズを駆動する。また、このズームスイッチ４４は、再生状態では、画像の拡大や縮小、あるいはマルチ画面表示の制御にも使われる。再生状態で、消去ボタン４６を押すと、モニタ３６に消去の実行確認の表示が現れて、十字スイッチ３８により消去を選択してＯＫボタン４０を押すと、表示されている画像が消去される。また、再生状態で、プリントボタン４８を押すと、モニタ３６にプリントメニューを表示し、該デジタルカメラ１０とプリンタ（図示せず）が接続されていれば、当該デジタルカメラ１０内の画像を印刷することが出来る。
【００３１】
上記感度切替ボタン５０は、カメラ本体１２の指令受信感度を切り替えるスイッチで、押す毎に高感度、又は低感度に切り替わる。この切り替わった受信感度の状態は、上記感度表示ランプ３０で確認できる。即ち、上記感度表示ランプ３０は、指令機器よりの感度切替指令又は上記感度切替ボタン５０によりカメラ本体１２の指令受信感度が切り替わった時、その表示を切り替える。具体的には、上記感度表示ランプ３０は、ＬＥＤ１個を用いて高感度で消灯、低感度で点灯、あるいは２色ＬＥＤを用いて高感度で赤、低感度で緑のように、あるいはＬＥＤ２個を用いて点灯を切り替えても良い。
【００３２】
なお、上記感度切替ボタン５０を独立して設ける代わりに、後述のメニューの一つとして受信感度切替メニューを備え、メニュー内での選択によって受信感度を切り替えるようにしても良い。また、感度表示ランプ３０を独立して設ける代わりに、モニタ３６に感度表示マーク、例えばＨまたはＬを表示するようにしても良い。
【００３３】
また、カメラ本体１２の側面には、警告音や確認音の発生や、再生状態で録音されている音を再生するスピーカ５２が設けられている。
【００３４】
図２は、撮像機器の別の例としてのデジタルムービカメラ５４の外観構成を示す斜視図である。ここで、上記デジタルカメラ１０と同様の機能部材については、同一の参照番号を付す。即ち、このデジタルムービカメラ５４においては、そのカメラ本体１２の前面には、撮影用のレンズ部１４、撮影補助光発光用のフラッシュ１６、指令機器よりの指令受光用の受光素子１８、タイマ撮影時の予告表示や指令機器よりの指令確認用の発光素子２０、撮影状態での録音や撮影後の音声メッセージ付加に用いるマイクロフォン２２が配置されている。
【００３５】
また、カメラ本体１２の側面には、モニタ３６が回動自在に取り付けられており、撮影中の画像や撮影後の再生画像が表示でき、使わない時にはカメラ本体１２に密着収納できる。更に、カメラ本体１２の側面には、電源のオン、オフと、撮影や再生のモード切り替えが出来る電源モードスイッチ５６が配置されている。
【００３６】
カメラ本体１２の上面には、ズームスイッチ４４が設けられている。このズームスイッチ４４は、左右２箇所のシーソスイッチであり、撮影状態でＴ側を押すとズームレンズを望遠側に動かし、Ｗ側を押すと広角側にレンズを駆動する。また、再生状態では、モニタ３６における画像の拡大や縮小、あるいはマルチ画面表示の制御にも使われる。
【００３７】
この他に、特に図示はしていないが、カメラ本体１２の側面や背面などに、各種接続コネクタ、メニューボタン、シャッタスイッチなどがある。
【００３８】
図３は、指令機器としてのリモコンの種類を示す図である。リモコンには、上記カメラ本体１２がリモコンの認証を行うための認証情報を含む認証情報付き指令（以下、認証指令と記す）を送信する認証情報付きリモコンと、認証情報無し指令（一般指令）を送信する認証情報無しリモコン（以下、普通リモコンと記す）と、の２種類がある。認証指令には、認証情報付きの撮影指令（撮影や再生など）と、認証モード切替指令とがある。一般指令は、認証情報を含まない撮像や再生などの撮影指令である。一般指令機器からの一般指令では、後述するような許可モードにおいては全ての機能について、また制限モードでは制限されていない機能についての指令が行える。認証情報には、後述するような固定リモコン識別情報に加えて、可変リモコン識別情報（乱数や計数値）、ＩＤ情報、機能範囲情報を用いることができる。
【００３９】
上記普通リモコンは、認証情報を持たず、認証モード切り替え機能は無く、指令には認証情報を含まないもので、許可モードあるいは制限モードで使用する。全ての指令の授受の能力は高い状態、即ち指令送信出力が高い状態及び／又はカメラ本体１２の受信感度が高い状態で使用される。従って、該普通リモコンとカメラ本体１２の間の指令授受の距離は、認証指令の授受に比べて長くなる。この普通リモコンは、自宅や限られた場所などで、カメラ本体１２の盗難や置忘れの恐れが少ない場合の使用に向いている。
【００４０】
一方、上記認証情報付きリモコンには、更に、認証モード切替リモコンと認証指令リモコンとの２種類が存在する。
【００４１】
上記認証モード切替リモコンは、認証モード切替指令の発信の場合は認証情報を付け、それ以外の撮影指令等には認証情報を付けないリモコンである。認証モードの切り替えを認証指令で行なう場合、認証モード切替指令の授受の能力は低い状態、即ち指令送信出力が低い状態及び／又はカメラ本体１２の受信感度が低い状態で使用される。従って、該認証モード切替リモコンとカメラ本体１２の間の認証モード切替指令授受の距離は、認証情報無しの一般指令の授受に比べて短くなるため、認証情報の盗聴等の恐れが少なくなり、且つ、近くに怪しい人がいるかどうかの確認も容易となり、認証モードの切り替えの際のリスクを軽減できる。この認証モード切替リモコンは、撮影等は許可モードや制限モードで比較的遠くからリモコン指令が届く一般指令で使用し、撮影をしない間は認証モードを後述するような禁止モードに切り替え、盗難や置忘れに備えておき、撮影等したくなったらまた許可モードあるいは制限モードに切り替えるような使い方に向いている。
【００４２】
上記認証指令リモコンは、撮影指令を含め全ての指令の発信に認証情報を付けるリモコンである。認証指令の授受は指令授受の能力が低い状態、即ち指令送信出力が低い状態及び／又はカメラ本体１２の受信感度が低い状態で行なわれる。従って、該認証指令リモコンとカメラ本体１２の間の認証指令授受の距離は、認証情報無しの一般指令の授受に比べて短くなるため、認証情報の盗聴等の恐れが少なくなり、且つ、近くに怪しい人がいるかどうかの確認も容易となり、指令授受の際のリスクを軽減できる。この認証指令リモコンは、旅行先や混雑している場所などで撮像機器の盗難や置忘れの恐れが大きい場合の使用に向いており、カメラ本体１２を禁止モードに設定しておき、全ての指令を認証指令として送信し、カメラ本体１２の近くでリモコン操作を行なうことにより、カメラ本体１２の盗難や置忘れ時の情報漏れの恐れを少なくすると共に、認証情報の盗聴などのリスクを軽減したい場合に向いている。
【００４３】
図４（Ａ）は、認証モード切替リモコンの一例としてのカメラ用の光学式リモコン５８の外観構成を示す斜視図である。
【００４４】
即ち、この光学式リモコン５８の端面には、指令発信用の発光部６０が構成されており、該発光部６０より指令として撮影などの一般指令や認証モード切替指令を撮像機器であるデジタルカメラ１０やデジタルムービカメラ５４に発信する。
【００４５】
また、この光学式リモコン５８の上面には、撮影指令ボタン６２、認証設定スイッチ６４、感度切替ボタン６６、テレボタン６８、ワイドボタン７０、プラスボタン７２、マイナスボタン７４、等が配置されている。該光学式リモコン５８は、撮影指令ボタン６２が押された時に撮影指令として撮影実行指令を一般指令の形態でカメラ本体１２に発信する。上記認証設定スイッチ６４は、その操作部６４Ａの位置により通常位置と認証位置を切り替えるためのものであり、その位置により他のスイッチ６８〜７４の機能が切り替わるようになっている。また、上記感度切替ボタン６６が押されと、カメラ本体１２の指令受信感度を切り替えるための感度切替指令を認証指令の形態で発信し、詳細は後述するようにカメラ本体１２の指令受信感度を切り替える。
【００４６】
図４（Ｂ）及び（Ｃ）は、上記認証設定スイッチ６４の拡大図である。この認証設定スイッチ６４は、２位置切り替えスイッチであり、操作部６４Ａが図４（Ｂ）のように上方の通常位置６４Ｂにある時は通常位置、図４（Ｃ）のように下方の認証位置６４Ｃにある時は認証位置となる。なお、認証設定スイッチ６４の操作部６４Ａが認証位置６４Ｃにある時に、この光学式リモコン５８より発信する指令送信出力は、詳細は後述する出力切替方法により低出力で送信される。
【００４７】
即ち、テレボタン６８が押された時、操作部６４Ａが通常位置６４Ｂとなっていれば、撮影指令としてカメラ本体１２にレンズ部１４を望遠側に駆動するＴボタン指令を一般指令の形態で発信し、認証位置となっていれば、操作部６４Ａが認証位置６４Ｃとなっていれば、認証モード切替指令としてカメラ本体１２を制限モードに切り替える指令（制限指令）を認証指令の形態で発信する。
【００４８】
ワイドボタン７０押された時には、操作部６４Ａが通常位置６４Ｂでは、撮影指令としてカメラ本体１２にレンズ部１４を広角側に駆動するＷボタン指令を一般指令の形態で発信し、操作部６４Ａが認証位置６４Ｃでは、認証モード切替指令としてカメラ本体１２を設定モードに切り替える指令（設定指令）を認証指令の形態で発信する。
【００４９】
プラスボタン７２が押された時は、操作部６４Ａが通常位置６４Ｂでは、撮影指令として再生時の駒送りやメニュー選択時の選択項目移動の指令を一般指令の形態で発信し、操作部６４Ａが認証位置６４Ｃでは、認証モード切替指令としてカメラ本体１２を禁止モードに切り替える指令（禁止指令）を認証指令の形態で発信する。
【００５０】
マイナスボタン７４が押された時は、操作部６４Ａが通常位置６４Ｂでは、撮影指令として再生時の駒送りやメニュー選択時の選択項目移動の指令を一般指令の形態で発信し、操作部６４Ａが認証位置６４Ｃでは、認証モード切替指令として撮像機器を許可モードに切り替える指令（許可指令）を認証指令の形態で発信する。
【００５１】
なお、カメラ本体１２における各モードの詳細については後で説明する。
【００５２】
図５は、認証モード切替リモコンの他の例として、カメラ用の光学式リモコン７６の外観構成を示す斜視図である。ここで、上記光学式リモコン５８と同様の機能部材については、同一の参照番号を付す。即ち、この光学式リモコン７６においても、その端面に、指令発信用の発光部６０があり、該発光部６０より指令としての一般指令や認証モード切替指令を撮像機器に発信する。そして、上面には、撮影指令ボタン６２、認証設定スイッチ６４、感度切替ボタン６６、テレボタン６８、ワイドボタン７０、十字スイッチ７８、ＯＫボタン８０、メニューボタン８２、プリントボタン８４、情報ボタン８６、消去ボタン８８、回転ボタン９０、保護ボタン９２、等が配置されている。
【００５３】
該光学式リモコン７６は、撮影指令ボタン６２が押された時に、撮影指令として撮影実行指令を一般指令の形態でカメラ本体１２に発信する。また、テレボタン６８とワイドボタン７０はシーソスイッチとなっており、テレボタン６８が押された時は撮影指令としてＴボタン指令を一般指令の形態で発信し、それを受信したカメラ本体１２においては、撮影状態であればレンズ部１４を望遠側に駆動し、再生状態であればモニタ３６における画像の拡大やマルチ画面の表示制御を行うようになっている。同様に、ワイドボタン７０が押された時は撮影指令としてＷボタン指令を一般指令の形態で発信し、それを受信したカメラ本体１２において、撮影状態ではレンズ部１４を広角側に駆動し、再生状態ではモニタ３６における画像の縮小やマルチ画面の表示の制御を行う。
【００５４】
また、十字スイッチ７８は、上下左右に押すことが出来る４箇所シーソスイッチであり、その押された方向に応じた操作指令を撮影指令として一般指令の形態で発信する。これは、カメラ本体１２におけるモニタ３６上に表示された複数項目の選択時に上下、左右に選択項目を指示する場合や、再生画像の前後の駒送りなどに用いられる。ＯＫボタン８０は、条件設定時にモニタ３６上の選択項目を決定するスイッチであり、それが押された時にＯＫ指令を撮影指令として一般指令の形態で発信する。メニューボタン８２は、条件設定用の各種メニューをモニタ３６に表示させるためのスイッチであり、それが押された時に撮影指令としてメニュー指令を一般指令の形態で発信する。
【００５５】
また、消去ボタン８８が押されると撮影指令として消去指令を一般指令の形態で発信し、カメラ本体１２においては、それを受信した時に再生状態で消去が機能制限されていなければ、モニタ３６に消去の実行確認の表示を行う。そして、十字スイッチ７８により消去を選択した上で、ＯＫボタン８０が押されると、表示されている画像が消去されるものである。
【００５６】
また、感度切替ボタン６６が押されると、カメラ本体１２の指令受信感度を切り替えるための感度切替指令を認証指令の形態で発信し、詳細は後述するようにカメラ本体１２の指令受信感度を切り替える。
【００５７】
認証設定スイッチ６４は、図４（Ｂ）及び（Ｃ）と同様に、その操作部６４Ａの位置により通常位置６４Ｂと認証位置６４Ｃを切り替えるためのものであり、その位置により他のボタン８４〜９２の機能が切り替わるようになっている。なお、認証設定スイッチ６４の操作部６４Ａが認証位置６４Ｃにある時に、この光学式リモコン７６より発信する指令送信出力は、詳細は後述する出力切替方法により低出力で送信される。
【００５８】
即ち、操作部６４Ａが通常位置６４Ｂでプリントボタン８４が押された時には、撮影指令として印刷指令を一般指令の形態で発信し、それを受信したカメラ本体１２においては、モニタ３６にプリントメニューを表示し、当該カメラ本体１２とプリンタが接続されていればカメラ本体１２内の画像を印刷することが出来る。これに対して、操作部６４Ａが認証位置６４Ｃでプリントボタン８４が押されると、認証モード切替指令として設定指令を認証指令の形態で発信し、その受信に応じてカメラ本体１２が設定モードに切り替わる。
【００５９】
また、操作部６４Ａが通常位置６４Ｂで情報ボタン８６が押された時には、撮影指令として情報表示指令を一般指令の形態で発信し、それを受信したカメラ本体１２においては、モニタ３６に表示画像の情報を表示する。これに対して、操作部６４Ａが認証位置６４Ｃで情報ボタン８６が押された場合には、認証モード切替指令として制限指令を認証指令の形態で発信し、その受信に応じてカメラ本体１２が制限モードに切り替わる。
【００６０】
また、操作部６４Ａが通常位置６４Ｂで回転ボタン９０が押された時には、撮影指令として回転指令を一般指令の形態で発信し、それを受信したかめらにおいては、モニタ３６の表示画像が９０度回転する。これに対して、操作部６４Ａが認証位置６４Ｃで回転ボタン９０が押された場合には、認証モード切替指令として許可指令を認証指令の形態で発信し、その受信に応じてカメラ本体１２が許可モードに切り替わる。
【００６１】
そして、操作部６４Ａが通常位置６４Ｂで保護ボタン９２が押されると、撮影指令として保護指令を一般指令の形態で発信し、それを受信したカメラ本体１２においては、モニタ３６の表示画像に保護フラグをつけ、消去できないように保護する。なお、この保護フラグは、上記メニューボタン８２の操作によるメニューで解除することが出来る。これに対して、操作部６４Ａが認証位置６４Ｃで保護ボタン９２が押された時には、認証モード切替指令として禁止指令を認証指令の形態で発信し、その受信に応じてカメラ本体１２が禁止モードに切り替わる。
【００６２】
図６は、認証モード切替リモコンの更に別の例として、カメラ用の電波式リモコン９４の外観構成を示す斜視図である。ここで、上記光学式リモコン５８と同様の機能部材については、同一の参照番号を付す。即ち、この電波式リモコン９４においては、指令電波を発信するアンテナ９６が内蔵されており、該アンテナ９６によって指令を撮像機器に発信する。
【００６３】
この電波式リモコン９４の上面には、撮影指令ボタン６２、感度切替ボタン６６、テレボタン６８、ワイドボタン７０、プラスボタン７２、マイナスボタン７４、制限ボタン９８、設定ボタン１００、禁止ボタン１０２、許可ボタン１０４、等が配置されている。撮影指令ボタン６２が押された時には、撮影指令として撮影実行指令をカメラ本体１２に発信する。また、テレボタン６８が押された時は、カメラ本体１２にレンズ部１４を望遠側に駆動するＴボタン指令を撮影指令として発信する。ワイドボタン７０が押された時は、カメラ本体１２にレンズ部１４を広角側に駆動するＷボタン指令を撮影指令として発信する。プラスボタン７２が押された時は、再生時の駒送りやメニュー選択時の選択項目移動の指令を撮影指令として発信する。マイナスボタン７４が押された時は、再生時の駒送りやメニュー選択時の選択項目移動の指令を撮影指令として発信する。
【００６４】
以上の指令は、一般指令として高出力で送信される。これに対して、以下の認証モード切替指令は、認証指令として低出力で送信される。
【００６５】
即ち、制限ボタン９８が押された時は、認証モード切替指令として制限指令を発信し、その受信に応じてカメラ本体１２が制限モードへ切り替わる。設定ボタン１００が押された時には、認証モード切替指令として設定指令を発信し、その受信に応じてカメラ本体１２が設定モードに切り替わる。禁止ボタン１０２が押された時には、認証モード切替指令として禁止指令を発信し、その受信に応じてカメラ本体１２が禁止モードに切り替わる。許可ボタン１０４が押された時には、認証モード切替指令として許可指令を発信し、その受信に応じてカメラ本体１２が許可モードに切り替わる。
【００６６】
また、感度切替ボタン６６が押されると、カメラ本体１２の指令受信感度を切り替えるための感度切替指令を発信し、詳細は後述するようにカメラ本体１２の指令受信感度を切り替える。
【００６７】
このように、この電波式リモコン９４では、上記光学式リモコン５８や７６のような認証設定スイッチは無く、撮影指令用のボタンと認証モード切り替え用のボタンは独立している。なお、認証モードの切り替えは重要なので、ミスタッチなどによる誤操作を防止するために、ボタン９８〜１０４の何れかと撮影指令ボタン６２とを同時に押した時に、対応する認証モードへの切替指令を発信するようにしても良い。
【００６８】
なお、このようなボタン配置を有する電波式リモコン９４の他の構成例として、全ての指令に認証情報を付けて認証指令として送信することにより、認証指令リモコンを実施できる。
【００６９】
また、このようなボタン配置を有する光学式リモコンにより、認証指令リモコンを実施することもできる。
【００７０】
図７は、普通リモコンの例としてのカメラ用の光学式リモコン１０６の外観構成を示す斜視図である。ここで、上記光学式リモコン５８，７６、電波式リモコン９４と同様の機能部材については、同一の参照番号を付す。この認証機能を持たない光学式リモコン１０６の場合は、一般指令のみを送信可能であり、認証設定スイッチ６４を持たず、後述するように、カメラ本体１２が許可モードあるいは制限モードで許可されている機能に対する指令を発信することができる。
【００７１】
即ち、この光学式リモコン１０６では、その端面に、指令発信用の発光部６０があり、該発光部６０より指令を一般指令の形態でカメラ本体１２に発信する。そして、上面には、撮影指令ボタン６２、テレボタン６８、ワイドボタン７０、十字スイッチ７８、ＯＫボタン８０、メニューボタン８２、プリントボタン８４、情報ボタン８６、消去ボタン８８、回転ボタン９０、保護ボタン９２、等が配置されている。
【００７２】
なお、本光学式リモコン１０６と同様のボタン配置を持つ電波式リモコンを構成することも可能であり、その場合には、発光部６０に代えて、図７に破線で示すように、指令電波を発信するアンテナ９６が内蔵されて、該アンテナ９６によって指令を一般指令の形態でカメラ本体１２に発信する。勿論、光学式と電波式の両機能を持ったリモコンを構成することも可能であり、その場合は、発光部６０とアンテナ９６を有し、それぞれに対応する回路を持たせても良い。
【００７３】
この光学式リモコン１０６は、撮影指令ボタン６２が押された時に、撮影指令として撮影実行指令を一般指令の形態でカメラ本体１２に発信する。また、テレボタン６８が押された時は撮影指令としてＴボタン指令を一般指令の形態で発信し、ワイドボタン７０が押された時は撮影指令としてＷボタン指令を一般指令の形態で発信する。十字スイッチ７８は、上下左右に押すことが出来る４箇所シーソスイッチであり、その押された方向に応じた操作指令を撮影指令として一般指令の形態で発信する。ＯＫボタン８０が押された時は撮影指令としてＯＫ指令を一般指令の形態で発信する。メニューボタン８２が押された時は撮影指令としてメニュー指令を一般指令の形態で発信する。また、消去ボタン８８が押された時は撮影指令として消去指令を一般指令の形態で発信する。
【００７４】
また、プリントボタン８４が押された時には、撮影指令として印刷指令を一般指令の形態で発信する。情報ボタン８６が押された時には、撮影指令として情報表示指令を一般指令の形態で発信する。回転ボタン９０が押された時には、撮影指令として回転指令を一般指令の形態で発信する。保護ボタン９２が押されると、撮影指令として保護指令を一般指令の形態で発信する。
【００７５】
なお、上記リモコン５８，７６，９４，１０６はそれぞれ指令機器の例であり、上記構成に限定されるものではないことは勿論である。例えば、リモコン５８又は７６のスイッチ及びボタン配置を持った電波式リモコンや、リモコン９４のスイッチ及びボタン配置を持つ光学式リモコンであっても構わないし、更にスイッチ、ボタンを追加しても構わない。
【００７６】
図８は、上記デジタルカメラ１０の電気的な構成を示すブロック図である。上記レンズ部１４は、被写体の像を撮像素子１０８上に結像させる。撮像機器の種類によって一眼レフタイプやレンズシャッタタイプ、あるいはズーム機能、オートフォーカス機能、明るさ絞り機能などを含む。撮像素子１０８は、被写体の像を電気信号に変換するもので、ＣＣＤタイプやＣＭＯＳタイプの撮像素子が用いられ、画素数は１００万画素クラスから１０００万画素超クラスが用いられる。撮像処理回路１１０は、撮像素子１０８からの信号を処理しＡ／Ｄ変換して、メニュー等で設定されている所定のフォーマットで内蔵メモリ１１２あるいは着脱メモリ１１４に記録する。そのフォーマットとしては、画像圧縮しないＲＡＷデータ形式や標準圧縮方式によるＪＰＥＧ形式あるいは動画の場合はモーションＪＰＥＧ形式やＭＰＥＧ２、ＭＰＥＧ４形式などが用いられる。
【００７７】
受信部１１６は、上記電波式リモコン９４等の電波式リモコンよりの指令電波をアンテナ３４で受信した信号を、増幅、復調し、主制御部１１８と協調してデコードして指令データに変換する。詳細は後述するが、該受信部１１６は、その受信能力を切り替えることが出来る。具体的には、主制御部１１８と協調して増幅部の増幅率を切り替えたり、減衰器を用いて受信感度を下げるなどにより受信感度を切り替える。受信感度を下げて認証指令を受信することにより、認証指令を受け入れる範囲を、一般指令の受信に比べて限定して、操作者が意図した範囲からの指令を受信することにより、認証指令授受の安全性を高めることが出来る。
【００７８】
受光部１２０は、上記光学式リモコン５８，７６，１０６等の光学式リモコンよりの指令光を受光素子１８で電気信号に変換し、増幅、復調し、主制御部１１８と協調してデコードして指令データに変換する。詳細は後述するが、該受光部１２０は、その受光能力を切り替えることが出来る。具体的には、主制御部１１８よりの切替指示に応じて増幅部の増幅率を切り替えたり、減衰器を用いて受光感度を下げるなどにより受光感度を切り替える。受光感度を下げて認証指令を受光することにより、認証指令を受け入れる範囲を、一般指令の受光に比べて限定して、操作者が意図した範囲からの指令を受光することにより、認証指令授受の安全性を高めることが出来る。
【００７９】
なお、リモコンが光学式あるいは電波式の何れか一方のみ用いられる場合は、対応するアンテナ３４及び受信部１１６あるいは受光素子１８及び受光部１２０があれば良いことは勿論である。
【００８０】
ズーム制御部１２２は、静止画あるいは動画撮影が可能な場合に、カメラ本体１２のズームスイッチ４４あるいはリモコン５８，７６，９４又は１０６のテレボタン６８もしくはワイドボタン７０が操作されたとき、レンズ部１４を駆動する。露光制御部１２４は、デジタルカメラ１０に設定されている撮影条件にしたがって被写体の明るさに応じて絞りの制御や撮像素子１０８の制御を行なう。測距制御部１２６は、撮像素子１０８からの信号を用いてレンズ部１４の駆動及び合焦検出制御を行なう。
【００８１】
画像処理回路１２８は、主制御部１１８のＣＰＵ及びプログラムと協調して、画像の拡大縮小、圧縮伸長、歪補正、色補正、ノイズ除去、合成、回転などの処理を行なう。着脱メモリ１１４は、画像記録用のメモリであり、半導体メモリカードやハードディスクドライブで構成され、カメラ本体１２のコネクタ（図示せず）に着脱できる。この着脱メモリ１１４としては、数十メガバイトから数ギガバイトのものが用いられ、画像やその属性情報が記録される。暗号化・復号化回路１３０は、着脱メモリ１１４に画像を記録する際に暗号化して記録する場合及び暗号化された画像を復号化する場合に用いる。ただし、処理を主制御部１１８のＣＰＵでプログラムで行なう場合は省略することができる。外部インターフェイス１３２は、デジタルカメラ１０とプリンタやパソコンあるいはハードディスクなどの外部記憶装置やテレビジョン受像機（以下、テレビと略記する）などとの接続のための信号変換機能とコネクタを含む。プリンタとの接続にはピクトブリッジ、パソコンや外部記憶装置とはＵＳＢ、テレビとはビデオケーブル等で接続することが出来る。
【００８２】
バス１３４は、各部を結ぶ共通信号線群であり、データバス、アドレスバス、コントロールバスなどである。主制御部１１８は、特に図示はしていないが、ＣＰＵ、ＲＯＭ、ＲＡＭ、レジスタ、カウンタ、タイマ、書き換え可能な不揮発性メモリなどを含むマイクロコンピュータシステムであり、当該デジタルカメラ１０全体の制御や表示、データ処理を司る。また、この主制御部１１８は、該主制御部１１８内の不揮発性メモリに記録した当該デジタルカメラ１０に対応する認証モード切替リモコン及び認証指令リモコンを識別するための固定リモコン識別情報を認証情報として用いて、リモコン５８，７６又は９４からの認証情報を認識する認証情報認識部１１８Ａを有している。本第１実施形態では、固定リモコン識別情報を認証情報として用いる。なお、上記固定リモコン識別情報の記録は、当該デジタルカメラ１０の工場出荷前あるいは販売前に行なっておくことが望ましい。更に、この固定リモコン識別情報は、不正利用を防止する観点から、暗号化されていることが望ましい。
【００８３】
内蔵メモリ１１２は、撮影した画像を当該内蔵メモリ１１２のみに記録することが選択されている場合の画像等の記録、あるいは禁止モードにおける撮影画像等の記録、あるいは制限モード及び許可モードにおいて着脱メモリ１１４が一杯あるいは無い場合にも画像の記録が出来る、当該デジタルカメラ１０から取り出し出来ないメモリである。この内蔵メモリ１１２としては、数十メガバイトから数ギガバイトの半導体メモリあるいは数百メガバイトから十ギガバイトクラスの超小型ハードディスクが好適である。
【００８４】
モードメモリ１３６は、不揮発性メモリで構成され、認証モードの記憶、保持をすることができる。電源がオフでも記憶は保持されており、これにより、禁止モード等が設定されていて故意あるいは過失で電池が抜かれたまま放置された場合であっても禁止モード等は保持され、次の電源オン時には禁止モード等になる。
【００８５】
フラッシュ１６は、静止画撮影時に、メニューで設定されたフラッシュモード、例えば暗い時や逆光で自動発光するモード、弱く発光するソフト発光モード、本発光前に数回の予備発光をする赤目軽減モード、必ず発光する強制発光モード、発光しない発光禁止モード、にしたがってフラッシュ発光を行なう。発光部１３８は、発光素子２０の点灯を制御する。表示制御部１４０は、モニタ３６に撮影画像や再生画像、メニューや情報及び警報用の文字や記号の表示制御を行なう。音声処理部１４２は、撮影時にマイクロフォン２２で拾った音を処理して記録させることや、再生時に記録されている音を再生処理してスピーカ５２に供給したり、警報音等をスピーカ５２に供給する。
【００８６】
電源回路１４４は、電池１４６あるいは外部の電源（図示せず）からの電力を、各部に必要な電圧に変換して供給する。電池１４６は交換可能で、リチュームイオン充電電池や乾電池が用いられる。
【００８７】
禁止タイマ１４８は、タイマスタート後、予め設定された時間が経過した時、時間切れとなり、モードメモリ１３６の認証モードを禁止モードに設定する。電池１４６及び電源回路１４４と協働してカメラ本体１２の電源がオフの状態であっても禁止タイマ１４８には電源が供給されており、カウントを続け予め設定された時間が経過した時、時間切れとなりモードメモリ１３６の認証モードを禁止モードにする。この際、短時間、主制御部１１８とモードメモリ１３６に電源を供給して禁止モードをプログラムで設定する様に構成することもできる。あるいは、主制御部１１８は介さずに禁止タイマ１４８自身でモードメモリ１３６の禁止設定が行なえるよう、禁止モード設定アドレスの発生と、禁止モードデータの発生及び制御バスの短時間駆動によって、モードメモリ１３６に禁止モードの設定を行なっても良い。また、電源回路１４４に電圧監視機能を持たせて、回路動作にとって電圧が不十分なレベルになる前に禁止モードを設定するようにしても良い。電池１４６が抜き取られた場合に、バックアップ電池あるいはキャパシタの有無等を考慮して予め設定された時間後に禁止モードに強制移行しても良い。
【００８８】
このような方式を採用することにより、故意あるいは過失により電池１４６が抜き取られたまま、あるいは消耗したまま放置されてバックアップ用の電池あるいはキャパシタの電気も消耗してしまい禁止タイマ１４８がカウントできなくなって、予め設定した時間が経過しても禁止モードを設定することができなくなってしまい、当該デジタルカメラ１０が使用できてしまうことを防止できる。
【００８９】
パワースイッチ２６でカメラ本体１２の電源のオン、オフを行い、オンのときはパワーランプ２８が点灯している。シャッタスイッチ２４、感度表示ランプ３０、セレクトスイッチ３２、十字スイッチ３８、ＯＫボタン４０、メニューボタン４２、ズームスイッチ４４、消去ボタン４６、プリントボタン４８、感度切替ボタン５０は、図１（Ａ）及び（Ｂ）を参照して説明した通りである。各スイッチ及びボタンは、主制御部１１８のＣＰＵの割り込みライン及び／又は入出力ポートに接続されている。
【００９０】
デジタルムービカメラ５４の場合、外観等は長時間の動画撮影時の操作性等を考慮した形状になっているが、基本的な機能構成は、図８に示したデジタルカメラ１０のそれと同様である。
【００９１】
図９は、デジタルカメラ１０における上記受光部１２０の構成を示すブロック図である。受光素子１８は、光学式リモコン５８，７６又は１０６よりの光を電流に変換する。なお、受光素子１８の前面には、使用波長に合わせた光を通す光学フィルタ（図示せず）を設けて外乱光の影響を除去することが望ましい。上記受光素子１８で変換された電流は、増幅部１２０Ａで増幅され、フィルタ部１２０Ｂで搬送波周波数に合わせた帯域が通過された後、検波部１２０Ｃで検波され、積分部１２０Ｄで搬送波周波数成分が除去されて信号成分が再生され、波形整形部１２０Ｅで整形されて、デコーダ部１２０Ｆで指令に対応した情報に変換される。
【００９２】
また、上記増幅部１２０Ａには、感度切替部１２０Ｇが設けられている。該感度切替部１２０Ｇには、カメラ本体１２の感度切替ボタン５０が押されたとき、及びデコーダ部１２０Ｆで変換した情報が光学式リモコン５８又は７６よりの感度切替指令であった場合に、主制御部１１８より感度切替信号１２０Ｈが供給される。この感度切替信号１２０Ｈに応じて、感度切替部１２０Ｇは、当該増幅部１２０Ａの増幅率を切り替えたり、減衰器を用いて受光感度を下げるなどにより、指令光の受光感度を切り替える。特に、認証指令受信時には受光感度を下げることにより、認証指令を受け入れる範囲を、一般指令の受光時に比べて限定して、操作者が意図した範囲での指令を受光することにより、認証指令授受の安全性を高めることが出来る。
【００９３】
図１０は、デジタルカメラ１０における上記受信部１１６の構成を示すブロック図である。アンテナ３４は、電波式リモコン９４よりの電波を電流に変換する。このアンテナ３４で変換された電流は、増幅部１１６Ａで増幅され、フィルタ部１１６Ｂで搬送波周波数に合わせた帯域が通過された後、検波部１１６Ｃで検波され、積分部１１６Ｄで搬送波周波数成分が除去されて信号成分が再生され、波形整形部１１６Ｅで整形されて、デコーダ部１１６Ｆで指令に対応した情報に変換される。
【００９４】
上記増幅部１１６Ａには、感度切替部１１６Ｇが設けられている。該感度切替部１１６Ｇには、カメラ本体１２の感度切替ボタン５０が押されたとき、及びデコーダ部１１６Ｆで変換した情報が電波式リモコン９４よりの感度切替指令であった場合に、主制御部１１８より感度切替信号１１６Ｈが供給される。この感度切替信号１１６Ｈに応じて、感度切替部１１６Ｇは、当該増幅部１１６Ａの増幅率を切り替えたり、減衰器を用いて受信感度を下げるなどにより、指令電波の受信感度を切り替える。特に、認証指令受信時には受信感度を下げることにより、認証指令を受け入れる範囲を、一般指令の受信時に比べて限定して、操作者が意図した範囲での指令を受信することにより、認証指令授受の安全性を高めることが出来る。
【００９５】
図１１は、上記光学式リモコン５８の電気的な構成の例を示すブロック図である。制御部１５０は、ボタン６２，６６〜７４の何れかがオンになった時、認証設定スイッチ６４の状態を読み取り、その状態に対応した指令信号を発生する。また、この制御部１５０は、撮像機器と対応する認証情報付きリモコンを識別するための認証情報としての固定リモコン識別情報を不揮発性メモリに記録しておく認証情報記憶部１５０Ａを有している。この認証情報記憶部１５０Ａへの固定リモコン識別情報の記録は、工場出荷前あるいは販売前に行なっておくことが望ましい。更に、この固定リモコン識別情報は、不正利用を防止する観点から、暗号化されていることが望ましい。
【００９６】
制御部１５０は、ボタンが押し続けられている間は、予め設定された時間、信号を発生する。変調部１５２は、制御部１５０よりの信号で、発振部１５４が発生する搬送波を変調してトランジスタ１５６を駆動し、発光部６０を点滅させる。抵抗１５８は、電流制限用である。発光部６０には、赤外線発光ダイオードで波長が９００〜９５０ｎｍのものが用いられることが多いが、他の波長あるいは可視光でも良い。
【００９７】
また、上記変調部１５２には、制御部１５０の制御に従って、発光部６０から出力する信号出力を切り替える出力切替部１５２Ａが設けられている。この出力切替部１５２Ａにより信号出力を切り替える方法としては、変調部１５２での搬送波に対する変調度を切り替えることにより、受信側での再生信号レベルを制御する。即ち、変調度を大きくすることにより受信側で再生される信号レベルを大きくし、変調度を小さくすることにより受信側で再生される信号レベルを小さくする。
【００９８】
なお、上記のような光学式リモコン５８から、認証設定スイッチ６４、感度切替ボタン６６、認証情報記憶部１５０Ａ、出力切替部１５２Ａを除くことで、普通リモコンを構成することができ、そのような普通リモコンでは、各ボタンに対応した一般指令を通常出力で発光部６０より発信する。
【００９９】
図１２は、上記光学式リモコン５８の電気的な構成の他の例を示すブロック図である。制御部１５０、ボタン６２，６６〜７４、認証設定スイッチ６４、認証情報記憶部１５０Ａ、変調部１５２、発振部１５４、発光部６０、抵抗１５８、は、図１１に示した構成例と同様であるが、本構成例では、変調部１５２には出力切替部１５２Ａが無く、代わりに、制御部１５０の制御により発光部６０に流す電流を制限することにより発光部６０から出力する信号出力を切り替えるための切替スイッチ１６０と抵抗１６２が配置されている。このような構成では、切替スイッチ１６０がオンのときは発光部６０と電源ＶＣＣの間には抵抗１５８のみが接続されるので出力が高くなり、切替スイッチ１６０がオフのときは上記抵抗１５８に直列に抵抗１６２が入ることで発光部６０に流す電流が減少し、出力が下がる。
【０１００】
なお、係る構成の光学式リモコン５８から、認証設定スイッチ６４、感度切替ボタン６６、認証情報記憶部１５０Ａ、切替スイッチ１６０、抵抗１６２を除いた、普通リモコンの場合は、各ボタンに対応した一般指令を通常出力で発光部６０より発信する。
【０１０１】
図１３は、上記光学式リモコン５８の電気的な構成を更に別の例を示すブロック図である。制御部１５０、ボタン６２，６６〜７４、認証設定スイッチ６４、感度切替ボタン６６、認証情報記憶部１５０Ａ、変調部１５２、発振部１５４、発光部６０、抵抗１５８、は、図１２に示した構成例と同様である。本構成例では、該光学式リモコン５８の信号出力の切り替えは、発光部６０を複数設け、点灯数を切り替えることにより行われる。即ち、切替スイッチ１６０がオンのときは発光部６０が複数点灯して出力が高くなり、切替スイッチ１６０がオフのときは点灯数が減ることで出力が下がる。なお、発光部６０及び抵抗１５８は、図１３ではそれぞれ２個としているが、それぞれ３個以上としても良いことは勿論である。また、発光部６０のタイプを変えることによって、即ち発光部６０の波長、出力、発光角度、発光部６０の面積などを変えることにより、実質的な発光出力あるいは受信側から見た有効受信エネルギーを変えても良い。
【０１０２】
なお、係る構成の光学式リモコン５８から、認証設定スイッチ６４、感度切替ボタン６６、認証情報記憶部１５０Ａ、切替スイッチ１６０、該切替スイッチ１６０と直列な抵抗１５８及び発光部６０を除いた、普通リモコンの場合は、各ボタンに対応した一般指令を通常出力で発光部６０より発信する。
【０１０３】
図１４は、上記光学式リモコン７６の電気的な構成の例を示すブロック図である。制御部１５０は、ボタン及びスイッチ６２，６６〜７０，７８〜９２の何れかがオンになった時、認証設定スイッチ６４の状態を読み取り、その状態に対応した指令信号を発生する。また、制御部１５０は、撮像機器と対応する認証情報付きリモコンを識別するための認証情報としての固定リモコン識別情報を不揮発性メモリに記録しておく認証情報記憶部１５０Ａを有している。この認証情報記憶部１５０Ａへの固定リモコン識別情報の記録は、工場出荷前あるいは販売前に行なっておくことが望ましい。更に、この固定リモコン識別情報は、不正利用を防止する観点から、暗号化されていることが望ましい。
【０１０４】
制御部１５０は、ボタン又はスイッチが押し続けられている間は、予め設定された時間、信号を発生する。搬送波周波数として４０ＫＨｚを用いる場合、上記発光部６０を発光ダイオードで構成し、且つ、該制御部１５０として、ワンチップマイコンで直接、発光ダイオードを駆動できるものを用いれば、プログラムで高周波変調信号を発生させ、上記変調部１５２と発振部１５４とトランジスタ１５６を省略する構成をとることが出来る。したがって、電流制限用の抵抗１５８を介して電源に接続されている発光部６０は、直接、制御部１５０に接続される。
【０１０５】
本構成においては、出力信号の切り替えは、制御部１５０の制御により、発光部６０から出力する信号出力を切り替える。信号出力を切り替える方法として、制御部１５０で搬送波に対する変調度を切り替えることにより、受信側での再生信号レベルを制御する。即ち、変調度を大きくすることにより受信側で再生される信号レベルを大きくし、変調度を小さくすることにより、受信側で再生される信号レベルを小さくする。
【０１０６】
図１５は、上記光学式リモコン７６の電気的な構成の他の例を示す部分ブロック図である。制御部１５０とスイッチ６２，６６〜７０，７８〜９２は、図１４に示した構成例と同様であるが、本構成例では、出力切り替えは、変調度の制御ではなく、制御部１５０の制御により発光部６０に流す電流を制限することによって信号出力を切り替えるものである。そのため、本構成例では、切替スイッチ１６０と抵抗１６２とが配されており、切替スイッチ１６０がオンのときは発光部６０と電源ＶＣＣの間には抵抗１５８のみが接続されるので出力が高くなり、切替スイッチ１６０がオフのときは上記抵抗１５８に直列に抵抗１６２が入ることで発光部６０に流す電流が減少し、出力が下がる。
【０１０７】
図１６は、上記光学式リモコン７６の電気的な構成の更に別の例を示す部分ブロック図である。制御部１５０とスイッチ６２，６６〜７０，７８〜９２は、図１４に示した構成例と同様であるが、本構成例では、出力切り替えは、発光部６０を複数設け、制御部１５０の制御によりその点灯数を切り替えることによって信号出力を切り替えるものである。発光部６０が複数点灯すると出力が高くなり、点灯数が減ると出力が下がる。なお、発光部６０及び抵抗１５８は、図１６ではそれぞれ２個としているが、それぞれ３個以上としても良いことは勿論である。また、発光部６０のタイプを変えることによって、即ち発光部６０の波長、出力、発光角度、発光部６０の面積などを変えることにより、実質的な発光出力あるいは受信側から見た有効受信エネルギーを変えても良い。
【０１０８】
図１７は、上記電波式リモコン９４の電気的な構成の例を示すブロック図である。制御部１５０は、ボタン６２，６６〜７４，９８〜１０４の何れかがオンになった時、そのボタンの機能に対応した指令信号を発生する。また、制御部１５０は、認証情報としての固定リモコン識別情報を不揮発性メモリに記録しておく認証情報記憶部１５０Ａを有している。この認証情報記憶部１５０Ａへの固定リモコン識別情報の記録は、工場出荷前あるいは販売前に行なっておくことが望ましい。更に、この固定リモコン識別情報は、不正利用を防止する観点から、暗号化されていることが望ましい。
【０１０９】
制御部１５０は、ボタンが押し続けられている間は、予め設定された時間、信号を発生する。変調部１５２は、制御部１５０よりの信号で、発振部１５４が発生する搬送波を変調して電力増幅部１６４で増幅して、アンテナ９６より電波を輻射する。電力増幅部１６４には、出力切替部１６４Ａがあり、制御部１５０の制御によりの出力切替信号１６６により、電力増幅部１６４からの出力を切り替える。
【０１１０】
なお、図６に示すようなボタン配置を有する電波式リモコン９４を、全ての指令に認証情報を付けて認証指令として送信する認証指令リモコンとして実施する場合には、図１７に示す出力切替部１６４Ａは不要となり、電力増幅部１６４よりの出力は、他のリモコンが一般指令を発信する場合と比較して低出力に設定され、撮像機器との通信距離は相対的に短くなる。
【０１１１】
また、図７に示す普通リモコンである光学式リモコン１０６に関しては、例えば、図１４に示した構成例より、認証設定スイッチ６４、感度切替ボタン６６、認証情報記憶部１５０Ａを除いた構成で、認証情報の付かない一般指令を通常出力で発光部６０より発信する。上記光学式リモコン１０６と同様のボタン配置を持つ電波式リモコンの場合には、図１７に示した構成例より、プラスボタン７２、マイナスボタン７４、制限ボタン９８、設定ボタン１００、禁止ボタン１０２、許可ボタン１０４、認証情報記憶部１５０Ａ、出力切替部１６４Ａ、出力切替信号１５３を除き、十字スイッチ７８、ＯＫボタン８０、メニューボタン８２、プリントボタン８４、情報ボタン８６、消去ボタン８８、回転ボタン９０、保護ボタン９２が有る構成で、認証情報の付かない一般指令を通常出力でアンテナ９６より発信する。
【０１１２】
上記光学式リモコン５８，７６又は１０６の発生する信号を、図１８（Ａ）乃至図１８（Ｄ）を参照して説明する。
【０１１３】
ここで、図１８（Ａ）は、送信データ信号の基本を示す図である。８ビットの１バイトデータを送信する場合、送信データ信号は、リーダコードと、８ビットデータ部と、スットプコードと、から構成される。図１８（Ｂ）は、データ信号１ビットの構成を示す図である。論理「０」の場合、信号単位時間Ｔ＝５００マイクロ秒（以下μＳ）のオンとオフの計１ミリ秒（以下ｍＳ）で表し、論理「１」の場合、１Ｔのオンと３Ｔのオフの計２ｍＳで表す。図１８（Ａ）のデータ信号の場合は、リーダコードが８Ｔのオンと４Ｔのオフで計１２Ｔ＝６ｍＳであり、データ８ビット（「０１０１００１１」）は論理「０」が４個で４ｍＳ、論理「１」が４個で８ｍＳの合計１２ｍＳ、ストップコードは６０Ｔで３０ｍＳであり、合計４８ｍＳとなる。
【０１１４】
図１８（Ｃ）は、データｎバイトを送る場合を示す図であり、リーダコードに続きｎバイトのデータ、最後にストップコードとなる。
【０１１５】
図１８（Ｄ）は、図１１乃至図１３の何れかに示した光学式リモコン５８の変調部１５２の出力波形を示す図である。制御部１５０よりのデータ信号により発振部１５４から供給される搬送波を変調し、トランジスタ１５６を駆動する論理「０」の波形を示している。搬送周波数４０ｋＨｚの場合、１Ｔ＝５００μＳには搬送波２０パルスが入り、発光部６０のＬＥＤを点滅する。
【０１１６】
図１４に示した光学式リモコン７６（及び１０６）の制御部１５０から発光部６０への出力波形においても同様である。
【０１１７】
発光部６０よりの光は、カメラ本体１２側において、受光素子１８で略図１８（Ｄ）の変調波形に近い形の信号に様々なノイズや直流成分が乗った形で再生される。そして、搬送波周波数４０ｋＨｚの帯域通過フィルタ部１２０Ｂで雑音等を除去した後、検波部１２０Ｃと積分部１２０Ｄ及び波形整形部１２０Ｅで図１８（Ｃ）の信号波形が再生され、デコーダ部１２０Ｆでデータに変換される。
【０１１８】
図１９（Ａ）乃至（Ｆ）は、光学式リモコン５８，７６又は１０６の指令のデータフォーマットを示す図である。ここで、図１９（Ａ）乃至（Ｃ）は一般指令の例を、図１２（Ｄ）乃至（Ｉ）は認証指令の例を示している。
【０１１９】
図１９（Ａ）は、図１８（Ｃ）に相当するものであり、基本的には、リーダコード１６６とストップコード１６８で指令の内容を示すデータ部１７０を挟む形で、固定長でも可変長でも良い。また、図１９（Ｂ）に示すように、データ部１７０の前にヘッダ１７２を付けて、データ形式やリモコンの種類などを固定フォームで追加しても良い。更に、図１９（Ｃ）に示すように、データ部１７０の後ろに、エラー検出のためのデータやエラー訂正用のデータ（ＥＣＣ１７４）を添付しても良い。あるいは、市販の家電製品用のリモコンで行なわれているようなデータビットパターンを直後に反転して送り、両者の一致を取ってエラーの有無を検出するようにしても良い。
【０１２０】
本第１実施形態においては、更に、認証情報として固定リモコン識別情報１７６を送信する。この場合、図１９（Ｄ）乃至（Ｆ）に示すように独立した固定リモコン識別情報１７６を付加して送信するようにしても良いし、データ部１７０又はヘッダ１７２の一部に含めて送信することもできる（後者の場合、データフォーマットは図１９（Ａ）乃至（Ｃ）に示すものとなる）。
【０１２１】
この固定リモコン識別情報１７６は、図８で説明した、デジタルカメラ１０の主制御部１１８の認証情報認識部１１８Ａに記憶されている固定リモコン識別情報と同じものであり、リモコンよりの指令が正しいリモコンから送信されたものか否かを判別するために用いる。固定リモコン識別情報１７６は、図１１及び図１２で説明したように、デジタルカメラ１０と対になる光学式リモコン５８，７６の制御部１５０の認証情報記憶部１５０Ａに、同じ情報が書き込まれている。よって、もしリモコン５８又は７６あるいはデジタルカメラ１０が壊れたり紛失した際に、壊れたほうを買いなおす場合には、メーカあるいは販売店で身分証明などで正規の所有者であり盗品等でないことを示して、固定リモコン識別情報を書き直して貰う事ができる。
【０１２２】
図２０は、上記電波式リモコン９４の発生する信号を示す図である。図１７に示した制御部１５０から変調部１５２に供給されるデータ信号は、図１８（Ａ）乃至（Ｃ）と同様である。搬送周波数としては、日本において微弱電波の規制値が厳しくなる３２２ＭＨｚよりも低くなお且つアンテナ９６が短くてすむ３１５ＭＨｚを用い、発振部１５４より変調部１５２に供給しデータ信号で変調すると、図２０に示すような信号波形（図は、論理「０」の波形）が得られる。データ信号１Ｔ＝５００μＳに３１５ＭＨｚの搬送波の周期３．１７μＳの搬送波がおおよそ１５７サイクル含まれる。電力増幅部１６４で所定の出力を得てアンテナ９６より輻射される。
【０１２３】
図１０で説明したように、カメラ本体１２においては、アンテナ３４で受信された電波は、増幅部１１６Ａでノイズやその他の電波と共に増幅され、搬送波周波数３１５ＭＨｚの帯域通過フィルタ部１１６Ｂで雑音等が除去された後、検波部１１６Ｃと積分部１１６Ｄ及び波形整形部１１６Ｅで図１８（Ｃ）の信号波形が再生され、デコーダ部１１６Ｆでデータに変換される。
【０１２４】
電波式リモコン９４においても、図１９（Ａ）乃至（Ｆ）のデータフォーマットが用いられ、その使用方法は上記の光学式リモコンの場合と同様である。
【０１２５】
図２１は、カメラ本体１２の認証モードを示す図である。同図に示すように、認証モードには、「禁止モード」、「制限モード」、「設定モード」、及び「許可モード」の４種類がある。
【０１２６】
「禁止モード」は、認証情報付きリモコン以外での使用を不可とするモードである。認証情報付きリモコンからの認証指令がないとカメラ本体１２の操作は出来ないので、認証情報付きリモコンをカメラ本体１２とは別に携帯あるいは保管しておき、カメラ本体１２を禁止モードにしておくことにより、万一カメラ本体１２単体を紛失してしまい、そのカメラ本体１２を第三者が入手したとしても、第三者がそのカメラ本体１２を使用することは出来ない。保管時や携帯時に紛失してもカメラ本体１２が使用できないと共に、カメラ本体１２内の画像の漏洩が防止できる。なお、この禁止モードでも、認証情報付きリモコン保有者は、その認証情報付きリモコンを使ってカメラ本体１２を操作することができる。
【０１２７】
「制限モード」は、認証情報付きリモコン、認証機能を持たない普通リモコンの何れにおいても、図２３を参照して後述するような許可されている機能のみが使用できるモードである。この制限モードは、一時的にカメラ本体１２を貸す場合や、本人が使用して撮影のみ行なう場合で、消去や転送を禁止する場合に便利である。
【０１２８】
「設定モード」は、上記制限モードにおける制限機能の設定・変更を認証指令リモコンを用いて行なうことが出来るモードである。
【０１２９】
「許可モード」は、カメラ本体１２を自由に使えるモードであり、本人や家族が盗難等のリスクが少ない自宅など限定された場所で使用する場合や、カメラ本体１２内の画像を消去した状態で他人に貸与する場合に好適な、いわばカメラ本体１２に鍵が掛かっていない状態である。この許可モードでは、認証機能を持たない普通リモコンであっても、認証モードの切り替え以外の全ての機能が実行可能である。
【０１３０】
図２２は、カメラ本体１２の電源の投入時の認証モード設定指定に関する選択を説明する図である。この設定は、メニューを使って、電源投入時にモードメモリ１３６の記憶モードに関係なく強制的に禁止モードとなる設定（「禁止モード」）と、電源投入時にモードメモリ１３６に記憶されている認証モード（「モードメモリ記憶モード」）になる設定との何れかが指定できる。これは、メニューで電源投入時の認証モード設定の画面を表示し、認証情報付きリモコンである光学式リモコン５８又は電波式リモコン９４のプラスボタン７２とマイナスボタン７４、あるいは認証情報付きリモコンである光学式リモコン７６の十字スイッチ７８で選択し、撮影指令ボタン６２により確定する操作で設定する。この設定結果は、モードメモリ１３６又は主制御部１１８内の不揮発性メモリに保存される。
【０１３１】
電源投入時に「禁止モード」となるように設定しておくことにより、認証指令リモコンを持っていて当該認証指令リモコンで指令するか、認証モード切替リモコンで他の認証モードに切り替えない限り、カメラ本体１２単独では使用できない、即ちカメラ本体１２に鍵が掛かった状態にできる。これに対して、電源投入時に「モードメモリ記憶モード」となるように設定しておけば、カメラ本体１２はモードメモリ１３６に記憶されているモードとなり、許可モードであればカメラ本体１２を自由に使用でき、制限モードであれば設定された使用可能機能に従った使用ができる。禁止モード及び設定モードであれば、認証情報付きリモコンが必要である。許可モード及び制限モードになった場合は、禁止タイマ１４８がスタートし、設定された時間が過ぎると禁止モードになる。
【０１３２】
図２３は、制限モードでの使用可能な機能を説明する図である。認証情報付きリモコンの設定スイッチ（光学式リモコン５８では認証設定スイッチ６４及びワイドボタン７０、光学式リモコン７６では認証設定スイッチ６４及びプリントボタン８４、電波式リモコン９４では設定ボタン１００）を押すと設定モードに切り替わり、図２３に示す機能と制限フラグがモニタ３６に表示され、光学式リモコン５８又は電波式リモコン９４のプラスボタン７２とマイナスボタン７４、あるいは光学式リモコン７６の十字スイッチ７８で項目を選択し、撮影指令ボタン６２により可又は不可を確定する操作で設定することが出来る。その設定結果は、機能制限表として、モードメモリ１３６又は主制御部１１８内の不揮発性メモリに保存される。
【０１３３】
ここで、「撮影可」で静止画及び動画の撮影ができる。
【０１３４】
「再生可」で内蔵メモリ１１２及び着脱メモリ１１４内の画像の再生が出来る。更に再生状態で使用可能な機能を細かく設定できる。即ち、「消去可」で消去ができ、「転送可」でパソコン等への転送ができ、「印刷可」でプリンタへの印刷ができ、「編集可」で画像の編集が出来る。
【０１３５】
「メニュー可」で撮影条件の変更などができる。
【０１３６】
また、上述したように、カメラ本体１２のスイッチやボタンが押された場合、カメラ本体１２の主制御部１１８のＣＰＵに割り込みやリセットが掛かり、対応した動作が行なわれる。図２４は、その大略を示した図である。各対応動作の詳細については後述するので、ここでは対応の概要を、デジタルカメラ１０の場合を例に説明するものであり、撮像機器の種類により、対応するスイッチやボタンが無いもの、別の名称となっているもの、等もある。
【０１３７】
カメラ本体１２が電源オフの状態で、パワースイッチ２６が押されると電源が入り、主制御部１１８のＣＰＵにリセットが掛かり動作が開始される。また、電源がオンの状態でパワースイッチ２６が押されると、動作を終了し電源がオフとなる。
【０１３８】
セレクトスイッチ３２が切り替わると、現在の状態を終了し、新たな状態に移行する。シャッタスイッチ２４が押されると、シャッタスイッチオンのフラグを立てる。このフラグはプログラムで読み取られ、撮像動作の開始や終了動作を行なう。メニューボタン４２が押されると、モニタ３６にメニューを表示し、十字スイッチ３８やＯＫボタン４０での設定変更ができる。メニュー表示中に再度メニューボタン４２が押されると、メニュー動作は終了する。ズームスイッチ４４がＴ側あるいはＷ側に押されると、ズーム制御部１２２を駆動する。十字スイッチ３８の何れかが押されると、対応するスイッチフラグを立てる。ＯＫボタン４０が押されると、ＯＫボタンフラグを立てる。消去ボタン４６が押されると、モニタ３６に消去の確認メニューを表示し、対応する確認のスイッチが押されると消去を実行する。プリントボタン４８が押されると、モニタ３６にプリントメニューを表示し、以降所定の印刷動作を行なう。
【０１３９】
また、感度切替ボタン５０が押されると、割り込み信号を発生し、主制御部１１８により受信感度が切り替えられる。受信感度の状態は、感度表示ランプ３０に表示される。感度切替ボタン５０を押すたびに高感度と低感度が切り替わる。あるいは、感度切替ボタン５０が押されると対応するスイッチフラグを立てるものとし、主制御部１１８が詳細は後述するような所定のタイミングで当該スイッチフラグの状態を検出して、当該スイッチフラグが立っていれば受信感度を切り替えるというようにしても良い。なお、電源オン時の感度初期設定を低感度とするか、高感度としておくかは、設計上の選択であるが、本実施形態では低感度としておく。あるいは、工場出荷時は低感度としておき、電源オフ時にその状態をモードメモリ１３６に保存しておき、次の電源オン時にその状態に設定しても良い。
【０１４０】
上記で立てられたフラグは、用途によって読み取られた段階でクリアされる場合と、スイッチやボタンが押し続けられている間（オンの間）は立てておきオフでクリアされる場合がある。
【０１４１】
次に、図２５を参照して、リモコンのスイッチやボタンが押された場合のカメラ本体１２の対応動作の大略を説明する。リモコンの種類により、対応するボタン等が無いものもある。カメラ本体１２は電源オン後、常にリモコンよりの信号を受信し対応する動作ができる状態にある。リモコンよりの信号をキャッチすると割り込みにより処理中のプログラムを中断して、リモコン信号を受信処理して、図１９（Ａ）乃至（Ｆ）で説明したようなリモコンデータフォーマットの受信データを所定のメモリに格納し、その意味するところの指令に沿った動作を行なう。
【０１４２】
また、禁止モード及び設定モードにおいては、リモコンが正規なものかどうかを判別するため、カメラ本体１２側では、主制御部１１８の認証情報認識部１１８Ａにおいて、カメラ本体１２側に記録されている固定リモコン識別情報とリモコンよりの固定リモコン識別情報１７６とを比較して判断する。
【０１４３】
光学式リモコン１０６のような認証機能のない普通リモコンの場合は、固定リモコン識別情報は使用しないが、許可モード及び制限モードで制限されない機能のみ使用できる。禁止モードと設定モードでは使用できない。
【０１４４】
リモコンよりの指令を受けたカメラ本体１２では、主制御部１１８のＣＰＵが、以下のように、そのリモコンよりの受信データを解読した結果に対応してそれぞれの動作を行なう。
【０１４５】
即ち、リモコン５８，７６，９４又は１０６の撮影指令ボタン６２が押された場合は、撮影指令フラグを立てる。このフラグは、撮影状態の場合は、プログラムで読み取られ、撮像動作の開始や終了動作を行なう。設定モードにおいては、認証情報付きリモコンの場合のみ選択項目の確定を行なう。また、リモコン５８，７６，９４又は１０６のテレボタン６８又はワイドボタン７０が押されると、ズーム制御部１２２を駆動する。リモコン５８又は９４のプラスボタン７２又はマイナスボタン７４が押されると、対応するスイッチフラグを立てる。
【０１４６】
リモコン７６又は１０６の十字スイッチ７８の何れかが押されると、対応するスイッチフラグを立てる。リモコン７６又は１０６のＯＫボタン８０が押されると、ＯＫボタンフラグを立てる。リモコン７６又は１０６の情報ボタン８６が押されると、モニタ３６に表示中の画像の情報を表示し、再度押されると、その情報表示を中止する。リモコン７６又は１０６のプリントボタン８４が押されると、モニタ３６にプリントメニューを表示し、以降所定の印刷動作を行なう。リモコン７６又は１０６のメニューボタン８２が押されると、モニタ３６にメニューを表示し、十字スイッチ７８やＯＫボタン８０により設定、変更ができる。メニュー表示中に再度メニューボタン８２が押されると、メニュー動作は終了する。リモコン７６又は１０６の消去ボタン８８が押されると、モニタ３６に消去の確認メニューを表示し、対応する確認のスイッチが押されると、表示中の画像の消去を実行する。リモコン７６又は１０６の保護ボタン９２が押されると、モニタ３６に表示中の画像に保護フラグが付けられる。この保護フラグ付きの画像を上記消去ボタン８８操作により消去しようとすると、誤消去を防ぐための警告がモニタ３６に表示され、消去するには消去の実行を選択して消去する。保護フラグ付きの画像が表示されている状態で保護ボタン９２を押すと、保護フラグが解除される。リモコン７６又は１０６の回転ボタン９０が押されると、モニタ３６に表示されている画像が右９０度回転し、再度押されると左９０度回転画像になり、もう一度押されると元の画像に戻る。
【０１４７】
リモコン５８及び７６の認証設定スイッチが認証側で制限ボタンが押された場合及びリモコン９４の制限ボタン９８が押されると、リモコンから制限指令が発信され、撮像機器は制限モードに切り替わる。リモコン５８及び７６の認証設定スイッチが認証側で禁止ボタンが押された場合及びリモコン９４の禁止ボタン１０２が押されると、リモコンから禁止指令が発信され、撮像機器は禁止モードに切り替わる。リモコン５８及び７６の認証設定スイッチが認証側で設定ボタンが押された場合及びリモコン９４の設定ボタン１００が押されると、リモコンから設定指令が発信され、撮像機器は設定モードに切り替わる。リモコン５８及び７６の認証設定スイッチが認証側で許可ボタンが押された場合及びリモコン９４の許可ボタン１０４が押されると、リモコンから許可指令が発信され、撮像機器は許可モードに切り替わる。
【０１４８】
また、リモコン５８，７６又は９４の感度切替ボタン６６が押されると、リモコン５８，７６又は９４より感度切替指令が認証指令として発信され、カメラ本体１２の受信感度が切り替わり、その状態は感度表示ランプ３０に反映される。なお、リモコン５８，７６又は９４よりの感度切替指令とカメラ本体１２の感度切替ボタン５０の何れかが押されると感度は切り替わる。
【０１４９】
本実施形態では、カメラ本体１２の指令受信感度の切り替えを、カメラ本体１２の感度切替ボタン５０、またはリモコン５８，７６又は９４よりの感度切替指令で行なっているが、どちらか一方のみでも良い。カメラ本体１２側のみの場合、カメラ本体１２の感度切替ボタン５０の代わりに、２位置のスライドスイッチで高感度（Ｈ）、低感度（Ｌ）として切り替え、スイッチの位置を感度の表示と兼用しても良い。リモコン５８，７６又は９４からの感度切替指令のみの場合は、リモコン指令による切り替えと、感度表示ランプ３０の組み合わせが好適である。
【０１５０】
図２６は、認証モードの遷移を説明するための図である。電源オフの状態で（ステップＳ１０）、パワースイッチ２６がオン操作されると（ステップＳ１２）、図２２で説明した電源オン時の認証モード設定指定及びモードメモリ記憶モードを読み込み、禁止モードか否かを判断する（ステップＳ１４）。ここで、禁止モードであると判断された場合には、禁止モードＭ１になる。
【０１５１】
これに対して、上記ステップＳ１４で禁止モード以外であると判断された場合には、許可モードか否かを判断する（ステップＳ１６）。ここで、許可モードであると判断された時には、許可モードＭ４になる。
【０１５２】
上記ステップステップＳ１６において許可モードでもないと判断された時は、制限モードか否かを判断する（ステップＳ１８）。ここで、制限モードであると判断された場合は、制限モードＭ２になる。これに対して、制限モードでもないと判断された場合には、設定モードＭ３になる。
【０１５３】
各モード間の遷移は、認証情報付きリモコン５８，７６又は９４よりの認証情報付きの認証モード切替指令でも切り替えることができ、図中の禁止指令、制限指令、許可指令、設定指令で示すような遷移をする。この認証モード切替指令の送受信は、リモコン５８，７６又は９４よりの指令を低出力に切り替えて行なうか、カメラ本体１２の受信感度を低感度に切り替えて行なうか、あるいは低出力でかつ低感度で行なうことにより、認証モード切替指令の受信範囲を限定する。
【０１５４】
更に、カメラ本体１２単体でも何らかの使用ができる制限モードＭ２及び許可モードＭ４に切り替わった場合は、その時点からカメラ本体１２内の禁止タイマ１４８がカウントを始め（ステップＳ２０）、予め設定された時間が過ぎるとカメラ本体１２は自動的に禁止モードＭ１に切り替わり、以降は認証情報付きリモコンが無いと使用ができない。禁止モードＭ１を解除するためには認証情報付きリモコンが必要である。禁止タイマ１４８は、カメラ本体１２の電源がオフされてもカウントを続け、予め設定された時間が過ぎると自動的に禁止モードＭ１となる。したがって、許可モードＭ４や制限モードＭ２のままカメラ本体１２を紛失しても、予め設定した時間が過ぎるとそのカメラ本体１２は使用できなくなる。設定時間は、使用者がメニューで指定でき、例えば１０分でも、１時間でも、一日でも、一週間でも良い。所有者が使用する場合でも、禁止タイマ１４８を短時間の設定にしておき許可モードＭ４で使用することで、いちいち認証情報付きリモコンで操作しなくてもカメラ本体１２を自由に使えて、かつ万一盗難等にあっても短時間で禁止モードＭ１になるので比較的安全である。
【０１５５】
パワースイッチ２６が再び押されて（ステップＳ２２）、電源がオフされる場合、現在の認証モードをモードメモリ１３６に保存しておく（ステップＳ２４）。そして、電源オフの状態となる（ステップＳ１０）。
【０１５６】
図２７（Ａ）乃至（Ｃ）は、カメラ本体１２の受信感度を切り替えるための感度切替指令のデータフォーマットを示す図である。これらは、図１９（Ｄ）乃至（Ｆ）に示した認証指令のデータフォーマットに感度切替情報１７８を追加した例である。カメラ本体１２は、このようなデータフォーマットの感度切替指令を受信すると、その感度切替指令に含まれる感度切替情報１７８に従って、指令受信感度を低感度あるいは高感度に切り替える。
【０１５７】
この他に、感度切替指令のデータフォーマットとしては、後述の図３２（Ａ）乃至（Ｃ）、図３６（Ａ）乃至（Ｃ）、及び図３８（Ａ）乃至（Ｅ）に示すデータフォーマットに感度切替情報１７８を追加したものであっても良い。
【０１５８】
図２８は、認証指令として、認証情報付きリモコンであるリモコン５８，７６又は９４より感度切替指令を送信した場合の、カメラ本体１２の動作を説明する図である。即ち、認証モード切替指令を送信するに先立ち、リモコン５８，７６又は９４より感度切替指令を送信して（ステップＳ２６）、カメラ本体１２がその感度切替指令を受信すると、当該カメラ本体１２の主制御部１１８は受信感度を切り替える（ステップＳ２８）。続いて、リモコン５８，７６又は９４より認証モード切替指令を送信し（ステップＳ３０）、その認証モード切替指令を受信したならば、カメラ本体１２の主制御部１１８は認証モードを切り替える（ステップＳ３２）。
【０１５９】
図２９（Ａ）は、指令授受能力設定の組み合わせを表しており、指令機器であるリモコン５８，７６又は９４の出力の高低と、撮像機器であるデジタルカメラ１０又はデジタルムービカメラ５４の受信感度の高低との組み合わせで、総合的な授受能力は高、中、低となる。図２９（Ｂ）は、指令の種類と指令授受能力の組合わせの例を示す図であり、認証指令の中で最も重要な認証モード切替指令については指令授受能力を下げ、その他の認証指令は中程度、一般指令は高能力に設定する。勿論、認証指令は低能力、一般指令は高能力のように２種類でも良い。また、認証モード切替指令のみを低能力としても良い。
【０１６０】
特に、禁止モードにおいて、指令の送受信は、リモコン５８，７６又は９４の指令を低出力に切り替えて行なうか、カメラ本体１２の受信感度を低感度に切り替えて行なうか、あるいはリモコン５８，７６又は９４は低出力で且つカメラ本体１２は低感度で行なう、ことにより、指令の受信範囲を限定するという使い方が出来る。また、全ての指令を対象とするのか、認証モード切替指令や制限表の書き替えあるいは再生に関する指令など重要なもののみ送受信能力を下げて、その他の撮影指令はリモコン出力や受信感度は下げないという構成も可能である。
【０１６１】
図３０Ａ乃至図３０Ｇは、撮像機器における状態遷移とプロセスを説明する一連のフローチャートを示している。なお、ここでは撮像機器がデジタルカメラ１０の場合を例に説明するが、デジタルムービカメラ５４の場合も、スイッチ操作等が異なること以外は同様である。
【０１６２】
まず、撮影状態を中心に説明する。図３０Ａに示すように、電源オフの状態において（ステップＳ１０）、パワースイッチ２６が押されると（ステップＳ１２）、カメラ本体１２の電源がオンとなり、モニタ３６に初期画面が表示される（ステップＳ１００）。この初期画面には、電池残量を示すマーク等が表示される。そしてその後、図１８で説明したように、電源オン時の認証モード設定指定及びモードメモリ１３６の記憶モードを読み取り、モードにしたがって分岐する（ステップＳ１０２）。
【０１６３】
ここで、許可モードＭ４又は制限モードＭ２であると判断された場合には、セレクトスイッチ３２の状態を読み取り、静止画撮影状態Ｊ１か、動画撮影状態Ｊ２か、再生状態Ｊ３かにより分岐する（ステップＳ１０４）。
【０１６４】
セレクトスイッチ３２により静止画撮影状態Ｊ１が選択されている場合で制限モードの場合、モードメモリ１３６又は主制御部１１８内の不揮発性メモリに保存されている機能制限表を読んで、撮影が許可されているか否かを判断する（ステップＳ１０６）。ここで、撮影が許可されていないと判断した場合は、モニタ３６に警告を表示し（ステップＳ１０８）、予め設定された時間を待って、上記ステップＳ１０２に戻る。この場合、認証指令リモコンによって設定モードに切り替えて制限表を書き換えない限り、上記ステップＳ１０２→ステップＳ１０４→ステップＳ１０６→ステップＳ１０８→ステップＳ１０２→…の処理ループを回ることになる。よって、そのような場合には、上記ステップＳ１０８の警告表示は、最初の一回だけ、或いは所定回数毎に一回というように、制御するようにしても良い。
【０１６５】
これに対して、制限モードで機能制限表により撮影が許可されていると判断した場合及び許可モードの場合には、モニタ３６にライブ画像を表示し、また、現在の撮影画素数や撮影可能枚数なども表示する（ステップＳ１１０）。そして、シャッタスイッチ２４の一段目がオンになったか否かを判別する（ステップＳ１１２）。ここで、それがオンになっていない場合には、感度切替ボタン５０が押されたか否かをスイッチフラグにより判断し（ステップＳ１１４）、感度切替ボタン５０も押されていなければ、上記ステップＳ１１２に戻る。これに対して、感度切替ボタン５０が押された場合には、受信感度を切り替えると共にその切り替えた受信感度状態を感度表示ランプ３０により表示して（ステップＳ１１６）、上記ステップＳ１１２に戻る。なお、ここでは、感度切替ボタン５０が押されたかどうかをフラグセンスによって検出し、その結果に応じて感度切替を実行するか否かをう決定するものとして説明したが、前述したように、そのようなフラグセンスに従った感度切り替えは行わずに、割り込みによって行うようにしても良いことは勿論である（以下のステップＳ２１２，Ｓ２１４についても同様）。また、特に図示はしていないが、上記ステップＳ１１２及びステップＳ１１４のループ実行中に、ズームスイッチ４４等、他のスイッチやボタンの操作がなされれば、その操作に応じた割り込みが発生して対応する動作が行われることについては言うまでもない。
【０１６６】
上記ステップＳ１１２において、シャッタスイッチ２４の一段目がオンになったと判断したならば、フォーカス合わせを行って（ステップＳ１１８）、シャッタスイッチ２４の２段目がオンになるのを待つ（ステップＳ１２０）。而して、シャッタスイッチ２４の２段目がオンになったならば、静止画を撮影する（ステップＳ１２２）。その後、連写モードに設定されているか否かを確認する（ステップＳ１２４）。ここで、連写モードに設定されていない場合には、短時間、撮影した画像をモニタ３６に表示した後（ステップＳ１２６）、上記ステップＳ１０２に戻る。
【０１６７】
これに対して、連写モードに設定されていた場合には、内蔵メモリ１１２及び／又は着脱メモリ１１４のメモリ残量が所定量以上有るか否か確認し（ステップＳ１２８）、メモリ残量が無い場合は、モニタ３６にメモリフルの警告を表示して（ステップＳ１３０）、上記ステップＳ１０２に戻る。また、メモリ残量が有る場合には、シャッタスイッチ２４がオンのままか否かを確認し（ステップＳ１３２）、オフされていれば上記ステップＳ１０２に戻る。また、シャッタスイッチ２４がオンされている場合には、上記ステップＳ１２２に戻り、次の静止画を撮影する。
【０１６８】
一方、上記ステップＳ１０４において、セレクトスイッチ３２により動画撮影状態Ｊ２が選択されている場合で制限モード場合には、図３０Ｂに示すように、モードメモリ１３６又は主制御部１１８内の不揮発性メモリに保存されている機能制限表を読んで、撮影が許可されているか否かを判断する（ステップＳ１３４）。ここで、撮影が許可されていないと判断した場合は、モニタ３６に警告を表示し（ステップＳ１３６）、予め設定された時間を待って、上記ステップＳ１０２に戻る。この場合、認証指令リモコンによって設定モードに切り替えて制限表を書き換えない限り、上記ステップＳ１０２→ステップＳ１０４→ステップＳ１３４→ステップＳ１３６→ステップＳ１０２→…の処理ループを回ることになる。よって、そのような場合には、上記ステップＳ１３６の警告表示は、最初の一回だけ、或いは所定回数毎に一回というように、制御するようにしても良い。
【０１６９】
これに対して、制限モードで機能制限表により撮影が許可されていると判断した場合及び許可モードの場合には、モニタ３６にライブ画像を表示し、また、現在の撮影画素数での撮影可能時間なども表示する（ステップＳ１３８）。そして、シャッタスイッチ２４が押されるとオンするシャッタスイッチフラグによりシャッタスイッチ２４がオンされたか否かを判別する（ステップＳ１４０）。ここで、シャッタスイッチフラグがオンになっていないと判別した場合には、感度切替ボタン５０が押されたか否かを判断し（ステップＳ１４２）、感度切替ボタン５０も押されていなければ、上記ステップＳ１４０に戻って、ライブ画像の表示を続ける。これに対して、感度切替ボタン５０が押された場合には、受信感度を切り替えると共にその切り替えた受信感度状態を感度表示ランプ３０により表示して（ステップＳ１４４）、上記ステップＳ１４０に戻る。なお、特に図示はしていないが、上記ステップＳ１４０及びステップＳ１４２のループ実行中に、ズームスイッチ４４等、他のスイッチやボタンの操作がなされれば、その操作に応じた動作を行うことは勿論である。
【０１７０】
而して、シャッタスイッチフラグがオンになったならば、そのシャッタスイッチフラグをクリアした後、フォーカス合わせを行い、動画の撮影を開始する（ステップＳ１４６）。この動画撮影中は、内蔵メモリ１１２及び／又は着脱メモリ１１４のメモリ残量をチェックし（ステップＳ１４８）、メモリ残量が無い場合はモニタ３６にメモリフルの警告を表示した上で（ステップＳ１５０）、動画撮影を終了して（ステップＳ１５２）、上記ステップＳ１０２に戻る。これに対して、まだメモリ残量が有る場合には、シャッタスイッチフラグがオンとなったかどうかを確認し（ステップＳ１５４）、それがオフのままである場合は上記ステップＳ１４６に戻って、動画の撮影を続ける。そして、上記シャッタスイッチフラグがオンになった場合は、上記ステップＳ１５２に進んで動画撮影を終了して、上記ステップＳ１０２に戻る。このように、シャッタスイッチ２４が押されてから再度押されるまでの間、動画が撮影される。
【０１７１】
また、図３０Ａに示すように、上記ステップＳ１０４において、セレクトスイッチ３２により再生状態Ｊ３が選択されている場合で制限モードの場合には、モードメモリ１３６又は主制御部１１８内の不揮発性メモリに保存されている機能制限表を読んで、再生が許可されているか否かを判断する（ステップＳ１５６）。ここで、再生が許可されていないと判断した場合には、上記ステップＳ１０８に進んでモニタ３６に警告を表示し、予め設定された時間を待って、上記ステップＳ１０２に戻る。この場合、認証指令リモコンによって設定モードに切り替えて制限表を書き換えない限り、上記ステップＳ１０２→ステップＳ１０４→ステップＳ１５６→ステップＳ１０８→ステップＳ１０２→…の処理ループを回ることになる。よって、そのような場合には、上記ステップＳ１０８の警告表示は、最初の一回だけ、或いは所定回数毎に一回というように、制御するようにしても良い。
【０１７２】
これに対して、制限モードで再生が許可されている場合及び許可モードの場合には、図３０Ｄに示すような再生状態に移行する。即ち、先ず内蔵メモリ１１２及び着脱メモリ１１４の内、最後に記録した最終画像をモニタ３６に表示する（ステップＳ１５８）。次に、スイッチやボタン類が押されたかどうかをチェックし、押された場合で制限モードＭ２の場合は機能制限表により制限機能か否かをチェックする（ステップＳ１６０）。そして、制限機能であると判断した場合には（ステップＳ１６２）、そのスイッチやボタン類の押下は無視して上記ステップＳ１５８に戻る。
【０１７３】
これに対して、当該スイッチ又はボタンが制限機能で無い場合或いは許可モードである場合には、以下のように該当する動作を行なう。
【０１７４】
即ち、カメラ本体１２の十字スイッチ３８が押された場合（ステップＳ１６４）、その内の下スイッチ（アルバム）であれば（ステップＳ１６６）、アルバムに記録されている画像のモニタ３６への表示を行う（ステップＳ１６８）。そして、その表示中にメニューボタン４２が押されると（ステップＳ１７０）、アルバム表示機能を終了して、上記ステップＳ１６０に戻る。なお、アルバムとは、あるイベントに関する画像群を纏めて取り扱えるように、画像群とは別にインデックス情報を持って、そこに画像へのアクセスポインタを書いておき、アルバム名を指定すると一連の画像が一括して表示等できる機能のことである。
【０１７５】
また、十字スイッチ３８の内の上スイッチ（カレンダ）が押された場合には（ステップＳ１７２）、当月一か月分の記録画像をカレンダ形式でモニタ３６に表示する（ステップＳ１７４）。更に十字スイッチ３８で、前月以前の表示を行なったり、日にちを選択してその日の撮影画像を表示することなどもできる。表示中にメニューボタン４２が押されると（ステップＳ１７６）、カレンダ表示機能を終了して、上記ステップＳ１６０に戻る。
【０１７６】
また、十字スイッチ３８の内の右スイッチ（＋）が押された場合には（ステップＳ１７８）、次の画像を表示した後（ステップＳ１８０）、上記ステップＳ１６０に戻る。なお、現在の画像が最終画像の場合は、最初の画像を表示する。また、十字スイッチ３８の内の左スイッチ（−）が押された場合には（ステップＳ１８２）、前の画像を表示した後（ステップＳ１８４）、上記ステップＳ１６０に戻る。なお、現在の画像が最初画像の場合は、最後の画像を表示する。
【０１７７】
ＯＫボタン４０が押された場合には（ステップＳ１８６）、現在の画像が動画であるか否かを確認し（ステップＳ１８８）、動画でない場合には、そのＯＫボタン４０の押下は無視して、上記ステップＳ１６０に戻る。これに対して、現在の画像が動画である場合には、動画を表示して（ステップＳ１９０）、上記ステップＳ１６０に戻る。
【０１７８】
ズームスイッチ４４が押された場合には（ステップＳ１９２）、Ｔボタンであれば（ステップＳ１９４）、表示されている画像を拡大表示して（ステップＳ１９６）、上記ステップＳ１６０に戻る。拡大表示中にＷボタンを押すと、画像の一駒表示に戻る。また、Ｗボタンの場合には（ステップＳ１９８）、表示画像を縮小してインデックス表示をして（ステップＳ２００）、上記ステップＳ１６０に戻る。Ｗボタンを押すたびに、４駒、９駒、１６駒、２５駒に順次一覧表示ができる。縮小一覧表示中にＴボタンを押すと、押すたびに２５駒、１６駒、９駒、４駒、１駒の表示に戻る。
【０１７９】
消去ボタン４６が押された場合には（ステップＳ２０２）、モニタ３６に本当に消去するかの確認表示を行い（ステップＳ２０４）、消去中止が選択された場合は消去せずに、上記ステップＳ１６０に戻る。これに対して、消去実行が選択された場合には、その駒を消去して、一つ前の画像を表示して（ステップＳ２０６）、上記ステップＳ１６０に戻る。なお、消去対象の画像が保護されている場合は、保護画像であることをモニタ３６に警告表示して、消去の実行は無視される。
【０１８０】
プリントボタン４８が押された場合には（ステップＳ２０８）、プリンタへの画像送信等の必要な印刷動作を行なって（ステップＳ２１０）、上記ステップＳ１６０に戻る。
【０１８１】
また、感度切替ボタン５０が押された場合には（ステップＳ２１２）、受信感度を切り替えると共にその切り替えた受信感度状態を感度表示ランプ３０により表示して（ステップＳ２１４）、上記ステップＳ１６０に戻る。
【０１８２】
一方、図３０Ａに示すように、上記ステップＳ１０２において、禁止モードＭ１であると判断された場合、及び、設定モードＭ３であると判断された場合には、認証情報付きリモコンからの認証指令によってのみ動作する。従って、禁止モードＭ１又は設定モードＭ３であると判断された場合には、このステップＳ１０２の判断処理を繰り返すだけとなる。
【０１８３】
認証情報付きリモコン又は認証機能を持たない普通リモコンからの指令を受信すると、図３０Ｅに示すように、主制御部１１８のＣＰＵに割り込みがかかり（ステップＳ２１６）、まず、そのリモコンより受信したのが認証指令であるのか一般指令であるのかを判別する（ステップＳ２１８）。
【０１８４】
ここで、認証情報付きリモコンからの認証指令を受信したと判断した場合には、その認証指令の内容を判断する（ステップＳ２２０）。感度切替指令を受信したと判断した場合には（ステップＳ２２２）、受信感度を切り替えると共にその切り替えた受信感度状態を感度表示ランプ３０により表示して（ステップＳ２２４）、上記ステップＳ１０２に戻る。
【０１８５】
また、認証モード切替指令を受信したと判断した場合には（ステップＳ２２６）、図３０Ｃに示すように、その指令内容によって動作を選択実行する。なお、この認証モード切替指令に応じた動作は、禁止モードに限らず全ての認証モードにおいて実行されるものである。
【０１８６】
即ち、認証モード切替指令が禁止指令の場合には（ステップＳ２２８）、モニタ３６へ禁止モード設定の確認表示を行い、これに応じて認証情報付きリモコンより認証指令又は一般指令として撮影実行指令が送られてきたならば確定と判断して（ステップＳ２３０）、モードメモリ１３６の記憶モードを禁止モードＭ１に設定して（ステップＳ２３２）、上記ステップＳ１０２に戻る。こうして禁止モードＭ１に設定されることで、上記ステップＳ１０２に戻った際には、該ステップＳ１０２の判断処理を繰り返すだけで、カメラ本体１２のスイッチやボタンの操作が受け付けられることはなく、認証情報付きリモコンの操作のみ受け付けるようになる。なお、上記ステップＳ２３０の確認画面は、リモコンボタンへのミスタッチの防止や認証モードの切り替えという重要な機能なので確認のために入れてあるが、省略しても良い。
【０１８７】
また、認証モード切替指令が制限指令の場合には（ステップＳ２３４）、モニタ３６へ制限モード設定の確認表示を行い、これに応じて認証情報付きリモコンより認証指令又は一般指令として撮影実行指令が送られてきたならば確定と判断して（ステップＳ２３６）、モードメモリ１３６の記憶モードを制限モードＭ２に設定して（ステップＳ２３８）、上記ステップＳ１０２に戻る。こうして制限モードＭ２に設定されることで、上記ステップＳ１０２に戻った際には、制限表で許可されている動作のみ、カメラ本体１２のスイッチやボタン操作、あるいはリモコンからの認証指令又は一般指令に応じて行うことが可能となる。なお、上記ステップＳ２３６の確認画面は、リモコンボタンへのミスタッチの防止や認証モードの切り替えという重要な機能なので確認のために入れてあるが、省略しても良い。
【０１８８】
また、認証モード切替指令が設定指令の場合には（ステップＳ２４０）、モニタ３６へ設定モード設定の確認表示を行い、認証指令リモコンより認証指令として撮影実行指令が送られてきたならば確定と判断して（ステップＳ２４２）、モードメモリ１３６の記憶モードを設定モードＭ３に設定し、上記制限表のモニタ３６への表示や変更処理を行なう（ステップＳ２４４）。なお、上記ステップＳ２４２の確認画面は、リモコンボタンへのミスタッチの防止や認証モードの切り替えという重要な機能なので確認のために入れてあるが、省略しても良い。また、上記ステップＳ２４４の制限表の表示・変更処理では、図１６の機能制限表の機能と制限フラグの状態をモニタ３６に表示して、リモコンのプラス、マイナスボタン７２、７４と、テレ、ワイドボタン６８、７０、あるいは十字スイッチ７８とＯＫボタン８０等を使って、制限機能の巡回選択とフラグのオン、オフの設定及び変更を行なう。なお、この制限機能の設定・変更は、認証情報付きリモコンのうち、認証指令リモコンによってのみ行うことができる。而して、設定変更が終わったならば撮影指令ボタン６２が押されるので、認証指令として撮影実行指令が送られてきたならば、その内容を確定してモードメモリ１３６又は主制御部１１８内の不揮発性メモリに保存し（ステップＳ２４６）、上記ステップＳ１０２に戻る。こうして設定モードＭ３に設定されることで、上記ステップＳ１０２に戻った際には、該ステップＳ１０２の判断処理を繰り返すだけで、カメラ本体１２のスイッチやボタンの操作が受け付けられることはなく、認証情報付きリモコンの操作のみ受け付けるようになる。
【０１８９】
また、認証モード切替指令が許可指令の場合には（ステップＳ２４８）、モニタ３６へ許可モード設定の確認表示を行い、認証情報付き光学式リモコンより認証指令又は一般指令として撮影実行指令が送られてきたならば確定と判断して（ステップＳ２５０）、モードメモリ１３６の記憶モードを許可モードＭ４を設定して（ステップＳ２５２）、上記ステップＳ１０２に戻る。こうして許可モードＭ４に設定されることで、上記ステップＳ１０２に戻った際には、カメラ本体１２のスイッチやボタン操作又はリモコン５８，７６，９４又は１０６からの認証指令又は一般指令に応じた全ての動作を行うことが可能となる。なお、上記ステップＳ２５０の確認画面は、リモコンボタンへのミスタッチの防止や認証モードの切り替えという重要な機能なので確認のために入れてあるが、省略しても良い。
【０１９０】
また、図３０Ｅに示すように、上記ステップＳ２２０において認証指令の内容が撮影指令であると判断した場合には（ステップＳ２５４）、モードメモリ１３６の記憶モードを読み取り、モードにしたがって分岐する（ステップＳ２５６）。
【０１９１】
ここで、許可モードＭ４又は制限モードＭ２であると判断された場合には、カメラ本体１２のセレクトスイッチ３２の状態を読み取り、静止画撮影状態Ｊ１か、動画撮影状態Ｊ２か、再生状態Ｊ３かにより分岐する（ステップＳ２５８）。
【０１９２】
セレクトスイッチ３２により静止画撮影状態Ｊ１が選択されている場合で制限モードの場合、モードメモリ１３６又は主制御部１１８内の不揮発性メモリに保存されている機能制限表を読んで、撮影が許可されているか否かを判断する（ステップＳ２６０）。ここで、撮影が許可されていないと判断した場合は、モニタ３６に警告を表示し（ステップＳ２６２）、予め設定された時間を待って、上記ステップＳ１０２に戻る。この場合、認証指令リモコンによって設定モードに切り替えて制限表を書き換えない限り、上記ステップＳ１０２→ステップＳ１０４→ステップＳ１０６→ステップＳ１０８→ステップＳ１０２→…の処理ループを回ることになる。よって、そのような場合には、上記ステップＳ１０８の警告表示は、最初の一回だけ、或いは所定回数毎に一回というように、制御するようにしても良い。
【０１９３】
これに対して、制限モードで機能制限表により撮影が許可されていると判断した場合及び許可モードの場合には、図３０Ｆに示すようなリモコン操作による静止画像の撮像動作に移行する。
【０１９４】
一方、上記ステップＳ２５８において、セレクトスイッチ３２により動画撮影状態Ｊ２が選択されている場合で制限モード場合には、モードメモリ１３６又は主制御部１１８内の不揮発性メモリに保存されている機能制限表を読んで、撮影が許可されているか否かを判断する（ステップＳ２６４）。ここで、撮影が許可されていないと判断した場合は、上記ステップＳ２６２に進んでモニタ３６に警告を表示し、予め設定された時間を待って、上記ステップＳ１０２に戻る。この場合、認証指令リモコンによって設定モードに切り替えて制限表を書き換えない限り、上記ステップＳ１０２→ステップＳ１０４→ステップＳ１３４→ステップＳ１３６→ステップＳ１０２→…の処理ループを回ることになる。よって、そのような場合には、上記ステップＳ１３６の警告表示は、最初の一回だけ、或いは所定回数毎に一回というように、制御するようにしても良い。
【０１９５】
これに対して、制限モードで機能制限表により撮影が許可されていると判断した場合及び許可モードの場合には、図３０Ｆに示すようなリモコン操作による動画像の撮像動作に移行する。
【０１９６】
また、上記ステップＳ２５８において、セレクトスイッチ３２により再生状態Ｊ３が選択されている場合で制限モードの場合には、モードメモリ１３６又は主制御部１１８内の不揮発性メモリに保存されている機能制限表を読んで、再生が許可されているか否かを判断する（ステップＳ２６６）。ここで、再生が許可されていないと判断した場合には、モニタ３６に警告を表示し（ステップＳ２６８）、予め設定された時間を待って、上記ステップＳ１０２に戻る。この場合、認証指令リモコンによって設定モードに切り替えて制限表を書き換えない限り、上記ステップＳ１０２→ステップＳ１０４→ステップＳ１５６→ステップＳ１０８→ステップＳ１０２→…の処理ループを回ることになる。よって、そのような場合には、上記ステップＳ１０８の警告表示は、最初の一回だけ、或いは所定回数毎に一回というように、制御するようにしても良い。
【０１９７】
これに対して、制限モードで再生が許可されている場合及び許可モードの場合には、図３０Ｇに示すようなリモコン操作による再生動作に移行する。
【０１９８】
また、上記ステップＳ２１８において、認証モード切替リモコン又は認証機能を持たない普通リモコンから一般指令を受信したと判断した場合には、モードメモリ１３６の記憶モードを読み取り、モードにしたがって分岐する（ステップＳ２７０）。
【０１９９】
ここで、許可モードＭ４又は制限モードＭ２であると判断された場合には、上記ステップＳ２５８に進む。また、禁止モードＭ１又は設定モードＭ３であると判断された場合には、該普通リモコン又は認証モード切替リモコンからの一般指令ではカメラ本体１２を操作することができないので、上記ステップＳ２６２に進んで、モニタ３６に予め設定された時間警告を表示した後、上記ステップＳ１０２に戻る。そして、上記ステップＳ１０２に戻った際には、該ステップＳ１０２の判断処理を繰り返すだけで、カメラ本体１２のスイッチやボタンの操作が受け付けられることはない。このようにして、許可モードＭ４又は制限モードＭ２の場合には、カメラ本体１２や普通リモコンの操作、及び認証モード切替リモコンの認証モード切替指令送出のための操作以外の操作は受け付けられず、撮影や再生等の操作は認証指令リモコンでしか行えないようにすることができる。
【０２００】
許可モードＭ４又は制限モードＭ２でのリモコン操作による静止画像の撮影動作においては、図３０Ｆに示すように、モニタ３６にライブ画像を表示し（ステップＳ２７２）、上記ステップＳ２１６で受けた認証情報付きリモコンよりの認証指令或いは認証機能を持たない普通リモコンよりの一般指令が、撮影実行指令か否かを判断する（ステップＳ２７４）。ここで、認証指令又は一般指令が撮影実行指令であると判断した場合には、フォーカス合わせを行って（ステップＳ２７６）、静止画を撮影する（ステップＳ２７８）。その後、連写モードに設定されているか否かを判断する（ステップＳ２８０）。ここで、連写モードに設定されていない場合には、短時間、撮影済み画像をモニタ３６に表示した後（ステップＳ２８２）、上記ステップＳ１０２に戻る。この場合、上記ステップＳ１０２→ステップＳ１０４→ステップＳ１０６→ステップＳ１１０→…と進み、カメラ本体１２のシャッタスイッチ２４による次の静止画像の撮影が可能となる。また、普通リモコン又は認証情報付きリモコンからの指令受信による割り込みによっても、次の静止画像の撮影等の動作が可能である。
【０２０１】
これに対して、上記ステップＳ２８０で連写モードに設定されていると判断した場合には、内蔵メモリ１１２及び／又は着脱メモリ１１４のメモリ残量が所定量以上有るか否か確認する（ステップＳ２８４）。そして、メモリ残量が無い場合は、モニタ３６にメモリフルの警告を表示して（ステップＳ２８６）、上記ステップＳ１０２に戻る。この場合、上記ステップＳ１０２→ステップＳ１０４→ステップＳ１０６→ステップＳ１１０→…と進み、連写はメモリ残量が無いので行えないが、カメラ本体１２のシャッタスイッチ２４による次の静止画像の撮影が可能となる。また、普通リモコン又は認証情報付きリモコンからの指令受信による割り込みによっても、次の静止画像の撮影等の動作が可能である。
【０２０２】
また、上記ステップＳ２８４においてメモリ残量が有ると判断した場合には、普通リモコン又は認証情報付きリモコンから撮影実行指令が来ているかを確認し（ステップＳ２８８）、撮影実行指令が来ている場合には、上記ステップＳ２７８に戻り、次の画像を撮影する。即ち、普通リモコン又は認証情報付きリモコンの撮影指令ボタン６２が押されている間、連写が行われる。これに対して、撮影実行指令が来ていない場合には、上記ステップＳ１０２に戻る。この場合、上記ステップＳ１０２→ステップＳ１０４→ステップＳ１０６→ステップＳ１１０→…と進み、カメラ本体１２のシャッタスイッチ２４による次の静止画像の撮影が可能となる。また、普通リモコン又は認証情報付きリモコンからの指令受信による割り込みによっても、次の静止画像の撮影等の動作が可能である。
【０２０３】
また、上記ステップＳ２７４において、受信した認証指令又は一般指令が撮影実行指令ではないと判断した場合には、認証指令又は一般指令が、普通リモコン又は認証情報付きリモコンのテレボタン６８が押されたことによるＴボタン指令であるか否かを判断する（ステップＳ２９０）。ここで、Ｔボタン指令であると判断した場合には、そのＴボタン指令が来ている間、レンズ部１４を望遠側に駆動し（ステップＳ２９２）、Ｔボタン指令が途切れたならば、その駆動を中止して、上記ステップＳ１０２に戻る。この場合、上記ステップＳ１０２→ステップＳ１０４→ステップＳ１０６→ステップＳ１１０→…と進み、カメラ本体１２のシャッタスイッチ２４による次の静止画像の撮影が可能となる。また、普通リモコン又は認証情報付きリモコンからの指令受信による割り込みによっても、次の静止画像の撮影等の動作が可能である。
【０２０４】
また、上記ステップＳ２９０で、Ｔボタン指令を受けたのではないと判断した場合には、認証指令又は一般指令が、普通リモコン又は認証情報付きリモコンのワイドボタン７０が押されたことによるＷボタン指令であるか否かを判断する（ステップＳ２９４）。ここで、Ｗボタン指令であると判断した場合には、そのＷボタン指令が来ている間、レンズ部１４を広角側に駆動し（ステップＳ２９６）、Ｗボタン指令が途切れたならば、その駆動を中止して、上記ステップＳ１０２に戻る。また、上記ステップＳ２９４で、Ｗボタン指令でもないと判断した場合には、上記ステップＳ１０２に戻る。これらの場合、上記ステップＳ１０２→ステップＳ１０４→ステップＳ１０６→ステップＳ１１０→…と進み、カメラ本体１２のシャッタスイッチ２４による次の静止画像の撮影が可能となる。また、普通リモコン又は認証情報付きリモコンからの指令受信による割り込みによっても、次の静止画像の撮影等の動作が可能である。
【０２０５】
一方、許可モードＭ４又は制限モードＭ２でのリモコン操作による動画像の撮影動作においては、図３０Ｆに示すように、モニタ３６にライブ画像を表示し（ステップＳ２９８）、普通リモコン又は認証情報付きリモコンの撮影指令ボタン６２が押されたことによる撮影実行指令の受信に応じてオンする撮影実行指令フラグがオンか否かを判断する（ステップＳ３００）。そして、その撮影実行指令フラグがオンしていると判断した場合には、動画撮影中か否かを判断すると共に、撮影実行指令フラグをクリアする（ステップＳ３０２）。ここで、動画撮影中でないと判断した場合には、フォーカスを合わせて、動画撮影を開始する（ステップＳ３０４）。そして、内蔵メモリ１１２及び／又は着脱メモリ１１４のメモリ残量を確認し（ステップＳ４００）、メモリ残量が無い場合は、モニタ３６にメモリフルの警告を表示した上で（ステップＳ３０８）、動画撮影を終了して（ステップＳ３１０）、上記ステップＳ１０２に戻る。この場合、上記ステップＳ１０２→ステップＳ１０４→ステップＳ１３４→ステップＳ１３８→ステップＳ１４０と進み、該ステップＳ１３８とステップＳ１４０のループを繰り返す。この際、使用者は、上記ステップＳ３０８の警告表示により、もはや動画を撮影できないことは判っているので、カメラ本体１２のセレクトスイッチ３２を切り替えることとなる。
【０２０６】
これに対して、上記ステップＳ４００においてメモリ残量が有ると判断した場合には、上記ステップＳ３０４に戻って、引き続き動画撮影を行う。
【０２０７】
また、上記ステップＳ３０２で、動画撮影中であると判断した場合には、上記ステップＳ３１０に進んで撮影を終了し、上記ステップＳ１０２に戻る。即ち、リモコンからの指令による動画の撮影は、普通リモコン又は認証情報付きリモコンの撮影指令ボタン６２が押されたことによる撮影実行指令の受信から、次の撮影指令ボタン６２が押されたことによる撮影実行指令の受信までの間、行われる。つまり、ステップＳ３０４→ステップＳ４００→ステップＳ３０４のループ中に、撮影実行指令を受信したときに、割り込みによって上記ステップＳ２１６からの動作が実行されて、該ステップＳ３０２で動画撮影中であると判断されて撮影を終了することになる。こうして動画の撮影が終了されて上記ステップＳ１０２に戻った場合、上記ステップＳ１０２→ステップＳ１０４→ステップＳ１３４→ステップＳ１３８→ステップＳ１４０と進み、該ステップＳ１３８とステップＳ１４０のループを繰り返す。これにより、カメラ本体１２のシャッタスイッチ２４による次の動画の撮影が可能となる。また、普通リモコン又は認証情報付きリモコンからの指令受信による割り込みによっても、次の動画の撮影等の動作が可能である。
【０２０８】
また、上記ステップＳ３００で、撮影実行指令フラグがオンしていないと判断した場合には、上記ステップＳ２９０に進んでＴボタン指令か否かを判断する。そして、上述したように、Ｔボタン指令の場合は、そのＴボタン指令が来ている間、レンズ部１４を望遠側に駆動し（ステップＳ２９２）、Ｔボタン指令が途切れたら駆動を中止して、上記ステップＳ１０２に戻る。このＴボタン指令を、上記ステップＳ３０４とステップＳ４００の動画撮影ループ中に受信した場合には、割り込みにより該レンズ部１４の駆動が行われ、ズームアップ撮影が可能となる。そして、上記ステップＳ１０２に戻ったならば、上記ステップＳ１０２→ステップＳ１０４→ステップＳ１３４→ステップＳ１３８→ステップＳ１４０と進み、該ステップＳ１３８とステップＳ１４０のループを繰り返す。このとき、上記ステップＳ３０４とステップＳ４００の動画撮影ループは継続して実行されており、上記光学式リモコン５８，７６又は１０６の撮影指令ボタン６２が押されたことによる撮影実行指令の受信による割り込みで上記ステップＳ３１０に進むまで、動画が撮影される。
【０２０９】
また、上記ステップＳ２９０でＴボタン指令でないと判断した場合には、Ｗボタン指令か否かを判断して（ステップＳ２９４）、Ｗボタン指令の場合は、そのＷボタン指令が来ている間、レンズ部１４を広角側に駆動し（ステップＳ２９６）、Ｗボタン指令が途切れたら駆動を中止して、上記ステップＳ１０２に戻る。この場合も、上記Ｔボタン指令の場合と同様に、動画撮影中であればズームダウン撮影が行われ、次の撮影実行指令の受信による割り込みが行われるまで、動画の撮影が継続される。
【０２１０】
また、上記ステップＳ２９４においてＷボタン指令でもないと判断した場合には、何もせずに上記ステップＳ１０２に戻る。
【０２１１】
このように、動画撮影中は、普通リモコン又は認証情報付きリモコンからの撮影実行指令やＴ、Ｗボタン指令の受信による割り込みで、動画撮影を終了したり、ズーム動作を行ったりすることができる。
【０２１２】
また、動画については、例えば１５秒というように、予め記録時間を限定しておき、その秒数に対応するメモリ量により上記ステップＳ４００のメモリ残量の判別を行うことで、自動的に動画撮影を終了させることもできる。
【０２１３】
一方、許可モードＭ４又は制限モードＭ２でのリモコン操作による再生動作においては、内蔵メモリ１１２又は着脱メモリ１１４に記録されている最終画像をモニタ３６に表示し、認証情報付きリモコン或いは認証機能を持たない普通リモコンのスイッチやボタン類に対応する動作を行なう。
【０２１４】
即ち、図３０Ｇに示すように、上記ステップＳ２１６で受けたリモコンよりの認証指令又は一般指令が、普通リモコン又は認証情報付きリモコンの十字スイッチ７８の操作指令であった場合（ステップＳ３１２）、それが十字スイッチ７８の下方向スイッチ操作による下操作指令（アルバム）であったならば（ステップＳ３１４）、モニタ３６へのアルバムに記録されている画像の表示を行う（ステップＳ３１６）。そして、この表示中に普通リモコン又は認証情報付きリモコンのメニューボタン８２が押されると（ステップＳ３１８）、アルバム表示機能を終了し、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。
【０２１５】
また、十字スイッチ７８の上方向スイッチ操作による上操作指令（カレンダ）であった場合には（ステップＳ３２０）、当月一か月分の記録画像をカレンダ形式でモニタ３６に表示する（ステップＳ３２２）。更に十字スイッチ７８で前月以前の表示を行なったり、日にちを選択してその日の撮影画像を表示したりすることなどもできる。そして、この表示中にメニューボタン８２が押されると（ステップＳ３２４）、カレンダ表示機能を終了し、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。
【０２１６】
また、十字スイッチ７８の右方向スイッチ操作による右操作指令であった場合には（ステップＳ３２６）、モニタ３６に次の画像を表示して（ステップＳ３２８）、上記ステップＳ１０２に戻る。なお、現在の画像が最終画像の場合にこの右方向スイッチが操作されたときには、最初の画像を表示する。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。但し、このステップＳ１０２に戻ってからのステップＳ１５８における表示は、上記ステップＳ３２８で更新された画像の表示が維持される。
【０２１７】
また、十字スイッチ７８の左方向スイッチ操作による左操作指令であった場合には（ステップＳ３３０）、前の画像をモニタ３６に表示して（ステップＳ３３２）、上記ステップＳ１０２に戻る。なお、現在の画像が最初の画像の場合にこの左方向スイッチが操作されたときには、最後の画像を表示する。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。但し、このステップＳ１０２に戻ってからのステップＳ１５８における表示は、上記ステップＳ３２８で更新された画像の表示が維持される。
【０２１８】
また、上記ステップＳ２１６で受けたリモコンよりの認証指令又は一般指令が、普通リモコン又は認証情報付きリモコンのＯＫボタン８０の操作によるＯＫ指令であった場合には（ステップＳ３３４）、現在の画像が動画であるか否かを確認して（ステップＳ３３６）、動画でない場合には無視して、上記ステップＳ１０２に戻る。これに対して、動画であった場合には、その動画を表示して（ステップＳ３３８）、上記ステップＳ１０２に戻る。これらの場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。但し、このステップＳ１０２に戻ってからのステップＳ１５８における表示は、上記ステップＳ３３８で表示された動画の表示が継続される。
【０２１９】
また、上記ステップＳ２１６で受けたリモコンよりの認証指令又は一般指令が、普通リモコン又は認証情報付きリモコンのテレボタン６８の操作によるＴボタン指令であった場合には（ステップＳ３４０）、モニタ３６に表示されている画像を拡大表示して（ステップＳ３４２）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。但し、このステップＳ１０２に戻ってからのステップＳ１５８における表示は、上記ステップＳ３４２で拡大された画像の表示が維持される。
【０２２０】
また、上記ステップＳ２１６で受けたリモコンよりの認証指令又は一般指令が、普通リモコン又は認証情報付きリモコンのワイドボタン７０の操作によるＷボタン指令であった場合には（ステップＳ３４４）、モニタ３６の表示画像を縮小してインデックス形式の表示をして（ステップＳ３４６）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。但し、このステップＳ１０２に戻ってからのステップＳ１５８における表示は、上記ステップＳ３４６での縮小一覧表示が維持される。
【０２２１】
なお、上記ステップＳ３４６の縮小一覧表示は、ワイドボタン７０を押すたびに、４駒、９駒、１６駒、２５駒に順次一覧表できる。また、縮小一覧表示中にテレボタン６８を押すと、押すたびに、上記ステップＳ３４２において、２５駒、１６駒、９駒、４駒、１駒の表示に戻す動作を行う。
【０２２２】
逆に、通常画像表示中のテレボタン６８の押下に応じた上記ステップＳ３４２での拡大表示がなされている場合に、ワイドボタン７０を押すと、上記ステップＳ３４６においてその拡大表示を元の大きさに戻す動作が行われる。
【０２２３】
また、上記ステップＳ２１６で受けたリモコンよりの認証指令又は一般指令が、普通リモコン又は認証情報付きリモコンの消去ボタン８８の操作による消去指令であった場合には（ステップＳ３４８）、本当に消去するかの確認表示をモニタ３６に行い（ステップＳ３５０）、消去中止が選択された場合は消去せずに上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。
【０２２４】
これに対して、上記ステップＳ３５０において消去実行が選択されたと判断した場合には、その駒を消去して、一つ前の画像を表示して（ステップＳ３５２）、上記ステップＳ１０２に戻る。なお、消去対象の画像が保護されている場合は、保護画像であることをモニタ３６に警告表示して、消去の実行は無視される。上記ステップＳ１０２に戻った後は、ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。
【０２２５】
また、上記ステップＳ２１６で受けたリモコンよりの認証指令又は一般指令が、普通リモコン又は認証情報付きリモコンのプリントボタン８４の操作による印刷指令であった場合には（ステップＳ３５４）、プリンタへの画像送信等の必要な印刷動作を行なって（ステップＳ３５６）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。
【０２２６】
また、上記ステップＳ２１６で受けたリモコンよりの認証指令又は一般指令が、普通リモコン又は認証情報付きリモコンの情報ボタン８６の操作による情報表示指令であった場合には（ステップＳ３５８）、モニタ３６に表示されている画像の情報を表示して（ステップＳ３６０）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。但し、このステップＳ１０２に戻ってからのステップＳ１５８における表示は、上記ステップＳ３６０での画像の情報表示が維持される。
【０２２７】
また、上記ステップＳ２１６で受けたリモコンよりの認証指令又は一般指令が、普通リモコン又は認証情報付きリモコンの保護ボタン９２の操作による保護指令であった場合には（ステップＳ３６２）、モニタ３６に表示されている画像に保護フラグを付けて（ステップＳ３６４）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。
【０２２８】
また、上記ステップＳ２１６で受けたリモコンよりの認証指令又は一般指令が、普通リモコン又は認証情報付きリモコンの回転ボタン９０の操作による回転指令であった場合には（ステップＳ３６６）、モニタ３６に表示されている画像を右９０度回転させて（ステップＳ３６８）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。但し、このステップＳ１０２に戻ってからのステップＳ１５８における表示は、上記ステップＳ３６８で回転された画像の表示が維持される。なお、再度、回転ボタン９０が押されると、ステップＳ３６８では元の画像の左９０度回転画像の表示を行い、もう一度押されると、元の画像に戻す。
【０２２９】
また、上記ステップＳ２１６で受けたリモコンよりの認証指令又は一般指令が、普通リモコン又は認証情報付きリモコンのメニューボタン８２の操作によるメニュー指令であった場合には（ステップＳ３７０）、メニューの表示と設定ができる。メニュー機能は多数ある。メニュー設定はトップメニューから階層的に細部の設定が出来る様になっている。トップメニューは、セレクトスイッチ３２の位置によって表示内容が異なるので、セレクトスイッチ３２の位置を読み取り、対応するメニューをモニタ３６に表示する（ステップＳ３７２）。
【０２３０】
静止画撮影状態Ｊ１の場合、ＶＯＩＣＥ録音、マクロ、シーン選択、モードメニューを表示する。動画撮影状態Ｊ２の場合、ＶＯＩＣＥ録音、マクロ、手振れ補正、モードメニューを表示する。再生状態Ｊ３の場合は、再生内容により表示されるメニューが異なる。即ち、静止画再生時は、ストレージ再生、情報表示、スライドショー、モードメニューを表示する。動画再生時は、ストレージ再生、情報表示、動画再生終了、モードメニューを表示する。ＶＯＩＣＥ再生時には、ストレージ再生、情報表示、ＶＯＩＣＥ再生終了、モードメニューを表示する。カレンダ再生時には、カレンダ再生終了、情報表示、スライドショー、モードメニューを表示する。アルバム再生時には、アルバム選択、情報表示、アルバム再生終了、モードメニューを表示する。それぞれの下位メニューの操作、表示の詳細は省略するが、共通的なモードメニューについて説明する。
【０２３１】
即ち、モードメニューは更にセレクトスイッチ３２の位置により表示内容が異なる。静止画撮影状態Ｊ１の場合、画質モード切り替え、連写設定、露出補正、デジタルズーム設定、ホワイトバランス設定、画像等を記録するメモリの選択の設定等ができる。動画撮影状態Ｊ２の場合、画質モード切り替え、露出補正、デジタルズーム設定、ホワイトバランス設定、フルタイムオートフォーカスの設定、画像等を記録するメモリの選択の設定等ができる。再生状態Ｊ３の場合は、回転表示、録音、画像編集、画像補正、画像合成ができる。
【０２３２】
メニュー操作を終了するには、メニューボタン８２を再度押すことで（ステップＳ３７４）、上記ステップＳ１０２に戻る。この場合、上記ステップＳ１０２→ステップＳ１０４→ステップＳ１５６→ステップＳ１５８→ステップＳ１６０→…と進み、カメラ本体１２のスイッチやボタンに応じた再生動作が可能となる。また、普通リモコン又は認証情報付きリモコンからの指令受信による割り込みによっても、再生動作等の他の動作が可能である。
【０２３３】
一方、図３０Ｅに示すように、上記ステップＳ２５６において、設定モードＭ３であると判断された場合には、設定モードに移行する。即ち、設定モードでは、図１６の機能制限表の機能と制限フラグの状態をモニタ３６に表示して、認証指令リモコンのプラス、マイナスボタン７２、７４とテレ、ワイドボタン６８、７０、あるいは、認証指令リモコンの十字スイッチ７８とＯＫボタン８０等を使って、制限機能の巡回選択とフラグのオン、オフの設定及び変更を行なう（ステップＳ３７６）。そして、設定変更が終わったならば、認証指令リモコンの撮影指令ボタン６２が押されるので、その撮影実行指令を受けたならば内容を確定して（ステップＳ３７８）、上記ステップＳ１０２に戻る。このステップＳ１０２に戻った際には、設定モードＭ３に設定されているので、該ステップＳ１０２の判断処理を繰り返すだけで、カメラ本体１２のスイッチやボタンの操作が受け付けられることはなく、認証指令リモコンの操作のみ受け付ける。
【０２３４】
また、上記ステップＳ２５６において、禁止モードＭ１であると判断された場合には、禁止モードに移行する。即ち、禁止モードでは、カメラ本体１２のセレクトスイッチ３２の状態を読み取り（ステップＳ３８０）、認証指令リモコンから認証指令として与えられる撮影指令に対応する動作を行なう。
【０２３５】
即ち、セレクトスイッチ３２により静止画撮影状態Ｊ１となっている場合の禁止モードＭ１でのリモコン操作による静止画像の撮影動作においては、図３０Ｆに示すように、モニタ３６にライブ画像を表示し（ステップＳ２７２）、上記ステップＳ２１６で受けた認証指令リモコンよりの認証指令が、撮影実行指令か否かを判断する（ステップＳ２７４）。ここで、認証指令が撮影実行指令であると判断した場合には、フォーカス合わせを行って（ステップＳ２７６）、静止画を撮影する（ステップＳ２７８）。その後、連写モードに設定されているか否かを判断する（ステップＳ２８０）。ここで、連写モードに設定されていない場合には、短時間、撮影済み画像をモニタ３６に表示した後（ステップＳ２８２）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、次の静止画像の撮影等の動作が可能である。
【０２３６】
また、上記ステップＳ２８０で連写モードに設定されていると判断した場合には、内蔵メモリ１１２及び／又は着脱メモリ１１４のメモリ残量が所定量以上有るか否か確認する（ステップＳ２８４）。そして、メモリ残量が無い場合は、モニタ３６にメモリフルの警告を表示して（ステップＳ２８６）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、次の静止画像の撮影等の動作が可能である。
【０２３７】
また、上記ステップＳ２８４においてメモリ残量が有ると判断した場合には、認証指令リモコンから撮影実行指令が来ているかを確認し（ステップＳ２８８）、撮影実行指令が来ている場合には、上記ステップＳ２７８に戻り、次の画像を撮影する。即ち、認証指令リモコンの撮影指令ボタン６２が押されている間、連写が行われる。これに対して、撮影実行指令が来ていない場合には、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、次の静止画像の撮影等の動作が可能である。
【０２３８】
また、上記ステップＳ２７４において、受信した認証指令が撮影実行指令ではないと判断した場合には、認証指令が、認証指令リモコンのテレボタン６８が押されたことによるＴボタン指令であるか否かを判断する（ステップＳ２９０）。ここで、Ｔボタン指令であると判断した場合には、そのＴボタン指令が来ている間、レンズ部１４を望遠側に駆動し（ステップＳ２９２）、Ｔボタン指令が途切れたならば、その駆動を中止して、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、次の静止画像の撮影等の動作が可能である。
【０２３９】
また、上記ステップＳ２９０で、Ｔボタン指令を受けたのではないと判断した場合には、認証指令が、認証指令リモコンのワイドボタン７０が押されたことによるＷボタン指令であるか否かを判断する（ステップＳ２９４）。ここで、Ｗボタン指令であると判断した場合には、そのＷボタン指令が来ている間、レンズ部１４を広角側に駆動し（ステップＳ２９６）、Ｗボタン指令が途切れたならば、その駆動を中止して、上記ステップＳ１０２に戻る。また、上記ステップＳ２９４で、Ｗボタン指令でもないと判断した場合には、上記ステップＳ１０２に戻る。これらの場合、この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、次の静止画像の撮影等の動作が可能である。
【０２４０】
一方、上記ステップＳ３８０においてセレクトスイッチ３２により動画撮影状態Ｊ２となっている場合の禁止モードＭ１でのリモコン操作による動画像の撮影動作においては、図３０Ｆに示すように、モニタ３６にライブ画像を表示し（ステップＳ２９８）、認証指令リモコンの撮影指令ボタン６２が押されたことによる撮影実行指令の受信に応じてオンする撮影実行指令フラグがオンか否かを判断する（ステップＳ３００）。そして、その撮影実行指令フラグがオンしていると判断した場合には、動画撮影中か否かを判断すると共に、撮影実行指令フラグをクリアする（ステップＳ３０２）。ここで、動画撮影中でないと判断した場合には、フォーカスを合わせて、動画撮影を開始する（ステップＳ３０４）。そして、内蔵メモリ１１２及び／又は着脱メモリ１１４のメモリ残量を確認し（ステップＳ４００）、メモリ残量が無い場合は、モニタ３６にメモリフルの警告を表示した上で（ステップＳ３０８）、動画撮影を終了して（ステップＳ３１０）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。なお、この際、使用者は、上記ステップＳ３０８の警告表示により、もはや動画を撮影できないことは判っているので、カメラ本体１２のセレクトスイッチ３２を切り替えることとなる。そして、認証指令リモコンの操作のみ受け付けて、その指令受信による割り込みによってのみ、次の静止画像の撮影等の動作が可能である。
【０２４１】
これに対して、上記ステップＳ４００においてメモリ残量が有ると判断した場合には、上記ステップＳ３０４に戻って、引き続き動画撮影を行う。
【０２４２】
また、上記ステップＳ３０２で、動画撮影中であると判断した場合には、上記ステップＳ３１０に進んで撮影を終了し、上記ステップＳ１０２に戻る。即ち、リモコンからの指令による動画の撮影は、認証指令リモコンの撮影指令ボタン６２が押されたことによる撮影実行指令の受信から、次の撮影指令ボタン６２が押されたことによる撮影実行指令の受信までの間、行われる。つまり、ステップＳ３０４→ステップＳ４００→ステップＳ３０４のループ中に、撮影実行指令を受信したときに、割り込みによって上記ステップＳ２１６からの動作が実行されて、該ステップＳ３０２で動画撮影中であると判断されて撮影を終了することになる。こうして動画の撮影が終了されて上記ステップＳ１０２に戻った場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、次の動画の撮影等の動作が可能である。
【０２４３】
また、上記ステップＳ３００で、撮影実行指令フラグがオンしていないと判断した場合には、上記ステップＳ２９０に進んでＴボタン指令か否かを判断する。そして、上述したように、Ｔボタン指令の場合は、そのＴボタン指令が来ている間、レンズ部１４を望遠側に駆動し（ステップＳ２９２）、Ｔボタン指令が途切れたら駆動を中止して、上記ステップＳ１０２に戻る。このＴボタン指令を、上記ステップＳ３０４とステップＳ４００の動画撮影ループ中に受信した場合には、割り込みにより該レンズ部１４の駆動が行われ、ズームアップ撮影が可能となる。そして、上記ステップＳ１０２に戻ったならば、禁止モードＭ１に設定されているので、該ステップＳ１０２の判断処理を繰り返すだけで、カメラ本体１２のスイッチやボタンの操作が受け付けられることはない。このとき、上記ステップＳ３０４とステップＳ４００の動画撮影ループは継続して実行されており、認証指令リモコンの撮影指令ボタン６２が押されたことによる撮影実行指令の受信による割り込みで上記ステップＳ３１０に進むまで、動画が撮影される。
【０２４４】
また、上記ステップＳ２９０でＴボタン指令でないと判断した場合には、Ｗボタン指令か否かを判断して（ステップＳ２９４）、Ｗボタン指令の場合は、そのＷボタン指令が来ている間、レンズ部１４を広角側に駆動し（ステップＳ２９６）、Ｗボタン指令が途切れたら駆動を中止して、上記ステップＳ１０２に戻る。この場合も、上記Ｔボタン指令の場合と同様に、動画撮影中であればズームダウン撮影が行われ、次の撮影実行指令の受信による割り込みが行われるまで、動画の撮影が継続される。
【０２４５】
また、上記ステップＳ２９４においてＷボタン指令でもないと判断した場合には、何もせずに上記ステップＳ１０２に戻る。
【０２４６】
このように、禁止モードＭ１で動画撮影中は、認証指令リモコンからの撮影実行指令やＴ、Ｗボタン指令の受信による割り込みで、動画撮影を終了したり、ズーム動作を行ったりすることができる。
【０２４７】
また、動画については、例えば１５秒というように、予め記録時間を限定しておき、その秒数に対応するメモリ量により上記ステップＳ４００のメモリ残量の判別を行うことで、自動的に動画撮影を終了させることもできる。
【０２４８】
一方、セレクトスイッチ３２により再生状態Ｊ３となっている場合の禁止モードＭ１でのリモコン操作による再生動作においては、内蔵メモリ１１２又は着脱メモリ１１４に記録されている最終画像をモニタ３６に表示し、認証指令リモコンのスイッチやボタン類に対応する動作を行なう。
【０２４９】
即ち、図３０Ｇに示すように、上記ステップＳ２１６で受けたリモコンよりの認証指令が、認証指令リモコンの十字スイッチ７８の操作指令であった場合（ステップＳ３１２）、それが十字スイッチ７８の下方向スイッチ操作による下操作指令（アルバム）であったならば（ステップＳ３１４）、モニタ３６へのアルバムに記録されている画像の表示を行う（ステップＳ３１６）。そして、この表示中に認証指令リモコンのメニューボタン８２が押されると（ステップＳ３１８）、アルバム表示機能を終了し、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２５０】
また、十字スイッチ７８の上方向スイッチ操作による上操作指令（カレンダ）であった場合には（ステップＳ３２０）、当月一か月分の記録画像をカレンダ形式でモニタ３６に表示する（ステップＳ３２２）。更に十字スイッチ７８で前月以前の表示を行なったり、日にちを選択してその日の撮影画像を表示したりすることなどもできる。そして、この表示中にメニューボタン８２が押されると（ステップＳ３２４）、カレンダ表示機能を終了し、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２５１】
また、十字スイッチ７８の右方向スイッチ操作による右操作指令であった場合には（ステップＳ３２６）、モニタ３６に次の画像を表示して（ステップＳ３２８）、上記ステップＳ１０２に戻る。なお、現在の画像が最終画像の場合にこの右方向スイッチが操作されたときには、最初の画像を表示する。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２５２】
また、十字スイッチ７８の左方向スイッチ操作による左操作指令であった場合には（ステップＳ３３０）、前の画像をモニタ３６に表示して（ステップＳ３３２）、上記ステップＳ１０２に戻る。なお、現在の画像が最初の画像の場合にこの左方向スイッチが操作されたときには、最後の画像を表示する。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２５３】
また、上記ステップＳ２１６で受けたリモコンよりの認証指令が、認証指令リモコンのＯＫボタン８０の操作によるＯＫ指令であった場合には（ステップＳ３３４）、現在の画像が動画であるか否かを確認して（ステップＳ３３６）、動画でない場合には無視して、上記ステップＳ１０２に戻る。これに対して、動画であった場合には、その動画を表示して（ステップＳ３３８）、上記ステップＳ１０２に戻る。これらの場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２５４】
また、上記ステップＳ２１６で受けたリモコンよりの認証指令が、認証指令リモコンのテレボタン６８の操作によるＴボタン指令であった場合には（ステップＳ３４０）、モニタ３６に表示されている画像を拡大表示して（ステップＳ３４２）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２５５】
また、上記ステップＳ２１６で受けたリモコンよりの認証指令が、認証指令リモコンのワイドボタン７０の操作によるＷボタン指令であった場合には（ステップＳ３４４）、モニタ３６の表示画像を縮小してインデックス形式の表示をして（ステップＳ３４６）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２５６】
なお、上記ステップＳ３４６の縮小一覧表示は、ワイドボタン７０を押すたびに、４駒、９駒、１６駒、２５駒に順次一覧表できる。また、縮小一覧表示中にテレボタン６８を押すと、押すたびに、上記ステップＳ３４２において、２５駒、１６駒、９駒、４駒、１駒の表示に戻す動作を行う。
【０２５７】
逆に、通常画像表示中のテレボタン６８の押下に応じた上記ステップＳ３４２での拡大表示がなされている場合に、ワイドボタン７０を押すと、上記ステップＳ３４６においてその拡大表示を元の大きさに戻す動作が行われる。
【０２５８】
また、上記ステップＳ２１６で受けたリモコンよりの認証指令が、認証指令リモコンの消去ボタン８８の操作による消去指令であった場合には（ステップＳ３４８）、本当に消去するかの確認表示をモニタ３６に行い（ステップＳ３５０）、消去中止が選択された場合は消去せずに上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２５９】
これに対して、上記ステップＳ３５０において消去実行が選択されたと判断した場合には、その駒を消去して、一つ前の画像を表示して（ステップＳ３５２）、上記ステップＳ１０２に戻る。なお、消去対象の画像が保護されている場合は、保護画像であることをモニタ３６に警告表示して、消去の実行は無視される。上記ステップＳ１０２に戻った後は、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２６０】
また、上記ステップＳ２１６で受けたリモコンよりの認証指令が、認証指令リモコンのプリントボタン８４の操作による印刷指令であった場合には（ステップＳ３５４）、プリンタへの画像送信等の必要な印刷動作を行なって（ステップＳ３５６）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２６１】
また、上記ステップＳ２１６で受けたリモコンよりの認証指令が、認証指令リモコンの情報ボタン８６の操作による情報表示指令であった場合には（ステップＳ３５８）、モニタ３６に表示されている画像の情報を表示して（ステップＳ３６０）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２６２】
また、上記ステップＳ２１６で受けたリモコンよりの認証指令が、認証指令リモコンの保護ボタン９２の操作による保護指令であった場合には（ステップＳ３６２）、モニタ３６に表示されている画像に保護フラグを付けて（ステップＳ３６４）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２６３】
また、上記ステップＳ２１６で受けたリモコンよりの認証指令が、認証指令リモコンの回転ボタン９０の操作による回転指令であった場合には（ステップＳ３６６）、モニタ３６に表示されている画像を右９０度回転させて（ステップＳ３６８）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。なお、再度、回転ボタン９０が押されると、ステップＳ３６８では元の画像の左９０度回転画像の表示を行い、もう一度押されると、元の画像に戻す。
【０２６４】
また、上記ステップＳ２１６で受けたリモコンよりの認証指令が、認証指令リモコンのメニューボタン８２の操作によるメニュー指令であった場合には（ステップＳ３７０）、メニューの表示と設定ができる。メニュー機能は多数ある。メニュー設定はトップメニューから階層的に細部の設定が出来る様になっている。トップメニューは、セレクトスイッチ３２の位置によって表示内容が異なるので、セレクトスイッチ３２の位置を読み取り、対応するメニューをモニタ３６に表示する（ステップＳ３７２）。
【０２６５】
静止画撮影状態Ｊ１の場合、ＶＯＩＣＥ録音、マクロ、シーン選択、モードメニューを表示する。動画撮影状態Ｊ２の場合、ＶＯＩＣＥ録音、マクロ、手振れ補正、モードメニューを表示する。再生状態Ｊ３の場合は、再生内容により表示されるメニューが異なる。即ち、静止画再生時は、ストレージ再生、情報表示、スライドショー、モードメニューを表示する。動画再生時は、ストレージ再生、情報表示、動画再生終了、モードメニューを表示する。ＶＯＩＣＥ再生時には、ストレージ再生、情報表示、ＶＯＩＣＥ再生終了、モードメニューを表示する。カレンダ再生時には、カレンダ再生終了、情報表示、スライドショー、モードメニューを表示する。アルバム再生時には、アルバム選択、情報表示、アルバム再生終了、モードメニューを表示する。それぞれの下位メニューの操作、表示の詳細は省略するが、共通的なモードメニューについて説明する。
【０２６６】
即ち、モードメニューは更にセレクトスイッチ３２の位置により表示内容が異なる。静止画撮影状態Ｊ１の場合、画質モード切り替え、連写設定、露出補正、デジタルズーム設定、ホワイトバランス設定、画像等を記録するメモリの選択の設定等ができる。動画撮影状態Ｊ２の場合、画質モード切り替え、露出補正、デジタルズーム設定、ホワイトバランス設定、フルタイムオートフォーカスの設定、画像等を記録するメモリの選択の設定等ができる。再生状態Ｊ３の場合は、回転表示、録音、画像編集、画像補正、画像合成ができる。
【０２６７】
メニュー操作を終了するには、認証指令リモコンのメニューボタン８２を再度押すことで（ステップＳ３７４）、上記ステップＳ１０２に戻る。この場合、禁止モードＭ１に設定されているので、該ステップＳ１０２の判断処理を繰り返すだけで、カメラ本体１２のスイッチやボタンの操作が受け付けられることはない。即ち、認証指令リモコンの操作のみ受け付けて、その指令受信による割り込みによってのみ、再生動作等の他の動作が可能である。
【０２６８】
以上のように、本発明の第１実施形態によれば、カメラ本体１２とは別のリモコン５８，７６，９４に認証情報を持ち、カメラ本体１２に認証情報を設定することにより、万一カメラ本体１２を紛失した場合でも、リモコン５８，７６，９４からの認証情報が来なければ、撮影済みの画像の再生等の所定の機能が制限され、セキュリティを確保することが可能である。
【０２６９】
また、小型のリモコン５８，７６，９４を撮像用と認証用に利用することで、携行に負担が少なく操作も容易なセキュリティシステムを実現できる。
【０２７０】
また、認証設定スイッチ６４によりリモコン５８，７６のスイッチやボタンの機能を切り替えることができ、スイッチやボタンの数を減らして、小型化することができる。
【０２７１】
また、認証機能を持たない普通リモコン（例えば光学式リモコン１０６）も限られた機能の範囲では使うことができるので、撮像機器の色々な利用状況に対応できる。
【０２７２】
また、カメラ本体１２を電源投入時に禁止モードＭ１に設定するようにすれば、認証指令リモコンを持っていて認証指令リモコンで指令するか、認証情報付きリモコンで他の認証モードに切り替えない限り、カメラ本体１２単独では使用できない、即ちカメラ本体１２に鍵が掛かった状態にすることができる。
【０２７３】
あるいは、電源断時に、その時設定されている認証モードを保存しておくようにすることもできる。この場合、その認証モードを不揮発性に記憶すれば、保持し続けることが可能となる。そして、当該カメラ本体１２の電源投入時には、上記記憶されている認証モードを読み出して、その認証モードに設定するようにすれば、前回の認証モードで起動することが可能となる。
【０２７４】
また、認証モードを認証情報付きリモコンからしか変更できないようにすることで、認証情報付きリモコンを持たない第三者に認証モードを変更されて、撮影済みの画像の再生等が行われてしまうおそれがない。
【０２７５】
また、カメラ本体１２は禁止タイマ１４８により禁止モードＭ１を設定することができるので、カメラ本体１２が万一盗難等にあっても、比較的安全である。この場合、電源がオフされた後も計時が継続されて、所定時間で禁止モードに設定されるようすれば、ユーザは電源断時にいちいち認証モードを切り替える必要がない。更に、電池が消耗あるいは取り外された場合、バックアップ用の電池あるいはキャパシタの有無等も考慮して、直ちにあるいは予め設定された時間後、あるいは電圧監視の結果により、禁止モードＭ１を設定するようにすることで、故意あるいは過失により電池１４６が抜き取られたまま、あるいは消耗したまま放置されてバックアップ用の電池あるいはキャパシタの電気も消耗してしまい禁止タイマ１４８がカウントできなくなって、予め設定した時間が経過しても禁止モードを設定することができなくなってしまい、当該デジタルカメラ１０が使用できてしまうようなことを防止できる。
【０２７６】
また、指令は光又は電波で送受信するので、カメラ本体１２とリモコン５８，７６，９４，１０６とを接続するケーブル等を携帯する必要がない。
【０２７７】
なお、それぞれ異なる機能の指令を送信する複数種類のリモコン５８，７６，９４又は１０６を利用可能であるので、ユーザは所望の機能の指令を送信できるリモコンを使用することができる。更に、再生等プライバシにかかわる機能の実行にはリモコン５８，７６，９４のように認証情報を含む認証指令を送信できる認証情報付きリモコンであることが必要であるが、撮影行為自体にはプライバシ保護は必要がないので、認証情報を送信しない撮影に関する機能のみ指令できる普通リモコンを用いて撮影を行なうことができる。よって、旅行等にはその撮影機能に絞った普通リモコンを携行し、認証情報付きリモコンは自宅に置いてくれば、撮影は自由に行なえ、そして、たとえ旅行先でカメラ本体１２とリモコンを紛失したり盗難にあっても、認証情報付きリモコンは自宅に有り、当該カメラ本体１２を入手した第三者はそれを有していないので、撮影した画像のセキュリティを守ることができる。
【０２７８】
また、重要な認証指令の送受信の際に、認証指令授受の能力を限定することにより、認証指令の傍受による不正利用の防止を実現できる。即ち、更に、一般指令の受信はより広範囲からの指令を受け易い構成が望ましく、認証指令の受信は、認証指令の傍受による不正コピーと使用を防止する観点から、限定された範囲からの認証指令を受信することが望ましいという相反する要求を同時に満たすのは大変であるが、撮像動作等の一般指令の送信出力に比べて認証指令の送信出力を低くし、認証指令の到達範囲を狭めることにより、あるいは指令機器の出力は同レベルでも撮像機器の受信感度を認証指令の受信の場合には下げて、認証指令の受信可能範囲を狭めることにより、認証指令の授受は一般指令の授受の場合より近接して行なわれるようにすることにより、簡単な構成により認証情報の傍受等による不正利用を防止し、撮像機器並びに撮像システムの安全性を高めることができる。
【０２７９】
［第２実施形態］
次に、本発明の第２実施形態を説明する。
【０２８０】
撮影した画像を標準化されたフォーマットで着脱メモリ１１４に記録した場合に、たとえカメラ本体１２が禁止モードＭ１になっていてカメラ本体１２が使えなくても、着脱メモリ１１４をカメラ本体１２から抜いて他の機器で再生すると、情報は漏れてしまう。そこで、本実施形態は、禁止モードＭ１で撮影した画像は、内蔵メモリ１１２にのみ記録することにより、カメラ本体１２が禁止モードＭ１である限り、認証情報付きリモコンが無いと画像の再生等はできなくするものである。
【０２８１】
具体的には、上記第１実施形態における上記ステップＳ２８８における静止画撮影での画像記録及び上記ステップＳ２９４におけるメモリ残有のチェックは、内蔵メモリ１１２に対してのみ行なう。また、上記ステップＳ３１４における動画撮影及び上記ステップＳ３１６におけるメモリ残有のチェックは、内蔵メモリ１１２にのみ行なう。また、内蔵メモリ１１２に記録されている画像を着脱メモリ１１４にメニュー機能（上記ステップＳ３７４）を使ってコピー又は移動する場合は、暗号化・復号化回路１３０あるいは主制御部１１８とプログラムで暗号化しておく。暗号化されて着脱メモリ１１４に記録された画像を内蔵メモリ１１２に戻す場合や、カメラ本体１２で再生する場合には、暗号化・復号化回路１３０あるいは主制御部１１８とプログラムで復号化する。
【０２８２】
また、制限モードＭ２あるいは許可モードＭ４で撮影した画像であっても、秘匿しておきたい画像もある。あるいはカメラ本体１２の所有者が禁止タイマ１４８の時間を短く設定しておき、制限モードＭ２あるいは許可モードＭ４で撮影し、禁止モードＭ１になった後は認証情報付きリモコンが無いと画像再生ができないように、取り外せる着脱メモリ１１４ではなく、内蔵メモリ１１２にのみ撮影画像を記録しておくことで、着脱メモリ１１４の取り外しによる画像の流失を防ぐことができる。
【０２８３】
具体的には、メニューの設定項目の一つとして、画像の記録先の指定メニューを設け、内蔵メモリ１１２のみ、着脱メモリ１１４のみ、内蔵メモリ１１２と着脱メモリ１１４の双方に記録が可能でどちらを優先させるか指定し、片方が一杯になった時は他方に記録する、などを指定する。
【０２８４】
なお、より安全な記録を行なうために、この記録選択のメニューは禁止モードＭ１での再生状態のメニュー（上記ステップＳ３７４）でのみ、設定できるようにしても良い。
【０２８５】
以上のように、本発明の第２実施形態によれば、カメラ本体１２が禁止モードＭ１の場合に撮影した画像は、内蔵メモリ１１２に記憶されるので、他の機器で読み出すことができず、また、カメラ本体１２が禁止モードＭ１である限り、認証情報付きリモコンが無いと画像の再生、コピー、移動、印刷などはできなくすることができる。更に、内蔵メモリ１１２の画像を着脱メモリ１１４に移動する場合は、暗号化して記憶することで、着脱メモリ１１４の画像に対してもセキュリティを持たせることが可能になる。また、ユーザが、撮影画像を内蔵メモリ１１２に記録するか、着脱メモリ１１４に記録するか選択することができる。
【０２８６】
［第３実施形態］
次に、本発明の第３実施形態を説明する。
【０２８７】
本実施形態は、認証情報として、固定リモコン識別情報とは別に、可変リモコン識別情報を用いるものである。
【０２８８】
図３１（Ａ）に示すように、本実施形態においては、認証情報付きリモコンであるリモコン５８，７６，９４の制御部１５０は、内部に、可変リモコン識別情報の発生手段として、乱数発生部１８０あるいはデータ表１８２を備える。
【０２８９】
ここで、乱数発生部１８０は、制御部１５０のＣＰＵで混合合同法あるいは線形合同法などの乱数発生プログラムによって乱数を発生するものであっても良いし、シフトレジスタとエクシクルーシブオア回路の組合わせなどのロジック回路で疑似乱数を発生させても良い。
【０２９０】
図３１（Ｂ）は、データ表１８２の例を示す図であり、１００個の２桁数値の乱数表である。
【０２９１】
この様に、固定リモコン識別情報とは別に、可変リモコン識別情報を用いることにより、過去のリモコンからの指令の盗聴等によるリモコンの複製に対する安全性を高めることができる。
【０２９２】
この可変リモコン識別情報は、固定リモコン識別情報と併せて用いても良いし単独で用いても良い。
【０２９３】
例えば、図３２（Ａ）乃至（Ｃ）は、図１９（Ｄ）乃至（Ｆ）における固定リモコン識別情報１７６の代わりに、独立した可変リモコン識別情報１８４を付加した場合のリモコン５８，７６，９４からの送信データ信号のデータフォーマットを示す図である。これらの図に示すように、リモコンの制御部１５０で発生した乱数あるいはデータ表１８２から選んだ値を可変リモコン識別情報１８４として付加して発信することができる。勿論、そのように独立した可変リモコン識別情報１８４を付加するのではなく、データ部１７０又はヘッダ１７２の一部に含めて送信することもできる（後者の場合、データフォーマットは図１９（Ａ）乃至（Ｃ）に示すものとなる）。
【０２９４】
次に、この可変リモコン識別情報１８４の使い方を説明する。カメラ本体１２が禁止モードＭ１になった時、カメラ本体１２の操作はリモコン５８，７６，９４よりの指令でのみできる。このリモコンの指令の安全性を高めるために、リモコン５８，７６，９４よりの指令に可変リモコン識別情報１８４を付加して、その情報が一致するリモコン５８，７６，９４の指令のみ受け付けるようにする。リモコン５８，７６，９４より禁止指令を送信する場合に、乱数発生部１８０で発生させた乱数あるいはデータ表１８２から選んだ値を付けて送信する。カメラ本体１２は、禁止モードＭ１に移行する際に、この乱数あるいは値を記憶する。これ以降、リモコン５８，７６，９４からカメラ本体１２に禁止指令以外の指令を送る際はこの乱数あるいは値を付けて送り、カメラ本体１２ではこの乱数あるいは値と記憶値との一致を取り、一致した時のみその指令を実行する。リモコン５８，７６，９４から禁止モードＭ１以外のモード設定、すなわち許可モードＭ４、制限モードＭ２、設定モードＭ３への切替指令（許可指令、制限指令、設定指令）が来た場合は、記憶値を消去する。
【０２９５】
リモコン５８，７６，９４が禁止指令を新たに発信する場合は、新たに発生させた乱数発生部１８０で発生させた次の乱数あるいはデータ表１８２から選んだ次の値を付けて送信し、カメラ本体１２に記憶させ、一致を取って指令を実行する。
【０２９６】
図３３は、カメラ本体１２のパワーオン時の可変リモコン識別情報要求と設定について説明する図である。
【０２９７】
カメラの電源オン時には、図２２に示した認証モード設定指定及びモードメモリ１３６に記憶されているモードに設定される。この場合に禁止モードＭ１が設定されると、カメラ本体１２側ではリモコン５８，７６，９４の可変リモコン識別情報１８４は得られていない。そこで、電源オン時にカメラ本体１２側で禁止モードＭ１に切り替えた場合、即ち上記ステップＳ１２あるいはステップＳ１０２において禁止モードＭ１を設定する場合、カメラ本体１２のモニタ３６に可変リモコン識別情報送信要求を表示する（ステップＳ４００）。操作者は、この表示を見て、リモコン５８，７６，９４より禁止指令を送ることで可変リモコン識別情報１８４をカメラ本体１２に送信する（ステップＳ４０２）。カメラ本体１２では、この可変リモコン識別情報１８４を記憶する（ステップＳ４０４）。
【０２９８】
そして、これ以降、リモコン５８，７６，９４からカメラ本体１２に禁止指令以外の指令を送る際はこの可変リモコン識別情報１８４を付けて送り、カメラ本体１２では、この可変リモコン識別情報１８４と上記ステップＳ４０４で記憶した記憶値との一致を取り、一致した時のみ指令を実行する。
【０２９９】
この後、リモコン５８，７６，９４から禁止モードＭ１以外のモード設定、即ち許可モードＭ４、制限モードＭ２、設定モードＭ３への切替指令（許可指令、制限指令、設定指令）が来た場合は、その記憶値を消去する。リモコン５８，７６，９４が禁止指令を新たに発信する場合は、新たな可変リモコン識別情報１８４を送信し、カメラ本体１２に記憶し、一致を取って指令を実行する。
【０３００】
以上のように、本発明の第３実施形態によれば、乱数発生部１８０で発生した乱数又はデータ表１８２から選んだ値を用いて可変の認証情報を生成することで、過去の指令機器からの指令の盗聴等による指令機器の複製に対する安全性を高めることができる。
【０３０１】
［第４実施形態］
次に、本発明の第４実施形態を説明する。
【０３０２】
本実施形態においては、認証情報付きリモコンであるリモコン５８，７６，９４の制御部１５０は、図３４（Ａ）に示すように、内部に計数部１８６を備える。また、カメラ本体１２側には、図３４（Ｂ）に示すように、バス１３４に接続された計数部１８８を備える。本実施形態は、これら計数部１８６、１８８を用いて、リモコンからの指令の信頼性を向上させるものである。
【０３０３】
図３５はその手順を示す図であり、リモコン５８，７６，９４において上記第１実施形態で説明したような手順で認証モードの切り替え操作がなされた場合、まず、リモコン内の計数部１８６の計数値は消去され（ステップＳ５００）、認証モード切替指令を発信したときに、計数部１８６の計数を開始する（ステップＳ５０２）。一方、カメラ本体１２側では、リモコン５８，７６，９４から認証モード切替指令を受信したならば、計数部１８８の計数値を消去した後（ステップＳ５０４）、認証モードをその指令されたモードに切り替えると共に計数部１８８の計数を開始する（ステップＳ５０６）。
【０３０４】
以降、リモコン５８，７６，９４において何れかのボタンが押されたならば（ステップＳ５０８）、計数部１８６の計数値を読み取り（ステップＳ５１０）、その押されたボタンに対応する指令を計数値付きの認証指令として発信する（ステップＳ５１２）。カメラ本体１２側では、その認証指令を受信したならば（ステップＳ５１４）、カメラ本体１２内の計数部１８８の計数値を読み取り（ステップＳ５１６）、リモコン５８，７６，９４よりの計数値と比較して同一あるいは双方の計数誤差を勘案した許容範囲内であれば（ステップＳ５１８）、その指令に沿った動作を実行する（ステップＳ５２０）。
【０３０５】
図３６（Ａ）乃至（Ｃ）は、リモコン５８，７６，９４からの送信データ信号のデータフォーマットを示す図で、図１９（Ａ）乃至（Ｃ）のデータフォーマットに計数部１８６の計数値１９０を付加した形をとる。なお、図１９（Ｄ）乃至（Ｆ）に示したように固定リモコン識別情報１７６を付加する場合には、データ部１７０あるいはヘッダ１７２に含めて送信することができる。
【０３０６】
このように、認証モードの切り替えを起点として、リモコン５８，７６，９４とカメラ本体１２でそれぞれ計数を開始して一致を取ることにより、計数値の合致するリモコンよりの指令のみを受け付けることができる。
【０３０７】
計数の方法は、指令を発する毎に、１、２、３、とカウントし、受信毎に１、２、３とカウントして一致を取る方法や、タイマを使って時間を計数する方法でも良い。したがって、同種のリモコンが複数あっても、認証情報が変化し、計数が一致しない限り他のリモコンよりの指令は受け付けないので、固定リモコン識別情報のみにより判別する場合に比べて、簡単な機構でよりいっそう安全性を高めることができる。
【０３０８】
以上のように、本発明の第４実施形態によれば、認証モードの切り替えを起点として、リモコン５８，７６，９４とカメラ本体１２でそれぞれ計数を開始して一致を取ることにより、カメラ本体１２では、計数値の合致するリモコンよりの指令のみを受け付けることができる。
【０３０９】
［第５実施形態］
次に、本発明の第５実施形態を説明する。
【０３１０】
撮影済み画像の秘匿性を高めるために、本実施形態においては、撮影状態Ｊ１，Ｊ２では、認証情報付でない撮影実行指令やズーム機能のテレボタン６８とワイドボタン７０の指令でも動作を行い、再生状態Ｊ３では、認証指令リモコンからの認証指令のみで動作を行なう。
【０３１１】
そのため、上記ステップＳ１０４においてセレクトスイッチ３２を読み取って再生状態Ｊ３に分岐した場合、上記第１実施形態では、上記ステップＳ１５６として再生が許可されているか否かを判断する分岐に入るが、本実施形態では、図３７（Ａ）に示すように、上記ステップＳ１０８に進んで、モニタ３６に認証指令リモコンでしか操作できない旨の警告を表示する。
【０３１２】
また、上記ステップＳ２７０において、一般指令を受信した際に許可モードＭ４又は制限モードＭ２であると判断された場合に、上記第１実施形態では、上記ステップＳ２５８での分岐を経て、上記ステップＳ２６６として再生が許可されているか否かを判断する分岐に入るが、本実施形態では、図３７（Ｂ）に示すように、カメラ本体１２のセレクトスイッチ３２の状態を読み取り、静止画撮影状態Ｊ１か、動画撮影状態Ｊ２か、再生状態Ｊ３かにより分岐する（ステップＳ５２２）。そして、再生状態Ｊ３となっていると判断した場合には、上記ステップＳ２６８に進んで、モニタ３６に認証指令リモコンでしか操作できない旨の警告を表示する。なお、上記ステップＳ５２２において、静止画撮影状態Ｊ１となっていると判断した場合には上記ステップＳ２６０へ進み、動画撮影状態Ｊ２となっていると判断した場合には上記ステップＳ２６４へ進む。
【０３１３】
図３８（Ａ）乃至（Ｄ）は、認証情報付きリモコンであるリモコン５８，７６，９４からの機能範囲指定情報１９２を含む指令、特には認証モード切替指令の送信データ信号の他フォーマットを示す図であり、図３８（Ｅ）は、機能範囲指定情報１９２及びＩＤ情報１９４を含む指令の送信データ信号の他のフォーマットを示す図である。ここでは、機能範囲指定情報１９２及びＩＤ情報１９４は、リモコン５８，７６，９４からの送信データ信号のデータフォーマットに追加する形で説明するが、データ部１７０のｎバイトの中に指令と共に含ませることもできる。また、固定リモコン識別情報１７６は、図３８（Ａ）ではデータ部１７０に、図３８（Ｂ）及び（Ｃ）ではヘッダ１７２あるいはデータ部１７０に、図３８（Ｄ）ではヘッダ１７２あるいは計数値１９０又はデータ部１７０に、図３８（Ｅ）ではヘッダ１７２あるいはＩＤ情報１９４又はデータ部１７０に、含めて送信することができる。
【０３１４】
図３８（Ａ）は、使用できる機能の範囲を指定する機能範囲指定情報１９２を指令、特には認証モード切替指令に含める場合を示す図である。この機能範囲指定情報１９２としては、図２３の機能制限表の制限フラグをビット単位あるいはバイト単位で対応させれば良い。図３８（Ｂ）は、ヘッダ１７２と機能範囲指定情報１９２を、図３８（Ｃ）は、ヘッダ１７２と機能範囲指定情報１９２とＥＣＣ１７４を、図３８（Ｄ）は、ヘッダ１７２と計数値１９０と機能範囲指定情報１９２とＥＣＣ１７４を、図３８（Ｅ）は、ヘッダ１７２と製造番号等の機器固有のＩＤ情報１９４と機能範囲指定情報１９２とＥＣＣ１７４を、それぞれ含めた場合の例である。図３８（Ｅ）のＩＤ情報１９４は、リモコン５８，７６，９４とカメラ本体１２との双方の製造番号や、シリアル番号あるいは製造日付や場所、機種名、ランダムな文字列など、機器の認識が出来るものであれば良い。
【０３１５】
以上のように、本発明の第５実施形態によれば、撮像は何時でも誰でも行うことができるようにして操作性を高め、それ以外の再生やコピー等の機能についてはセキュリティを確保することができる。
【０３１６】
また、指令、特に認証モード切替指令に機能範囲指定情報１９２を含めることで、使用できる機能の範囲をユーザが任意に指定できるようになる。
【０３１７】
また、認証情報がカメラ本体１２に固有のＩＤ情報を含むので、同一構成のカメラ本体１２が複数有っても、誤動作するおそれがない。
【０３１８】
なお、指令に上記のような認証情報を含ませているので、当該撮像機器に対する個々の指令を確実に判別して実行できる。
【０３１９】
以上実施形態に基づいて本発明を説明したが、本発明は上述した実施形態に限定されるものではなく、本発明の要旨の範囲内で種々の変形や応用が可能なことは勿論である。
【０３２０】
例えば、認証情報に有効期限を持たせたり、リモコン５８，７６，９４とカメラ本体１２間で認証情報を同期的に変化させることで傍受等による認証情報の不正使用を防止するようにしても構わない。
【０３２１】
また、上記実施形態では、指令機器であるリモコンから認証情報を送信する際、指令と一緒に送信するものとしたが、指令とは別個に送信するようにしても良いことは勿論である。
【０３２２】
（付記）
前記の具体的実施形態から、以下のような構成の発明を抽出することができる。
【０３２３】
（１）  撮像手段を備えた撮像機器と、該撮像機器の本体とは別体に構成され、該撮像機器本体に対して該撮像機器を制御するための指令を送信することにより上記撮像機器が上記指令に対応した動作を行えるように構成された指令機器と、を含む撮像システムにおいて、
上記指令機器と上記撮像機器の間の指令授受の能力を切り替える能力切替手段を具備することを特徴とする撮像システム。
【０３２４】
（対応する実施形態）
この（１）に記載の撮像システムに関する実施形態は、第１乃至第５実施形態が対応する。それらの実施形態において、レンズ部１４、撮像素子１０８、撮像処理回路１１０等が上記撮像手段に、デジタルカメラ１０及びデジタルムービカメラ５４が上記撮像機器に、カメラ本体１２が上記撮像機器の本体に、光学式リモコン５８，７６、電波式リモコン９４が上記指令機器に、感度切替ボタン５０、発光部６０、認証設定スイッチ６４、主制御部１１８、感度切替部１１６Ｇ，１２０Ｇ、制御部１５０、出力切替部１５２Ａ，１６４Ａ、抵抗１５８，１６２、切替スイッチ１６０が上記能力切替手段に、それぞれ対応する。
【０３２５】
（作用効果）
この（１）に記載の撮像システムによれば、指令機器と撮像機器の間の指令授受の能力を切り替えることで、セキュリティ上必要な特定の指令が他で傍受されることを防止できる。従って、操作が容易で、コストも低く、安全性が高い撮像機器の使用制限機能を実現することが可能な撮像システムを提供することができる。
【０３２６】
（２）  上記能力切替手段を、上記指令機器及び／又は上記撮像機器に有することを特徴とする（１）に記載の撮像システム。
【０３２７】
（対応する実施形態）
この（２）に記載の撮像システムに関する実施形態は、第１乃至第５実施形態が対応する。
【０３２８】
（作用効果）
この（２）に記載の撮像システムによれば、能力切替手段を指令機器と撮像機器の何れに構成しても、セキュリティ上必要な特定の指令が他で傍受されることを防止できる。
【０３２９】
（３）  上記指令は、上記撮像機器が上記指令機器の認証を行なうための認証情報を含まない一般指令と、上記認証情報を含む認証指令と、を含み、
上記能力切替手段は、上記一般指令に対する能力に比べ上記認証指令に対する指令授受能力を下げる指令授受能力切替手段であることを特徴とする（１）又は（２）に記載の撮像システム。
【０３３０】
（対応する実施形態）
この（３）に記載の撮像システムに関する実施形態は、第１乃至第５実施形態が対応する。それらの実施形態において、発光部６０、主制御部１１８、感度切替部１１６Ｇ，１２０Ｇ、制御部１５０、出力切替部１５２Ａ，１６４Ａ、抵抗１５８，１６２、切替スイッチ１６０が上記指令授受能力切替手段に対応する。
【０３３１】
（作用効果）
この（３）に記載の撮像システムによれば、一般指令の受信はより広範囲からの指令を受け易い構成が望ましく、認証指令の受信は、認証指令の傍受による不正コピーと使用を防止する観点から、限定された範囲からの認証指令を受信することが望ましいという相反する要求を同時に満たすのは大変であるが、撮像動作等の一般指令の授受能力に比べて認証指令の授受能力を低くし、認証指令の到達範囲乃至は受信可能範囲を狭めることにより、認証指令の授受は一般指令の授受の場合より近接して行なわれるようにすることで、簡単な構成により認証情報の傍受等による不正利用を防止し、撮像機器並びに撮像システムの安全性を高めることができる。
【０３３２】
（４）  上記撮像機器は、
上記指令機器から送信された指令を受信する指令受信手段と、
上記指令受信手段で受信された上記認証指令に含まれる上記認証情報を認識する認証情報認識手段と、
上記認証情報認識手段で認識された上記認証情報に基づいて当該撮像機器の所定の機能の制限を行なう機能制限手段と、
を具備することを特徴とする（３）に記載の撮像システム。
【０３３３】
（対応する実施形態）
この（４）に記載の撮像システムに関する実施形態は、第１乃至第５実施形態が対応する。それらの実施形態において、受光素子１８、アンテナ３４、受信部１１６、受光部１２０が上記指令受信手段に、主制御部１１８が上記認証情報認識手段に、主制御部１１８が上記機能制限手段に、それぞれ対応する。
【０３３４】
（作用効果）
この（４）に記載の撮像システムによれば、撮像機器本体とは別の指令機器に認証情報を持ち、撮像機器に認証情報を設定することにより、万一撮像機器を紛失した場合でも、指令機器からの認証情報を含む認証指令が来なければ、撮影済みの画像の再生等の所定の機能が制限され、セキュリティを確保することが可能である。
【０３３５】
（５）  上記指令機器は、上記指令を送信する指令送信手段を具備し、
上記能力切替手段は、上記指令機器の上記指令送信手段における指令送信出力を切り替える、上記指令機器に備えられた指令送信出力切替手段であることを特徴とする（１）に記載の撮像システム。
【０３３６】
（対応する実施形態）
この（５）に記載の撮像システムに関する実施形態は、第１乃至第５実施形態が対応する。それらの実施形態において、発光部６０、制御部１５０、変調部１５２、発振部１５４、トランジスタ１５６、抵抗１５８、電力増幅部１６４が上記指令送信手段に、発光部６０、制御部１５０、出力切替部１５２Ａ，１６４Ａ、抵抗１５８、切替スイッチ１６０、抵抗１６２が上記指令送信出力切替手段に、それぞれ対応する。
【０３３７】
（作用効果）
この（５）に記載の撮像システムによれば、撮像動作等の一般指令の送信出力に比べて認証指令の送信出力を低くし、認証指令の到達範囲を狭めることにより、認証指令の授受は一般指令の授受の場合より近接して行なわれるようにすることで、簡単な構成により認証情報の傍受等による不正利用を防止し、撮像機器並びに撮像システムの安全性を高めることができる。
【０３３８】
（６）  上記撮像機器は、上記指令機器から送信された指令を受信する指令受信手段を具備し、
上記能力切替手段は、上記撮像機器の上記指令受信手段の受信感度を切り替える、上記撮像機器に備えられた受信感度切替手段であることを特徴とする（１）に記載の撮像システム。
【０３３９】
（対応する実施形態）
この（６）に記載の撮像システムに関する実施形態は、第１乃至第５実施形態が対応する。それらの実施形態において、受光素子１８、アンテナ３４、受信部１１６、受光部１２０が上記指令受信手段に、感度切替部１１６Ｇ，１２０Ｇ、主制御部１１８が上記受信感度切替手段に、それぞれ対応する。
【０３４０】
（作用効果）
この（６）に記載の撮像システムによれば、指令機器の出力は同レベルでも撮像機器の受信感度を認証指令の受信の場合には下げて、認証指令の受信可能範囲を狭めることにより、認証指令の授受は一般指令の授受の場合より近接して行なわれるようにすることで、簡単な構成により認証情報の傍受等による不正利用を防止し、撮像機器並びに撮像システムの安全性を高めることができる。
【０３４１】
（７）  上記撮像機器の上記受信感度切替手段は、上記指令機器より送信されてきた感度切替指令に応じて上記指令受信手段の受信感度を切り替えることを特徴とする（６）に記載の撮像システム。
【０３４２】
（対応する実施形態）
この（７）に記載の撮像システムに関する実施形態は、第１乃至第５実施形態が対応する。
【０３４３】
（作用効果）
この（７）に記載の撮像システムによれば、指令機器側から撮像機器の受信感度を切り替えることができる。
【０３４４】
（８）  上記撮像機器は、当該撮像機器の上記指令受信手段の受信感度の選択操作を受け付ける感度選択操作手段を更に具備し、
上記撮像機器の上記受信感度切替手段は、上記感度選択操作手段による選択操作に応じて上記指令受信手段の受信感度を切り替えることを特徴とする（６）に記載の撮像システム。
【０３４５】
（対応する実施形態）
この（８）に記載の撮像システムに関する実施形態は、第１乃至第５実施形態が対応する。それらの実施形態において、感度切替ボタン５０が上記感度選択操作手段に対応する。
【０３４６】
（作用効果）
この（８）に記載の撮像システムによれば、感度選択操作手段による選択操作で簡単に撮像機器の受信感度を切り替えることができる。
【０３４７】
（９）  上記撮像機器は、上記撮像手段で撮像された画像を再生する画像再生手段を更に具備し、
上記撮像機器の上記機能制限手段は、上記画像再生手段に係る機能を制限することを特徴とする（４）に記載の撮像システム。
【０３４８】
（対応する実施形態）
この（９）に記載の撮像システムに関する実施形態は、第１乃至第５実施形態が対応する。それらの実施形態において、モニタ３６、主制御部１１８、表示制御部１４０が上記画像再生手段に対応する。
【０３４９】
（作用効果）
この（９）に記載の撮像システムによれば、撮影済みの画像の再生が制限されるので、万一撮像機器単体を紛失してしまい、その撮像機器を第三者が入手したとしても、その第三者に撮像機器内の撮影済み画像を見られるおそれを無くすことができる。
【０３５０】
（１０）  上記指令機器は、上記撮像機器に対して上記認証指令及び上記一般指令を送信する指令送信手段を具備することを特徴とする（３）又は（４）に記載の撮像システム。
【０３５１】
（対応する実施形態）
この（１０）に記載の撮像システムに関する実施形態は、第１乃至第５実施形態が対応する。それらの実施形態において、発光部６０、制御部１５０、認証情報記憶部１５０Ａ、変調部１５２、発振部１５４、トランジスタ１５６、抵抗１５８、電力増幅部１６４が上記指令送信手段に対応する。
【０３５２】
（作用効果）
この（１０）に記載の撮像システムによれば、一つの指令機器を一般指令送信用と認証指令送信用に兼用できる。
【０３５３】
（１１）  上記指令機器は、上記撮像機器の撮像動作に関わる撮影指令、及び、上記撮像機器の上記機能の制限に関わる認証モード切替指令を、上記認証指令として送信する認証指令送信手段を更に具備することを特徴とする（３）又は（４）に記載の撮像システム。
【０３５４】
（対応する実施形態）
この（１１）に記載の撮像システムに関する実施形態は、第１乃至第５実施形態が対応する。それらの実施形態において、発光部６０、制御部１５０、認証情報記憶部１５０Ａ、変調部１５２、発振部１５４、トランジスタ１５６、抵抗１５８、電力増幅部１６４が上記認証指令送信手段に対応する。
【０３５５】
（作用効果）
この（１１）に記載の撮像システムによれば、指令機器は、撮影指令を認証指令として送信することができるので、再生等プライバシにかかわる機能を実行することができる。また、認証モード切替指令を認証指令として送信するので、該指令機器を用いないと認証モードを切り替えられないようにすることができる。
【０３５６】
（１２）  上記指令機器は、上記一般指令と上記認証指令との何れを上記指令送信手段によって送信するかを切り替える切替手段を更に具備することを特徴とする（１０）に記載の撮像システム。
【０３５７】
（対応する実施形態）
この（１２）に記載の撮像システムに関する実施形態は、第１乃至第５実施形態が対応する。それらの実施形態において、認証設定スイッチ６４が上記切替手段に対応する。
【０３５８】
（作用効果）
この（１２）に記載の撮像システムによれば、一般指令と認証指令の何れを送信するかを簡単に切り替えることができる。
【０３５９】
（１３）  上記指令機器は、上記撮像機器の撮像動作に関わる撮影指令を上記一般指令として、及び、上記撮像機器の上記機能の制限に関わる認証モード切替指令を上記認証指令として、送信する指令送信手段を更に具備することを特徴とする（３）又は（４）に記載の撮像システム。
【０３６０】
（対応する実施形態）
この（１３）に記載の撮像システムに関する実施形態は、第１乃至第５実施形態が対応する。それらの実施形態において、発光部６０、制御部１５０、認証情報記憶部１５０Ａ、変調部１５２、発振部１５４、トランジスタ１５６、抵抗１５８、電力増幅部１６４が上記指令送信手段に対応する。
【０３６１】
（作用効果）
この（１３）に記載の撮像システムによれば、撮像機器の機能の制限に関わる認証モード切替指令は認証指令として送信することでセキュリティを確保することかできる。
【０３６２】
（１４）  上記指令機器は、上記一般指令と上記認証モード切替指令との何れを上記指令送信手段によって送信するかを切り替える切替手段を更に具備することを特徴とする（１３）に記載の撮像システム。
【０３６３】
（対応する実施形態）
この（１４）に記載の撮像システムに関する実施形態は、第１乃至第５実施形態が対応する。それらの実施形態において、認証設定スイッチ６４が上記切替手段に対応する。
【０３６４】
（作用効果）
この（１４）に記載の撮像システムによれば、一般指令と認証モード切替指令の何れを送信するかを簡単に切り替えることができる。
【０３６５】
（１５）  上記撮像機器の上記認証情報認識手段は、上記指令受信手段で受信された認証指令の内容を判別する指令判別手段を更に具備することを特徴とする（４）に記載の撮像システム。
【０３６６】
（対応する実施形態）
この（１５）に記載の撮像システムに関する実施形態は、第１乃至第５実施形態が対応する。それらの実施形態において、主制御部１１８が上記指令判別手段に対応する。
【０３６７】
（作用効果）
この（１５）に記載の撮像システムによれば、撮像機器では、受信した認証指令の内容を判別することができる。
【０３６８】
（１６）  上記撮像機器の機能制限手段は、上記指令判別手段で判別した上記認証指令の内容に応じて、当該撮像機器の機能の制限を行なうことを特徴とする（１５）に記載の撮像機器。
【０３６９】
（対応する実施形態）
この（１６）に記載の撮像システムに関する実施形態は、第１乃至第５実施形態が対応する。
【０３７０】
（作用効果）
この（１６）に記載の撮像システムによれば、撮像機器では、判別した認証指令の内容に応じて、撮影に関わる動作、認証モード切り替え動作を行うことができる。
【０３７１】
（１７）  上記撮像機器は、上記指令受信手段で受信された上記認証指令の内容が上記撮像機器の上記機能の制限に関わる認証モード切替指令であるとき、その認証モード切替指令に応じて、当該撮像機器の認証モードを設定するモード設定手段を更に具備し、
上記撮像機器の上記機能制限手段は、上記モード設定手段によって設定された認証モードに応じて当該撮像機器の機能の制限を行なうことを特徴とする（１５）に記載の撮像機器。
【０３７２】
（対応する実施形態）
この（１７）に記載の撮像システムに関する実施形態は、第１乃至第５実施形態が対応する。それらの実施形態において、主制御部１１８、モードメモリ１３６が上記モード設定手段に対応する。
【０３７３】
（作用効果）
この（１７）に記載の撮像システムによれば、撮像機器では、受信した認証モード切替指令に応じて、認証モードを切り替え設定することができる。
【０３７４】
（１８）  上記撮像機器の上記モード設定手段は、更に、当該撮像機器の電源投入時には、上記認証モードとして禁止モードを設定し、
上記撮像機器の上記機能制限手段は、上記モード設定手段によって上記禁止モードが設定された場合、上記指令機器以外での当該撮像機器の機能の実行を不可とすることを特徴とする（１７）に記載の撮像システム。
【０３７５】
（対応する実施形態）
この（１８）に記載の撮像システムに関する実施形態は、第１乃至第５実施形態が対応する。
【０３７６】
（作用効果）
この（１８）に記載の撮像システムによれば、撮像機器は電源投入時に禁止モードに設定されるので、認証指令を発信できる指令機器を持っていて該指令機器で指令するか、認証モード切替指令を発信できる指令機器で他の認証モードに切り替えない限り、撮像機器単独では使用できない、即ち撮像機器に鍵が掛かった状態にすることができる。
【０３７７】
（１９）  上記撮像機器の上記モード設定手段は、当該撮像機器の電源断時に、現在設定されている認証モードを記憶しておくメモリを有することを特徴とする（１７）に記載の撮像システム。
【０３７８】
（対応する実施形態）
この（１９）に記載の撮像システムに関する実施形態は、第１乃至第５実施形態が対応する。それらの実施形態において、モードメモリ１３６が上記メモリに対応する。
【０３７９】
（作用効果）
この（１９）に記載の撮像システムによれば、電源断時に、その時設定されている認証モードを保存しておくことが可能となる。
【０３８０】
（２０）  上記撮像機器の上記モード設定手段の上記メモリは、電源オフでも記憶内容を保持できる不揮発性メモリであることを特徴とする（１９）に記載の撮像システム。
【０３８１】
（対応する実施形態）
この（２０）に記載の撮像システムに関する実施形態は、第１乃至第５実施形態が対応する。
【０３８２】
（作用効果）
この（２０）に記載の撮像システムによれば、電源断時に保存した認証モードを保持し続けることができる。
【０３８３】
（２１）  上記撮像機器の上記モード設定手段は、更に、当該撮像機器の電源投入時には、上記メモリに記憶されている認証モードを読み出して、その認証モードに設定することを特徴とする（１９）に記載の撮像システム。
【０３８４】
（対応する実施形態）
この（２１）に記載の撮像システムに関する実施形態は、第１乃至第５実施形態が対応する。
【０３８５】
（作用効果）
この（２１）に記載の撮像システムによれば、撮像機器の電源投入時に、前回の認証モードで起動することが可能となる。
【０３８６】
（２２）  上記撮像機器の上記モード設定手段は、上記指令機器からの上記認証モード切替指令に応じてのみ、上記認証モードの設定を行うことを特徴とする（１７）に記載の撮像システム。
【０３８７】
（対応する実施形態）
この（２２）に記載の撮像システムに関する実施形態は、第１乃至第５実施形態が対応する。
【０３８８】
（作用効果）
この（２２）に記載の撮像システムによれば、認証モード切替指令を発信できる指令機器がない限りは認証モードを変更することができないので、そのような指令機器を持たない第三者に認証モードを変更されて、撮影済みの画像の再生等が行われてしまうおそれがない。
【０３８９】
（２３）  上記撮像機器は、時間を計測する時間計測手段を更に具備し、
上記撮像機器の上記モード設定手段は、更に、上記時間計測手段によって計測された時間に基づいて、上記認証モードとして禁止モードを設定し、
上記撮像機器の上記機能制限手段は、上記モード設定手段によって上記禁止モードが設定された場合、上記指令機器以外での当該撮像機器の機能の実行を不可とすることを特徴とする（１７）に記載の撮像システム。
【０３９０】
（対応する実施形態）
この（２３）に記載の撮像システムに関する実施形態は、第１乃至第５実施形態が対応する。それらの実施形態において、禁止タイマ１４８が上記時間計測手段に対応する。
【０３９１】
（作用効果）
この（２３）に記載の撮像システムによれば、撮像機器が万一盗難等にあっても、所定時間が経過すると自動的に禁止モードとなるので、比較的安全である。
【０３９２】
（２４）  上記撮像機器の上記時間計測手段は、当該撮像機器の電源オフ後でも時間を計測し続け、
上記撮像機器の上記モード設定手段は、上記時間計測手段が所定の時間を計測したときに、上記禁止モードを設定することを特徴とする（２３）に記載の撮像システム。
【０３９３】
（対応する実施形態）
この（２４）に記載の撮像システムに関する実施形態は、第１乃至第５実施形態が対応する。
【０３９４】
（作用効果）
この（２４）に記載の撮像システムによれば、電源がオフされた後も計時が継続されて、所定時間で禁止モードに設定されるので、ユーザは電源断時にいちいち認証モードを切り替える必要がない。
【０３９５】
（２５）  上記撮像機器の上記モード設定手段は、電池が消耗あるいは取り外された場合、直ちにあるいは予め設定された時間後、あるいは電圧監視の結果により、上記認証モードとして、上記禁止モードを設定することを特徴とする（１７）又は（２４）に記載の撮像システム。
【０３９６】
（対応する実施形態）
この（２５）に記載の撮像システムに関する実施形態は、第１乃至第５実施形態が対応する。それらの実施形態において、電池１４６が上記電池に対応する。
【０３９７】
（作用効果）
この（２５）に記載の撮像システムによれば、電池が消耗あるいは取り外された場合に禁止モードに設定されるので、故意あるいは過失により電池が抜き取られたまま、あるいは消耗したまま放置されてバックアップ用の電池あるいはキャパシタの電気も消耗してしまい時間計測手段が計時できなくなって、所定時間が経過しても禁止モードを設定することができなくなってしまい、当該撮像機器が使用できてしまうということを防止できる。
【０３９８】
（２６）  上記指令は、光又は電波で送信されることを特徴とする（１）に記載の撮像システム。
【０３９９】
（対応する実施形態）
この（２６）に記載の撮像システムに関する実施形態は、第１乃至第５実施形態が対応する。
【０４００】
（作用効果）
この（２６）に記載の撮像システムによれば、光又は電波によって指令を送信するので、撮像機器と指令機器とを接続するケーブル等の携帯を不要とすることができる。
【０４０１】
（２７）  上記撮像機器は、上記認証指令の送信手段を有する指令機器に加えて、上記認証情報の送信手段を有さず、少なくとも上記一般指令を送信可能な指令機器を利用可能であることを特徴とする（３）に記載の撮像システム。
【０４０２】
（対応する実施形態）
この（２７）に記載の撮像システムに関する実施形態は、第１乃至第５実施形態が対応する。それらの実施形態において、光学式リモコン５８，７６及び電波式リモコン９４が上記認証指令の送信手段を有する指令機器に、光学式リモコン１０６が上記一般指令を送信可能な指令機器に、それぞれ対応する。
【０４０３】
（作用効果）
この（２７）に記載の撮像システムによれば、再生等プライバシにかかわる機能の実行には認証情報を送信できる指令機器であることが必要であるが、撮影行為自体にはプライバシ保護は必要がないので、認証情報を送信しない撮影に関する機能のみ指令できる別の指令機器を用いて撮影を行うことができる。よって、旅行等にはその撮影機能に絞った指令機器を携行し、認証情報を送信できる指令機器は自宅に置いてくれば、撮影は自由に行え、そして、たとえ旅行先で撮像機器と指令機器を紛失したり盗難にあっても、認証情報を送信できる指令機器は自宅に有り、当該撮像機器を入手した第三者はそれを有していないので、撮影した画像のセキュリティを守ることができる。
【０４０４】
（２８）  上記撮像機器は、内蔵メモリを更に具備し、
上記撮像機器の上記機能制限手段は、上記モード設定手段によって認証モードとして上記指令機器以外での当該撮像機器の機能の実行を不可とする禁止モードが設定されている場合、上記指令判別手段で判別した上記指令機器からの指令に基づいて上記撮像手段で撮像を行なった時、その撮像された画像の保存先を上記内蔵メモリのみに制限することを特徴とする（１７）に記載の撮像システム。
【０４０５】
（対応する実施形態）
この（２８）に記載の撮像システムに関する実施形態は、第２乃至第５実施形態が対応する。それらの実施形態において、内蔵メモリ１１２が上記内蔵メモリに対応する。
【０４０６】
（作用効果）
この（２８）に記載の撮像システムによれば、禁止モードでは撮像された画像は内蔵メモリにのみ記憶されるので、他の機器で読み出すことができない。
【０４０７】
（２９）  上記撮像機器の上記機能制限手段は、上記内蔵メモリに記憶された画像を読み出して、表示、コピー、移動、印刷の何れかを行う場合は、上記認証情報認識手段で認識された上記認証情報により認証された指令機器からの上記撮影指令によってのみ行なうよう制限することを特徴とする（２８）に記載の撮像システム。
【０４０８】
（対応する実施形態）
この（２９）に記載の撮像システムに関する実施形態は、第２乃至第５実施形態が対応する。
【０４０９】
（作用効果）
この（２９）に記載の撮像システムによれば、更に、撮像機器が禁止モードである限り、指令機器が無いと内蔵メモリに記憶されている画像の再生、コピー、移動、印刷などはできなくすることができる。
【０４１０】
（３０）  上記撮像機器は、更に、着脱可能なメモリを装着可能に構成され、
上記内蔵メモリに記憶された画像を上記着脱可能なメモリにコピー又は移動する場合は、暗号化して記憶することを特徴とする（２８）又は（２９）に記載の撮像システム。
【０４１１】
（対応する実施形態）
この（３０）に記載の撮像システムに関する実施形態は、第２乃至第５実施形態が対応する。それらの実施形態において、着脱メモリ１１４が上記着脱可能なメモリに対応する。
【０４１２】
（作用効果）
この（３０）に記載の撮像システムによれば、内蔵メモリの画像を着脱可能なメモリにコピー又は移動する場合は、暗号化して記憶することで、着脱可能なメモリの画像に対してもセキュリティを確保することが可能になる。
【０４１３】
（３１）  上記指令機器は、上記撮像手段で撮像された画像を上記内蔵メモリに記録するか、上記着脱可能なメモリに記録するかを選択する手段を更に具備することを特徴とする（３０）に記載の撮像システム。
【０４１４】
（対応する実施形態）
この（３１）に記載の撮像システムに関する実施形態は、第２乃至第５実施形態が対応する。それらの実施形態において、メニューボタン８２等が上記選択する手段に対応する。
【０４１５】
（作用効果）
この（３１）に記載の撮像システムによれば、撮影した画像の記憶先をユーザが選択することができる。
【０４１６】
（３２）  上記指令機器は、上記認証情報として、乱数発生手段により生成した乱数を含む認証情報を生成する認証情報生成手段を更に具備することを特徴とする（１０）乃至（１４）の何れかに記載の撮像システム。
【０４１７】
（対応する実施形態）
この（３２）に記載の撮像システムに関する実施形態は、第３及び第５実施形態が対応する。それらの実施形態において、リモコンの制御部１５０の乱数発生部１８０が上記乱数発生手段に、制御部１５０が上記認証情報生成手段に、それぞれ対応する。
【０４１８】
（作用効果）
この（３２）に記載の撮像システムによれば、乱数を用いて可変の認証情報を生成することで、過去の指令機器からの撮像指令情報の盗聴等による指令機器の複製に対する安全性を高めることができる。
【０４１９】
（３３）  上記指令機器は、上記認証情報として、予め記憶した表の中から選んだデータを含む認証情報を生成する認証情報生成手段を更に具備することを特徴とする（１０）乃至（１４）の何れかに記載の撮像システム。
【０４２０】
（対応する実施形態）
この（３３）に記載の撮像システムに関する実施形態は、第３及び第５実施形態が対応する。それらの実施形態において、リモコンの制御部１５０のデータ表１８２が上記予め記憶した表に、制御部１５０が上記認証情報生成手段に、それぞれ対応する。
【０４２１】
（作用効果）
この（３３）に記載の撮像システムによれば、データ表から選んだ値を用いて可変の認証情報を生成することで、過去の指令機器からの撮像指令情報の盗聴等による指令機器の複製に対する安全性を高めることができる。
【０４２２】
（３４）  上記指令機器は、
上記指令を送信する指令送信手段と、
上記指令送信手段による上記認証モード切替指令の送信時を起点として計数を開始する第１の計数手段と、
上記認証モード切替指令の送信後、上記指令を上記指令送信手段から送信する際には、上記第１の計数手段の計数値を上記指令に含めて送信させる手段と、
を更に具備し、
上記撮像機器は、
上記指令機器からの上記認証モード切替指令に基づいた上記モード設定手段による認証モードの設定時から計数を開始する第２の計数手段と、
上記指令受信手段によって上記指令機器から上記指令を受信した際には、その受信した指令に含まれる上記第１の計数手段の計数値を上記第２の計数手段の計数値と比較する比較手段と、
を更に具備し、
上記撮像機器の上記機能制限手段は、上記比較手段の比較結果に基づいて上記機能の制限を設定することを特徴とする（１７）に記載の撮像システム。
【０４２３】
（対応する実施形態）
この（３４）に記載の撮像システムに関する実施形態は、第４及び第５実施形態が対応する。それらの実施形態において、発光部６０、制御部１５０、認証情報記憶部１５０Ａ、変調部１５２、発振部１５４、トランジスタ１５６、抵抗１５８、電力増幅部１６４が上記指令送信手段に、リモコンの制御部１５０の計数部１８６が上記第１の計数手段に、制御部１５０が上記送信する手段に、カメラ本体１２の計数部１８８が上記第２の計数手段に、主制御部１１８が上記比較手段に、それぞれ対応する。
【０４２４】
（作用効果）
この（３４）に記載の撮像システムによれば、認証モードの切り替えを起点として、指令機器と撮像機器でそれぞれ計数を開始して一致を取ることにより、撮像機器においては、計数値の合致する指令機器よりの指令のみを受け付けることができる。
【０４２５】
（３５）  上記指令機器は、上記指令に上記認証情報を付加して送信する指令送信手段を更に具備し、
上記撮像機器の上記機能制限手段は、上記撮像手段での撮像に関する機能については、上記認証情報認識手段での上記認証情報の認識結果にかかわらず制限を行わず、それ以外の機能については、上記指令受信手段で受信し上記認証情報認識手段で認識した上記指令に付加された認証情報に基づいて機能の制限を行うことを特徴とする（１５）に記載の撮像システム。
【０４２６】
（対応する実施形態）
この（３５）に記載の撮像システムに関する実施形態は、第５実施形態が対応する。その実施形態において、発光部６０、制御部１５０、認証情報記憶部１５０Ａ、変調部１５２、発振部１５４、トランジスタ１５６、抵抗１５８、電力増幅部１６４が上記指令送信手段に対応する。
【０４２７】
（作用効果）
この（３５）に記載の撮像システムによれば、撮像は何時でも誰でも行うことができるようにして操作性を高め、それ以外の機能についてはセキュリティを確保することができる。
【０４２８】
（３６）  上記指令機器の上記指令送信手段は、上記指令に更に、上記制限する機能の範囲を指定する機能範囲情報を付加して送信し、
上記撮像機器の上記機能制限手段は、上記指令受信手段で受信した上記指令に付加された上記機能範囲情報に従って機能の制限を行なうことを特徴とする請求項３５に記載の撮像システム。
【０４２９】
（対応する実施形態）
この（３６）に記載の撮像システムに関する実施形態は、第５実施形態が対応する。その実施形態において、機能範囲指定情報１９２が上記使用できる機能の範囲を指定する情報に対応する。
【０４３０】
（作用効果）
この（３６）に記載の撮像システムによれば、使用できる機能の範囲をユーザが任意に指定できるようになる。
【０４３１】
（３７）  上記認証情報は、上記撮像機器に固有のＩＤ情報を含むことを特徴とする（１０）乃至（１４）の何れかに記載の撮像システム。
【０４３２】
（対応する実施形態）
この（３７）に記載の撮像システムに関する実施形態は、第５実施形態が対応する。その実施形態において、ＩＤ情報１９４が上記撮像機器に固有のＩＤ情報に対応する。
【０４３３】
（作用効果）
この（３７）に記載の撮像システムによれば、認証情報が撮像機器に固有のＩＤ情報を含むので、同一構成の撮像機器が複数有っても、誤動作するおそれがない。
【０４３４】
（３８）  上記指令機器は、上記指令に上記認証情報を付加して送信する指令送信手段を更に具備し、
上記撮像機器は、上記指令受信手段で受信した上記認証情報が付加された上記指令に従った動作を行なうことを特徴とする（１５）に記載の撮像システム。
【０４３５】
（対応する実施形態）
この（３８）に記載の撮像システムに関する実施形態は、第５実施形態が対応する。その実施形態において、発光部６０、制御部１５０、認証情報記憶部１５０Ａ、変調部１５２、発振部１５４、トランジスタ１５６、抵抗１５８、電力増幅部１６４が上記指令送信手段に対応する。
【０４３６】
（作用効果）
この（３８）に記載の撮像システムによれば、指令に認証情報を含ませているので、当該撮像機器に対する個々の指令を実行する際に、認証を行うことができる。
【０４３７】
（３９）  上記能力切替手段は、上記指令機器と上記撮像機器の間の指令授受の能力を、上記指令機器が送信する指令の種類に応じた能力に切り替えることを特徴とする（１）に記載の撮像システム。
【０４３８】
（対応する実施形態）
この（３９）に記載の撮像システムに関する実施形態は、第１乃至第５実施形態が対応する。
【０４３９】
（作用効果）
この（３９）に記載の撮像システムによれば、指令機器と撮像機器の間の指令授受の能力を、指令機器が送信する指令の種類に応じた能力に切り替えるので、セキュリティ上必要な種類の特定の指令が他で傍受されることを防止できる。
【０４４０】
（４０）  撮像手段を備えた撮像機器と、該撮像機器の本体とは別体に構成され、該撮像機器本体に対して該撮像機器を制御するための指令を送信することにより上記撮像機器が上記指令に対応した動作を行なうように構成された指令機器との間で行われる上記撮像機器の認証方法であって、
上記指令機器と上記撮像機器の間の指令授受の能力を切り替える手段を、上記指令機器及び上記撮像機器の一方又は双方に有し、指令授受の能力を切り替えることを特徴とする撮像機器の認証方法。
【０４４１】
（対応する実施形態）
この（４０）に記載の撮像機器の認証方法に関する実施形態は、第１乃至第５実施形態が対応する。
【０４４２】
（作用効果）
この（４０）に記載の撮像機器の認証方法によれば、指令機器と撮像機器の間の指令授受の能力を切り替えることで、セキュリティ上必要な特定の指令が他で傍受されることを防止できる。従って、操作が容易で、コストも低く、安全性が高い撮像機器の使用制限機能を実現することが可能な撮像機器の認証方法を提供することができる。
【図面の簡単な説明】
【０４４３】
【図１】図１（Ａ）及び（Ｂ）は、本発明の撮像システムの第１実施形態における撮像機器の一例としてのデジタルカメラの前面及び背面外観構成を示す斜視図である。
【図２】図２は、第１実施形態における撮像機器の別の例としてのデジタルムービカメラの外観構成を示す斜視図である。
【図３】図３は、指令機器としてのリモコンの種類を示す図である。
【図４】図４（Ａ）は、第１実施形態における指令機器の一例としての光学式リモコンの外観構成を示す斜視図であり、図４（Ｂ）は（Ａ）のリモコンにおける認証設定スイッチの通常位置時の状態を示す拡大図であり、図４（Ｃ）は認証位置時の認証設定スイッチの拡大図である。
【図５】図５は、第１実施形態における指令機器の他の例としての別の光学式リモコンの外観構成を示す斜視図である。
【図６】図６は、第１実施形態における指令機器の他の例としての電波式リモコンの外観構成を示す斜視図である。
【図７】図７は、第１実施形態における指令機器の他の例としての更に別の光学式リモコンの外観構成を示す斜視図である。
【図８】図８は、デジタルカメラの電気的な構成を示すブロック図である。
【図９】図９は、デジタルカメラにおける受光部の構成を示すブロック図である。
【図１０】図１０は、デジタルカメラにおける受信部の構成を示すブロック図である。
【図１１】図１１は、図４の光学式リモコンの電気的な構成の一例を示すブロック図である。
【図１２】図１２は、図４の光学式リモコンの電気的な構成の別の例を示すブロック図である。
【図１３】図１３は、図４の光学式リモコンの電気的な構成の更に別の例を示すブロック図である。
【図１４】図１４は、図５の光学式リモコンの電気的な構成の一例を示すブロック図である。
【図１５】図１５は、図５の光学式リモコンの電気的な構成の別の例を示す部分ブロック図である。
【図１６】図１６は、図５の光学式リモコンの電気的な構成の更に別の例を示す部分ブロック図である。
【図１７】図１７は、図６の電波式リモコンの電気的な構成の例を示すブロック図である。
【図１８】図１８（Ａ）は、光学式リモコンの発生する送信データ信号の基本を示す図であり、図１８（Ｂ）は、データ信号１ビットの構成を示す図であり、図１８（Ｃ）は、データｎバイトを送る場合を示す図であり、図１８（Ｄ）は、光学式リモコンの変調部の出力波形を示す図である。
【図１９】図１９（Ａ）乃至（Ｃ）は、それぞれ、認証情報を持たない普通リモコンからの一般指令のデータフォーマットの例を示す図であり、図１９（Ｄ）乃至（Ｆ）は、それぞれ、認証情報付きリモコンからの認証指令のデータフォーマットの例を示す図である。
【図２０】図２０は、電波式リモコンの発生する信号を示す図である。
【図２１】図２１は、カメラ本体の認証モードを示す図である。
【図２２】図２２は、カメラ本体の電源の投入時の認証モード設定指定に関する選択を説明する図である。
【図２３】図２３は、制限モードでの使用可能な機能を説明する図である。
【図２４】図２４は、カメラ本体のスイッチやボタンが押された場合の動作の大略を示した図である。
【図２５】図２５は、リモコンのスイッチやボタンが押された場合のカメラ本体の対応動作の大略を示す図である。
【図２６】図２６は、認証モードの遷移を説明するための図である。
【図２７】図２７（Ａ）乃至（Ｃ）は、それぞれ、カメラ本体の受信感度を切り替えるための感度切替指令のデータフォーマットを示す図である。
【図２８】図２８は、認証指令として認証情報付きリモコンより感度切替指令を送信した場合のカメラ本体の動作を説明する図である。
【図２９】図２９（Ａ）は、指令授受能力設定の組み合わせを示す図であり、図２９（Ｂ）は、指令の種類と指令授受能力の組合わせの例を示す図である。
【図３０Ａ】図３０Ａは、撮像機器における状態遷移とプロセスを説明する一連のフローチャートの第１の部分を示す図である。
【図３０Ｂ】図３０Ｂは、撮像機器における状態遷移とプロセスを説明する一連のフローチャートの第２の部分を示す図である。
【図３０Ｃ】図３０Ｃは、撮像機器における状態遷移とプロセスを説明する一連のフローチャートの第３の部分を示す図である。
【図３０Ｄ】図３０Ｄは、撮像機器における状態遷移とプロセスを説明する一連のフローチャートの第４の部分を示す図である。
【図３０Ｅ】図３０Ｅは、撮像機器における状態遷移とプロセスを説明する一連のフローチャートの第５の部分を示す図である。
【図３０Ｆ】図３０Ｆは、撮像機器における状態遷移とプロセスを説明する一連のフローチャートの第６の部分を示す図である。
【図３０Ｇ】図３０Ｇは、撮像機器における状態遷移とプロセスを説明する一連のフローチャートの第７の部分を示す図である。
【図３１】図３１（Ａ）は、本発明の第３実施形態におけるリモコンの制御部の構成を示す図であり、図３１（Ｂ）は、データ表の例を示す図である。
【図３２】図３２（Ａ）乃至（Ｃ）は、それぞれ、可変リモコン識別情報付きの場合のリモコンからの送信データ信号のデータフォーマットを示す図である。
【図３３】図３３は、カメラ本体のパワーオン時の可変リモコン識別情報要求と設定について説明するためのフローチャートを示す図である。
【図３４】図３４（Ａ）は、本発明の第４実施形態におけるリモコンの制御部の構成を示す図であり、図３４（Ｂ）は、カメラ本体の構成を示す図である。
【図３５】図３５は、第４実施形態の動作を説明するためのフローチャートを示す図である。
【図３６】図３６（Ａ）乃至（Ｃ）は、それぞれ、リモコンからの送信データ信号のデータフォーマットを示す図である。
【図３７】図３７（Ａ）及び（Ｂ）は、それぞれ、本発明の第５実施形態におけるカメラ本体の動作を説明するためのフローチャートを示す図である。
【図３８】図３８（Ａ）乃至（Ｅ）は、それぞれ、リモコンからの送信データ信号のデータフォーマットを示す図である。
【符号の説明】
【０４４４】
１０…デジタルカメラ、  １２…カメラ本体、  １４…レンズ部、  １６…フラッシュ、  １８…受光素子、  ２０…発光素子、  ２２…マイクロフォン、  ２４…シャッタスイッチ、  ２６…パワースイッチ、  ２８…パワーランプ、  ３０…感度表示ランプ、  ３２…セレクトスイッチ、  ３４…アンテナ、  ３６…モニタ、  ３８，７８…十字スイッチ、  ４０，８０…ＯＫボタン、  ４２，８２…メニューボタン、  ４４…ズームスイッチ、  ４６，８８…消去ボタン、  ４８，８４…プリントボタン、  ５０…感度切替ボタン、  ５２…スピーカ、  ５４…デジタルムービカメラ、  ５６…電源モードスイッチ、  ５８，７６，１０６…光学式リモコン、  ６０…発光部、  ６２…撮影指令ボタン、  ６４…認証設定スイッチ、  ６４Ａ…操作部、  ６４Ｂ…通常位置、  ６４Ｃ…認証位置、  ６６…感度切替ボタン、  ６８…テレボタン、  ７０…ワイドボタン、  ７２…プラスボタン、  ７４…マイナスボタン、  ８６…情報ボタン、  ９０…回転ボタン、  ９２…保護ボタン、  ９４…電波式リモコン、  ９６…アンテナ、  ９８…制限ボタン、  １００…設定ボタン、  １０２…禁止ボタン、  １０４…許可ボタン、  １０８…撮像素子、  １１０…撮像処理回路、  １１２…内蔵メモリ、  １１４…着脱メモリ、  １１６…受信部、  １１６Ａ，１２０Ａ…増幅部、  １１６Ｂ，１２０Ｂ…フィルタ部、  １１６Ｃ，１２０Ｃ…検波部、  １１６Ｄ，１２０Ｄ…積分部、  １１６Ｅ，１２０Ｅ…波形整形部、  １１６Ｆ，１２０Ｆ…デコーダ部、  １１６Ｇ，１２０Ｇ…感度切替部、  １１８…主制御部、  １１８Ａ…認証情報認識部、  １２０…受光部、  １２２…ズーム制御部、  １２４…露光制御部、  １２６…測距制御部、  １２８…画像処理回路、  １３０…暗号化・復号化回路、  １３２…外部インターフェイス、  １３４…バス、  １３６…モードメモリ、  １３８…発光部、  １４０…表示制御部、  １４２…音声処理部、  １４４…電源回路、  １４６…電池、  １４８…禁止タイマ、  １５０…制御部、  １５０Ａ…認証情報記憶部、  １５２…変調部、  １５２Ａ…出力切替部、  １５２Ａ，１６４Ａ…出力切替部、  １５４…発振部、  １５６…トランジスタ、  １５８，１６２…抵抗、  １６０…切替スイッチ、  １６４…電力増幅部、  １６６…リーダコード、  １６８…ストップコード、  １７０…データ部、  １７２…ヘッダ、  １７４…ＥＣＣ、  １７６…固定リモコン識別情報、  １７８…感度切替情報、  １８０…乱数発生部、  １８２…データ表、  １８４…可変リモコン識別情報、  １８６，１８８…計数部、  １９０…計数値、  １９２…機能範囲指定情報、  １９４…ＩＤ情報。
【図１】
2008187400.tif 000003
【図２】
2008187400.tif 000004
【図３】
2008187400.tif 000005
【図４】
2008187400.tif 000006
【図５】
2008187400.tif 000007
【図６】
2008187400.tif 000008
【図７】
2008187400.tif 000009
【図８】
2008187400.tif 000010
【図９】
2008187400.tif 000011
【図１０】
2008187400.tif 000012
【図１１】
2008187400.tif 000013
【図１２】
2008187400.tif 000014
【図１３】
2008187400.tif 000015
【図１４】
2008187400.tif 000016
【図１５】
2008187400.tif 000017
【図１６】
2008187400.tif 000018
【図１７】
2008187400.tif 000019
【図１８】
2008187400.tif 000020
【図１９】
2008187400.tif 000021
【図２０】
2008187400.tif 000022
【図２１】
2008187400.tif 000023
【図２２】
2008187400.tif 000024
【図２３】
2008187400.tif 000025
【図２４】
2008187400.tif 000026
【図２５】
2008187400.tif 000027
【図２６】
2008187400.tif 000028
【図２７】
2008187400.tif 000029
【図２８】
2008187400.tif 000030
【図２９】
2008187400.tif 000031
【図３０Ａ】
2008187400.tif 000032
【図３０Ｂ】
2008187400.tif 000033
【図３０Ｃ】
2008187400.tif 000034
【図３０Ｄ】
2008187400.tif 000035
【図３０Ｅ】
2008187400.tif 000036
【図３０Ｆ】
2008187400.tif 000037
【図３０Ｇ】
2008187400.tif 000038
【図３１】
2008187400.tif 000039
【図３２】
2008187400.tif 000040
【図３３】
2008187400.tif 000041
【図３４】
2008187400.tif 000042
【図３５】
2008187400.tif 000043
【図３６】
2008187400.tif 000044
【図３７】
2008187400.tif 000045
【図３８】
2008187400.tif 000046